(57)【要約】　　　（修正有）【課題】液晶装置等の基板構造において、複数の表示用ドットとドット間領域との間で、表面に凹凸ができることを抑制する。また、遮光層とその層で囲まれた層、例えば着色層との間の平坦性を確保する。【解決手段】複数の表示用ドットＤが形成される基材１と、基材１上に設けられた下地層４と、下地層４上に設けられた反射層２と、反射層２上に設けられた着色層３ｒ，ｇ，ｂとを有する電気光学装置用基板である。下地層４は、表示用ドットＤに対応する領域に設けられ、複数の表示用ドットＤ間の領域には設けられない。このドットＤ間領域には窪みができ、この窪みに遮光層３ｋが入り込むので、遮光層３ｋと着色層３ｒ，ｇ，ｂとは平坦になる。【選択図】　　　　図１
2004078139.tif 000002
【特許請求の範囲】
【請求項１】
複数の表示用ドットが形成される基材と、
該基材上に設けられた下地層と、
該下地層上に設けられた反射層と、
該反射層上に設けられた着色層とを有し、
前記下地層は、前記表示用ドットに対応する領域に設けられ、前記複数の表示用ドット間の領域には設けられない
ことを特徴とする電気光学装置用基板。
【請求項２】
請求項１において、前記下地層の平面形状は前記表示用ドットの平面形状と略同じであることを特徴とする電気光学装置用基板。
【請求項３】
複数の表示用ドットが形成される基材上に下地層を形成する工程と、
前記下地層上に反射層を形成する工程と、
前記反射層上に着色層を形成する工程とを有し、
前記着色層を形成する工程では、前記表示用ドットに対応する領域に前記着色層を形成し、前記複数の表示用ドット間の領域には前記着色層を形成しない
ことを特徴とする電気光学装置用基板の製造方法。
【請求項４】
複数の表示用ドットが形成される基材と、
互いに隣り合う前記表示用ドットの間の領域で凹部又は開口部を有するように前記基材上に設けられ、且つ不規則に配列された配列された山部又は谷部を有する下地層と、
該下地層上に設けられた反射層と、
前記凹部又は前記開口部を埋めるように設けられた遮光層と、
を有することを特徴とする電気光学装置用基板。
【請求項５】
複数の表示用ドットが形成される基材と、
互いに隣り合う前記表示用ドットの間の領域で凹部又は開口部を有するように前記基材上に設けられ、且つ不規則に配列された配列された山部又は谷部を有する下地層と、
該下地層上に設けられた反射層と、
該反射層上に設けられると共に前記凹部又は開口部に入り込む着色層と
を有することを特徴とする電気光学装置用基板。
【請求項６】
請求項４又は請求項５において、前記反射層は一部に開口部を有することを特徴とする電気光学装置用基板。
【請求項７】
請求項４において、前記遮光層の高さは、前記下地層の高さと略同じであることを特徴とする電気光学装置用基板。
【請求項８】
請求項５において、前記着色層上に設けられる保護層を、さらに有することを特徴とする電気光学装置用基板。
【請求項９】
請求項４又は請求項５において、前記開口部の底部は、前記下地層が除かれた領域を有することを特徴とする電気光学装置用基板。
【請求項１０】
請求項４又は請求項５において、前記反射層は一部に開口部を有することを特徴とする電気光学装置用基板。
【請求項１１】
請求項５において、
前記着色層は、青色系の前記着色部、緑色系の前記着色部及び赤色系の前記着色部を少なくとも有し、
青色系の前記着色部、緑色系の前記着色部及び赤色系の前記着色部は、前記隣り合う表示用ドットの間の領域において前記基材に前記青色系の着色部、前記緑色系の着色部及び前記赤色系の着色部の順に積層される
ことを特徴とする電気光学装置用基板。
【請求項１２】
請求項５において、
前記着色部は、前記青色系の着色部の厚さが０．７〜２．０μｍに、前記緑色系の着色部の厚さが０．８〜１．２μｍに、前記赤色系の着色部の厚さが０．７〜１．１μｍに形成される
ことを特徴とする電気光学装置用基板。
【請求項１３】
請求項４又は請求項５において、前記凹部の底部に対応する前記下地層は、他の領域に対応する前記下地層よりも薄く形成されることを特徴とする電気光学装置用基板。
【請求項１４】
請求項４又は請求項５において、
前記凹部の底部に対応する前記下地層は、前記基材上に設けられた第１絶縁層によって形成され、
前記他の領域に対応する前記下地層は、前記第１絶縁層と該第１絶縁層上の前記他の領域に重ねて設けられた第２絶縁層とによって形成される
ことを特徴とする電気光学装置用基板。
【請求項１５】
請求項４又は請求項５において、
前記凹部の底部に対応する前記下地層は、前記基材上に設けられた第１樹脂層によって形成され、
前記他の領域に対応する前記下地層は、前記第１樹脂層と該第１樹脂層上の前記他の領域に重ねて設けられた第２樹脂層とによって形成される
ことを特徴とする電気光学装置用基板。
【請求項１６】
請求項５において、
前記着色層は第１色の第１着色部と、第２色の第２着色部とを少なくとも有し、
前記第１着色部と前記第２着色部は、前記互いに隣り合う表示用ドットの間の領域において重なるように形成される
ことを特徴とする電気光学装置用基板。
【請求項１７】
請求項５において、前記第１着色部及び第２着色部は、それぞれ、前記互いに隣り合う表示用ドットに対応して設けられることを特徴とする電気光学装置用基板。
【請求項１８】
請求項５において、
前記第１着色部の可視光波長域における平均透過率は、前記第２着色部の可視光波長域における平均透過率よりも低く、
前記第１着色部及び前記第２着色部は、前記基材に該第１着色部及び該第２着色部の順に積層される
ことを特徴とする電気光学装置用基板。
【請求項１９】
請求項５において、
前記第１着色部の光の波長域４００ｎｍ〜７００ｎｍにおける平均透過率は、前記第２着色部の光の波長域４００ｎｍ〜７００ｎｍにおける平均透過率よりも低く、
前記第１着色部及び前記第２着色部は、前記基材に該第１着色部及び該第２着色部の順に積層される
ことを特徴とする電気光学装置用基板。
【請求項２０】
請求項５において、
前記第１着色部の厚さは、０．７μｍ以上であって２．０μｍ以下であることを特徴とする電気光学装置用基板。
【請求項２１】
請求項５において、
前記着色層は、青色系の前記着色部と、緑色系又は赤色系の前記着色部とを有し、
青色系の前記着色部と緑色系又は赤色系の前記着色部とは、前記互いに隣り合う表示用ドットの間の領域において前記基材に前記青色系の着色部及び前記緑色系又は赤色系の着色部の順に積層されることを特徴とする電気光学装置用基板。
【請求項２２】
請求項４又は請求項５に記載の電気光学装置用基板と、
該電気光学装置用基板に対向して設けられた他の基板と、
前記電気光学装置用基板と前記他の基板との間に設けられた電気光学物質層とを有することを特徴とする電気光学装置。
【請求項２３】
互いに対向して配置される第１基材及び第２基材と、
前記第１基材と前記第２基材との間に配置される電気光学物質と、
前記第１基材上に設けられた第１電極と、
前記第２基材上に設けられた第２電極と、
前記第１電極と前記第２電極とが重なる領域に形成された複数の表示用ドットと、
互いに隣り合う前記表示用ドットの間の領域で凹部又は開口部を有するように前記第１基材上に設けられ、且つ不規則に配列された複数の山部又は谷部を有する下地層と、
該下地層上に設けられた反射層と、
前記凹部又は前記開口部を埋めるように設けられた遮光層と
を有することを特徴とする電気光学装置。
【請求項２４】
互いに対向して配置される第１基材及び第２基材と、
前記第１基材と前記第２基材との間に配置される電気光学物質と、
前記第１基材上に設けられた第１電極と、
前記第２基材上に設けられた第２電極と、
前記第１電極と前記第２電極とが重なる領域に形成された複数の表示用ドットと、
互いに隣り合う前記表示用ドットの間の領域で凹部又は開口部を有するように前記第１基材上に設けられ、且つ不規則に配列された複数の山部又は谷部を有する下地層と、
該下地層上に設けられた反射層と、
前記凹部又は前記開口部に入り込むように設けられた着色層と
を有することを特徴とする電気光学装置。
【請求項２５】
請求項２２又は請求項２４において、
前記着色層は、青色系の前記着色部、緑色系の前記着色部及び赤色系の前記着色部を少なくとも有し、
青色系の前記着色部、緑色系の前記着色部及び赤色系の前記着色部は、前記互いに隣り合う表示用ドットの間の領域において前記基材に前記青色系の着色部、前記緑色系の着色部及び前記赤色系の着色部の順に積層される
ことを特徴とする電気光学装置。
【請求項２６】
請求項２２から請求項２４のいずれか１つにおいて、
前記凹部の底部の下地層は、前記基材上に設けられた第１絶縁層によって形成され、
前記他の領域の前記下地層は前記第１絶縁層と前記第１絶縁層上の前記他の領域に重ねて設けられた第２絶縁層とによって形成される
ことを特徴とする電気光学装置。
【請求項２７】
請求項２２又は請求項２４において、
前記着色層は、第１色の第１着色部と、第２色の第２着色部とを少なくとも有し、
前記第１着色部と前記第２着色部は、前記互いに隣り合う表示用ドットの間の領域において重なるように形成される
ことを特徴とする電気光学装置。
【請求項２８】
請求項２４において、前記第１着色部の可視光波長域における平均透過率は、前記第２着色部の可視光波長域における平均透過率よりも低く、
前記第１着色部及び前記第２着色部は、前記基材に該第１着色部及び該第２着色部の順に積層される
ことを特徴とする電気光学装置。
【請求項２９】
請求項２４において、
前記着色層は、青色系の前記着色部と、緑色系又は赤色系の前記着色部とを少なくとも有し、青色系の前記着色部と緑色系又は赤色系の前記着色部とは、前記互いに隣り合う表示用ドットの間の領域において前記基材に前記青色系の着色部及び前記緑色系又は赤色系の着色部の順に積層されていることを特徴とする電気光学装置。
【請求項３０】
請求項２２から請求項２４のいずれか１つに記載の電気光学装置を有することを特徴とする電子機器。
【請求項３１】
複数の表示用ドットが形成される基材上に下地層を形成する工程と、
前記下地層上に反射層を形成する工程と、
前記基材上に遮光層を形成する工程とを有し、
前記下地層を形成する工程では、互いに隣り合う前記表示用ドットの間の領域で凹部又は開口部を有し、且つ不規則に形成された山部又は谷部を有するように前記下地層を形成し、
前記遮光層形成工程では、前記凹部又は開口部を埋めるように前記遮光層を形成する
ことを特徴とする電気光学装置用基板の製造方法。
【請求項３２】
複数の表示用ドットが形成される基材上に下地層を形成する工程と、
前記下地層上に反射層を形成する工程と、
前記基材上に着色層を形成する工程とを有し、
前記下地層を形成する工程では、互いに隣り合う前記表示用ドットの間の領域で凹部又は開口部を有し、且つ不規則に形成された山部又は谷部を有するように前記下地層を形成し、
前記着色層形成工程では、前記着色層を前記凹部又は前記開口部へ入り込むように形成する
ことを特徴とする電気光学装置用基板の製造方法。
【請求項３３】
請求項３２において、前記着色層を形成する工程では、
前記着色層は青色系の前記着色部、緑色系の前記着色部及び赤色系の前記着色部を少なくとも有し、
青色系の前記着色部、緑色系の前記着色部及び赤色系の前記着色部は、前記互いに隣り合う表示用ドットの間の領域において前記基材に前記青色系の着色部、前記緑色系の着色部及び前記赤色系の着色部の順に積層される
ことを特徴とする電気光学装置用基板の製造方法。
【請求項３４】
請求項３２において、前記着色層を形成する工程では、
前記着色層は第１色の第１着色部と、第２色の第２着色部とを少なくとも有し、
前記第１着色部と前記第２着色部は、前記互いに隣り合う表示用ドットの間の領域において重なるように形成される
ことを特徴とする電気光学装置用基板の製造方法。
【請求項３５】
請求項３２において、
前記着色層を形成する工程は、
前記着色層が、青色系の前記着色部と緑色系又は赤色系の前記着色部とを有し、
青色系の前記着色部と緑色系又は赤色系の前記着色部とが、前記互いに隣り合う表示用ドットの間の領域において青色系の前記着色部及び緑色系又は赤色系の前記着色部の順に積層されるように形成する
ことを特徴とする電気光学装置用基板の製造方法。
【請求項３６】
複数の表示用ドットが形成される第１基材上に下地層を形成する工程と、
前記下地層上に反射層を形成する工程と、
前記基材上に遮光層を形成する工程と、
前記第１基材上に第１電極を形成する工程と、
前記第１基材と対向する第２基材に第２電極を形成する工程と、
前記第１基材と前記第２基材の間に電気光学物質の層を形成する工程とを有し、
前記下地層を形成する工程では、互いに隣り合う前記表示用ドットの間の領域で凹部又は開口部を有し、且つ不規則に形成された山部又は谷部を有するように前記下地層を形成し、
前記遮光層形成工程では、前記凹部又は開口部を埋めるように前記遮光層を形成する
ことを特徴とする電気光学装置の製造方法。
【発明の詳細な説明】
【０００１】
【発明の属する技術分野】
本発明は、液晶装置等といった電気光学装置に用いられる基板、その基板の製造方法、その基板を用いて構成される電気光学装置、及びその電気光学装置を用いて構成される電子機器に関する。
【０００２】
【従来の技術】
近年、携帯電話機、携帯型パーソナルコンピュータ等といった電子機器に電気光学装置が広く用いられるようになっている。この電気光学装置の１つとして、反射型表示と透過型表示の両方ができる反射半透過型液晶装置が知られている。この液晶装置において反射型表示を行う場合には、自然光や室内光等といった外部光が液晶装置の内部へ取り込まれ、その光が液晶装置の内部に設けられた反射層で反射し、その反射光が再び外部へ出ることにより表示が行われる。この場合、反射層は透過型表示の機能を達成するために光を透過させる機能も持たなければならず、それ故、上記のように外部光を反射層で反射するといっても、反射できるのは外部光の全てではなく、その一部分である。
【０００３】
しかしながら、上記のような反射層を用いた外部光の反射構造それ自体は、透過型表示の機能を持たない液晶装置、すなわち反射層によって外部光の全てを反射する構造の液晶装置、すなわち反射型液晶装置の場合も同様である。
【０００４】
ところで、反射半透過型の液晶装置、あるいは、反射型の液晶装置を問わず、反射型の表示が可能な液晶装置においては、反射層の表面が鏡面状であると、観察者が視認する像に背景や室内照明が映ってしまい、表示された像が見難くなるという問題がある。
【０００５】
この問題を解消するため、従来、表面に多数の微細な凹凸形状を持った下地層を反射層の下に設けることにより、この反射層の表面に複数の微細な山部を形成して粗面化し、これにより、反射光を適度に散乱させるという技術が知られている（例えば、特許文献１参照）。
【０００６】
【特許文献１】
特開２００２−２５８２７０号公報
【０００７】
【発明が解決しようとする課題】
ところで、液晶装置においては、表示の最小単位である表示用ドットを多数、平面的に配列、例えばマトリクス状に配列し、それらの表示用ドットを選択的に光らせることにより、希望の像を表示するという方法が広く採用されている。そしてこの場合には、光を遮蔽する層、すなわち遮光層を複数の表示用ドットの間の領域に設けることにより、いわゆるブラックマスク又はブラックマトリクスと呼ばれる領域を形成し、これにより、コントラストの高い像を表示できるようにする、という構成も広く採用されている。
【０００８】
このように表示用ドット間に遮光層を設ける場合には、従来、その遮光層を設けた部分の厚さが厚くなり、それ故、セルギャップのバラツキが大きくなったり、配向膜に施すラビング処理が上手くできなくなる等といった問題が生じていた。液晶装置では、一般に、遮光層に重ねて配向膜やオーバーコート層が形成され、これらの層により、基板の表面は、ある程度は平坦になるが、それでも尚、上記のようなセルギャップのバラツキ等は解消されていない。
【０００９】
本発明は、上記の問題点に鑑みて成されたものであって、複数の表示用ドット領域と、それらの表示用ドットの間の領域との間で、表面に凹凸ができることを抑制することを目的とする。また、本発明は、遮光層とその層で囲まれた層、例えば着色層との間の平坦性を確保することを目的とする。
【００１０】
【課題を解決するための手段】
（１）上記の目的を達成するため、本発明に係る電気光学装置用基板は、複数の表示用ドットが形成される基材と、該基材上に設けられた下地層と、該下地層上に設けられた反射層と、該反射層上に設けられた着色層とを有し、前記下地層は、前記表示用ドットに対応する領域に設けられ、前記複数の表示用ドット間の領域には設けられないことを特徴とする。
【００１１】
この構成の液晶装置では、反射型表示を行う場合、外部光は着色層を透過して反射層で反射し、観察者へ向かう。着色層の下方には下地層及び反射層が設けられるので、外部光は適度な散乱状態で反射され、視野の広い表示が可能となる。一方、下地層は表示用ドットの間の領域には設けられないので、すなわち、遮光層が設けられる領域には下地層が設けられないので、遮光層を設ける部分の厚さは下地層の厚さ分だけ減少する。これにより、遮光層の突出を防止でき、それ故、基板の表面に凹凸ができることを抑制できる。すなわち、基板の表面の平坦性を向上できる。
【００１２】
（２）上記構成の電気光学装置用基板において、前記下地層の平面形状は前記表示用ドットの平面形状と略同じであることが望ましい。こうすれば、反射型表示の際に、下地層から着色層へ適度に散乱した光を十分な広さで供給でき、それ故、視野角の広い反射型表示を行うことができる。
【００１３】
（３）また、上記構成の電気光学装置用基板は、前記表示用ドット以外の領域に遮光層を有することが望ましい。こうすれば、下地層が設けられていない領域に遮光層が設けられるので、基板全体としての平坦性が向上する。
【００１４】
（４）また、上記構成の電気光学装置用基板において、前記下地層が設けられない領域は、前記遮光層が設けられる領域と略同じであることが望ましい。こうすれば、遮光層を設けることによる基板の厚さの増加分は、下地層を省略することによって相殺できるので、基板の表面の平坦性を向上できる。
【００１５】
（５）次に、本発明に係る電気光学装置は、以上に記載した構成の電気光学装置用基板と、該電気光学装置用基板に対向して設けられた他の基板と、前記電気光学装置用基板と前記他の基板との間に設けられた電気光学物質層とを有することを特徴とする。この構成の電気光学装置によれば、表示用ドット以外の領域には下地層が設けられないので、基板の厚さを全体として平坦にでき、それ故、より薄い液晶装置を実現できる。
【００１６】
（６）次に、本発明に係る電子機器は、上記構成の気光学装置を有することを特徴とする。上記構成の液晶装置は薄く形成できるので、それを用いた電子機器も薄く形成できる。
【００１７】
（７）次に、本発明に係る電気光学装置用基板の製造方法は、複数の表示用ドットが形成される基材上に下地層を形成する工程と、前記下地層上に反射層を形成する工程と、前記反射層上に着色層を形成する工程とを有し、前記着色層を形成する工程では、前記表示用ドットに対応する領域に前記着色層を形成し、前記複数の表示用ドット間の領域には前記着色層を形成しないことを特徴とする。
【００１８】
下地層は表示用ドットの間の領域には設けられないので、すなわち、遮光層が設けられる領域には下地層が設けられないので、遮光層を設ける部分の厚さは下地層の厚さ分だけ減少する。これにより、遮光層の突出を防止でき、それ故、基板の表面に凹凸ができることを抑制できる。すなわち、基板の表面の平坦性を向上できる。
【００１９】
（８）上記構成の電気光学装置用基板の製造方法においては、前記下地層が設けられる領域以外の領域に対応して前記反射層上に遮光層を形成する工程を、さらに有することが望ましい。この製造方法によれば、下地層が設けられない領域に遮光層を形成するので、基板全体の平坦性を向上できる。
【００２０】
（９）次に、本発明に係る他の電気光学装置用基板は、複数の表示用ドットが形成される基材と、互いに隣り合う前記表示用ドットの間の領域で凹部又は開口部を有するように前記基材上に設けられ、且つ不規則に配列された配列された山部又は谷部を有する下地層と、該下地層上に設けられた反射層と、前記凹部又は前記開口部を埋めるように設けられた遮光層とを有することを特徴とする。
【００２１】
基材上に均一に下地層を設ける構造の従来の電気光学装置用基板では、例えば遮光層の高さが高くなり、その上にオーバーコート層等を積層しても表面に凹凸が生じ、セルギャップのバラツキが大きくなる等の問題が生じていた。これに対し、上記構成の電気光学装置用基板によれば、隣り合う表示用ドット間の境界領域に凹部又は開口部を有するように下地層を設けると共に、該凹部又は該開口部を埋めるように遮光層を設けたので、例えば遮光層の高さを低くでき、それ故、各表示用ドットと、それらの表示用ドット間の境界領域との間の表面の平坦性を確保できる。
【００２２】
（１０）また、本発明に係る電気光学装置用基板においては、前記開口部の底部は、前記下地層が除かれた領域を有することになる。この構成によれば、下地層が除かれている分、例えば遮光層の高さを低くでき、セルギャップのバラツキ等を軽減できる。
【００２３】
（１１）また、本発明に係る電気光学装置用基板においては、前記凹部の底部の下地層は、他の領域の前記下地層よりも薄くなるように形成されることが望ましい。上記のように開口部の底部において下地層を完全に除いてしまうと、却って表示用ドットとそれに隣接する表示用ドット間領域との間の平坦性が損なわれる場合がある。この場合には、開口部というよりも、むしろ凹部を形成することにより、当該凹部の底部において下地層を所望の厚さで形成することが望ましく、これにより、表面の平坦性が確保でき、セルギャップのバラツキが軽減でき、ラビング処理も容易となる。
【００２４】
（１２）また、本発明に係る電気光学装置用基板においては、前記凹部の底部の下地層は、前記基板上に設けられた第１絶縁層により形成され、前記他の領域の下地層は前記第１絶縁層と前記第１絶縁層上の前記他の領域に重ねて設けられた第２絶縁層とにより形成されることが望ましい。この構成によれば、第１絶縁層の形成において凹部を形成しなくても、第２絶縁層を形成する際に凹部を形成できるので、第１絶縁層を形成するための製造工程を簡単にすることができる。（１３）ここで、前記第１絶縁層及び第２絶縁層は樹脂材料を有することが望ましい。こうすれば、下地層に用いられた樹脂材料が光を散乱させるので、表示を明るくすることができる。
【００２５】
（１４）また、本発明に係る電気光学装置用基板においては、前記反射層は、一部に開口部を有する構成とすることができる。こうすれば、半透過反射型の電気光学装置用基板が形成できる。つまり、本発明によれば、反射型の電気光学装置用基板だけではなく、半透過型電気光学装置基板においても、各表示用ドットと、それに隣り合う表示用ドット間の境界領域との間における表面の平坦性を確保でき、セルギャップのバラツキ等を軽減できる。
【００２６】
（１５）また、本発明に係る電気光学装置用基板において、前記遮光層の高さは、前記下地層の高さと略同じであることが望ましい。こうすれば、遮光層と下地層の高さが基材に対して略同じになるので、各表示用ドットとそれに隣り合うドット間領域との表面の平坦性を確保でき、セルギャップのバラツキ等を軽減できる。
【００２７】
（１６）次に、本発明に係る電気光学装置は、互いに対向して配置される第１基材及び第２基材と、前記第１基材と前記第２基材との間に配置される電気光学物質と、前記第１基材上に設けられた第１電極と、前記第２基材上に設けられた第２電極と、前記第１電極と前記第２電極とが重なる領域に形成された複数の表示用ドットと、互いに隣り合う前記表示用ドットの間の領域で凹部又は開口部を有するように前記第１基材上に設けられ、且つ不規則に配列された複数の山部又は谷部を有する下地層と、該下地層上に設けられた反射層と、前記凹部又は前記開口部を埋めるように設けられた遮光層とを有することを特徴とする。
【００２８】
基材上に均一に下地層を設ける構造の従来の電気光学装置用基板では、例えば遮光層の高さが高くなり、その上にオーバーコート層等を積層しても表面に凹凸が生じ、セルギャップのバラツキが大きくなる等の問題が生じていた。これに対し、上記構成の電気光学装置によれば、隣り合う表示用ドット間の境界領域に凹部又は開口部を有するように下地層を設けると共に、該凹部又は該開口部を埋めるように遮光層を設けたので、例えば遮光層の高さを低くでき、それ故、各表示用ドットと、それらの表示用ドット間の境界領域との間の表面の平坦性を確保できる。
【００２９】
（１７）また、上記構成の電気光学装置において、前記開口部の底部は、前記下地層が除かれた領域を有することになる。この構成によれば、下地層を除いた分だけ、例えば遮光層の高さを低くでき、各表示用ドットとそれに隣り合うドット間領域との間の表面の平坦性を確保できる。
【００３０】
（１８）また、上記構成の電気光学装置において、前記凹部の底部の下地層は、他の領域の下地層よりも薄くなることが望ましい。上記のように開口部の底部において下地層を完全に除いてしまうと、却って表示用ドットとそれに隣接する表示用ドット間領域との間の平坦性が損なわれる場合がある。この場合には、開口部というよりも、むしろ凹部を形成することにより、当該凹部の底部において下地層を所望の厚さで形成することが望ましく、これにより、表面の平坦性が確保でき、セルギャップのバラツキが軽減でき、ラビング処理も容易となる。
【００３１】
（１９）また、上記構成の電気光学装置において、前記凹部の底部の下地層は、前記基材上に設けられた第１絶縁層により形成され、前記他の領域の下地層は前記第１絶縁層と前記第１絶縁層上の前記他の領域に重ねて設けられた第２絶縁層とにより形成されることが望ましい。こうすれば、第１絶縁層の形成において凹部を形成しなくても、第２絶縁層の形成において凹部を形成できるので、第１の絶縁層の製造工程を簡略化できる。
【００３２】
（２０）ここで、前記第１絶縁層及び第２絶縁層は樹脂材料を有することが望ましい。こうすれば、下地層に用いられた樹脂材料が光を散乱するので、表示を明るくすることができる。
【００３３】
（２１）また、上記構成の電気光学装置において、前記反射層は一部に開口部を有する構成とすることができる。こうすれば、半透過反射型の電気光学装置が形成できる。つまり、本発明によれば、反射型の電気光学装置だけではなく、半透過型電気光学装置においても、各表示用ドットと、それに隣り合う表示用ドット間の境界領域との間における表面の平坦性を確保でき、セルギャップのバラツキ等を軽減できる。
【００３４】
（２２）また、上記構成の電気光学装置において、前記遮光層の高さは、前記下地層の高さと略同じであることが望ましい。こうすれば、遮光層と下地層の高さが基材に対して略同じであるので、各表示用ドットとそれに隣り合う表示用ドット間の境界領域との間の表面の平坦性を確保でき、セルギャップのバラツキ等を軽減できる。
【００３５】
（２３）次に、本発明に係る電子機器は、以上に記載した構成の電気光学装置を有することを特徴としている。本発明に係る電気光学装置によれば、各表示用ドットとそれに隣り合うドット間領域との間の表面の平坦性が確保できるので、表示画面のコントラストの明瞭化等により、その表示面が見易くなる。従って、この電気光学装置を用いた電子機器は、例えば携帯電話機や携帯情報端末等といった電子機器のように屋外で使用される場合であっても、鮮明な表示を行うことができる。
【００３６】
（２４）次に、本発明に係る電気光学装置用基板の製造方法は、複数の表示用ドットが形成される基材上に下地層を形成する工程と、前記下地層上に反射層を形成する工程と、前記基材上に遮光層を形成する工程とを有し、前記下地層を形成する工程では、互いに隣り合う前記表示用ドットの間の領域で凹部又は開口部を有し、且つ不規則に形成された山部又は谷部を有するように前記下地層を形成し、前記遮光層形成工程では、前記凹部又は開口部を埋めるように前記遮光層を形成することを特徴とする。
【００３７】
基材上に均一に下地層を設ける構造の従来の電気光学装置用基板では、例えば遮光層の高さが高くなり、その上にオーバーコート層等を積層しても表面に凹凸が生じ、セルギャップのバラツキが大きくなる等の問題が生じていた。これに対し、上記構成の電気光学装置用基板によれば、隣り合う表示用ドット間の境界領域に凹部又は開口部を有するように下地層を設けると共に、該凹部又は該開口部を埋めるように遮光層を設けたので、例えば遮光層の高さを低くでき、それ故、各表示用ドットと、それらの表示用ドット間の境界領域との間の表面の平坦性を確保できる。
【００３８】
（２５）また、上記構成の電気光学装置用基板の製造方法において、前記下地層を形成する工程では、前記開口部の底部の所に下地層が除かれた領域が形成される。この構成によれば、下地層が除かれている分、例えば遮光層の高さを低くでき、セルギャップのバラツキ等を軽減できる。
【００３９】
（２６）また、上記構成の電気光学装置用基板の製造方法において、前記下地層を形成する工程では、前記凹部の底部の下地層が、他の領域の前記下地層よりも薄く形成されることが望ましい。上記のように開口部の底部において下地層を完全に除いてしまうと、却って表示用ドットとそれに隣接する表示用ドット間領域との間の平坦性が損なわれる場合がある。この場合には、開口部というよりも、むしろ凹部を形成することにより、当該凹部の底部において下地層を所望の厚さで形成することが望ましく、これにより、表面の平坦性が確保でき、セルギャップのバラツキが軽減でき、ラビング処理も容易となる。
【００４０】
（２７）また、上記構成の電気光学装置用基板の製造方法において、前記下地層を形成する工程は、前記基材上に第１絶縁層を形成する工程と、該第１絶縁層上で互いに隣り合う表示用ドット間の境界領域を除く領域に第２絶縁層を形成する工程とを有することが望ましい。
【００４１】
この構成によれば、第１絶縁層の形成において凹部を形成しなくても、第２絶縁層の形成の際に凹部を形成できるので、第１絶縁層を形成する工程での製造工程を簡略化できる。
【００４２】
（２８）ここで、前記第１絶縁層及び第２絶縁層は樹脂材料を有することが望ましい。こうすれば、下地層に用いられた樹脂材料が光を散乱させるので、表示を明るくすることができる。
【００４３】
（２９）また、上記構成の電気光学装置用基板の製造方法において、反射層を形成する工程では、反射層がその一部に開口部を有するように当該反射層を形成することができる。こうすれば、半透過反射型の電気光学装置用基板が形成できる。つまり、本発明によれば、反射型の電気光学装置用基板だけではなく、半透過型電気光学装置基板においても、各表示用ドットと、それに隣り合う表示用ドット間の境界領域との間における表面の平坦性を確保でき、セルギャップのバラツキ等を軽減できる。
【００４４】
（３０）また、上記構成の電気光学装置用基板の製造方法において、遮光層を形成する工程では、遮光層の高さは下地層の高さと略同じにすることが望ましい。こうすれば、遮光層と下地層の高さが基板に対して略同じであるので、各表示用ドットとそれに隣り合う表示用ドット間領域との表面の平坦性を確保でき、セルギャップのバラツキ等を軽減できる。
【００４５】
（３１）次に、本発明に係る電気光学装置の製造方法は、複数の表示用ドットが形成される第１基材上に下地層を形成する工程と、前記下地層上に反射層を形成する工程と、前記基材上に遮光層を形成する工程と、前記第１基材上に第１電極を形成する工程と、前記第１基材と対向する第２基材に第２電極を形成する工程と、前記第１基材と前記第２基材の間に電気光学物質の層を形成する工程とを有し、前記下地層を形成する工程では、互いに隣り合う前記表示用ドットの間の領域で凹部又は開口部を有し、且つ不規則に形成された山部又は谷部を有するように前記下地層を形成し、前記遮光層形成工程では、前記凹部又は開口部を埋めるように前記遮光層を形成することを特徴とする。
【００４６】
基材上に均一に下地層を設ける構造の従来の電気光学装置用基板では、例えば遮光層の高さが高くなり、その上にオーバーコート層等を積層しても表面に凹凸が生じ、セルギャップのバラツキが大きくなる等の問題が生じていた。これに対し、上記構成の電気光学装置用基板によれば、互いに隣り合う表示用ドット間の境界領域に凹部又は開口部を有するように下地層を設けると共に、該凹部又は該開口部を埋めるように遮光層を設けたので、例えば遮光層の高さを低くでき、それ故、各表示用ドットと、それらの表示用ドット間の境界領域との間の表面の平坦性を確保でき、セルギャップのバラツキを軽減でき、コントラストの明瞭化を達成できるようになった。
【００４７】
（３２）また、上記構成の電気光学装置の製造方法において、下地層を形成する工程では、開口部の底部に下地層が除かれた領域が形成される。この構成によれば、下地層が除かれた分だけ、例えば遮光層の高さを低くでき、各表示用ドットとそれに隣り合うドット間領域との間の表面の平坦性を確保でき、セルギャップのバラツキ等を軽減できる。
【００４８】
（３３）また、上記構成の電気光学装置の製造方法において、下地層を形成する工程では、凹部の底部の下地層を他の領域の下地層よりも薄く形成することが望ましい。上記のように開口部の底部において下地層を完全に除いてしまうと、却って表示用ドットとそれに隣接する表示用ドット間領域との間の平坦性が損なわれる場合がある。この場合には、開口部というよりも、むしろ凹部を形成することにより、当該凹部の底部において下地層を所望の厚さで形成することが望ましく、これにより、表面の平坦性が確保でき、セルギャップのバラツキが軽減でき、ラビング処理も容易となる。
【００４９】
（３４）また、上記構成の電気光学装置の製造方法において、下地層を形成する工程は、基材上に第１絶縁層を形成する工程と、該第１絶縁層上で互いに隣り合う表示用ドット間の境界領域を除く領域に第２絶縁層を形成する工程とを有することが望ましい。この構成によれば、第１絶縁層の形成において凹部を形成しなくても、第２絶縁層の形成の際に凹部を形成できるので、第１絶縁層を形成する工程での製造工程の簡略化を図れる。
【００５０】
（３５）ここで、前記第１絶縁層及び前記第２絶縁層は樹脂材料を有することが望ましい。こうすれば、下地層に用いられた樹脂材料が光を散乱するので、表示を明るくすることができる。
【００５１】
（３６）また、上記構成の電気光学装置の製造方法において、反射層を形成する工程では、前記反射層がその一部に開口部を有するように当該反射層を形成することが望ましい。この構成によれば、反射型の電気光学装置だけでなく、半透過型電気光学装置においても各表示用ドットと隣り合う表示用ドット間の境界領域との表面の平坦性を確保でき、セルギャップのバラツキ等を軽減できることとなる。
【００５２】
（３７）また、上記構成の電気光学装置の製造方法において、遮光層を形成する工程では、前記遮光層の高さが前記下地層の高さと略同じになるように、当該遮光層を形成することが望ましい。こうすれば、遮光層と下地層の高さが基材に対して略同じになるので、各表示用ドットとそれに隣り合うドット間領域との間の表面の平坦性を確保でき、セルギャップのバラツキ等を軽減できる。
【００５３】
【発明の実施の形態】
（原理説明）
まず、本発明に係る電気光学装置用基板及びそれを用いた電気光学装置の原理を、液晶装置を例にとって説明する。図１（ａ）は、本発明を適用した液晶装置、特に反射型液晶装置を構成する基板の一例における数個の表示用ドット部分の断面構造を示している。
【００５４】
なお、一般的な液晶装置では、一対の基板をシール材によって間隙、いわゆるセルギャップが形成されるように貼り合わせ、さらに、そのセルギャップ内に液晶を封入して液晶層を形成する。図１（ａ）では、一対の基板のうち、反射層及び着色層が設けられる側の基板、いわゆるカラーフィルタ基板だけの、しかもそのカラーフィルタ基板のうちの数個の表示用ドット部分だけを示している。
【００５５】
図１（ａ）において、ガラス、プラスチック等から成る透光性の基材１上に、下地層としての樹脂散乱層４が形成され、その上にアルミニウム合金、銀合金等によって反射層２が形成され、さらにその上に着色層３ｒ、３ｇ、３ｂが形成される。着色層３ｒは赤色（Ｒ）を透過し、着色層３ｇは緑色（Ｇ）を透過し、着色層３ｂは青色（Ｂ）を透過する層であるとする。反射層２は、基材１の下方に配置される照明装置、いわゆるバックライト（図示せず）から照射される光を透過させるための開口部（すなわち、スリット）６を有している。
【００５６】
ところで、液晶装置では、一般に、液晶層を挟んで互いに対向する一対の電極が重なり合う面積部分によって、表示の最小単位となる表示用ドットが形成される。Ｒ，Ｇ，Ｂの３原色を用いてカラー表示を行う場合には、各色に対応する表示用ドットが３つ集まって１つの画素が形成される。また、白黒等といった単色表示を行う場合は、表示用ドットの１つが画素を形成する。図１（ａ）では表示用ドットが符号Ｄで示されている。互いに隣り合う表示用ドットＤの間の領域には、一般に、不要な光の透過を抑えて表示のコントラストを上げるための遮光層３ｋが設けられることが多い。
【００５７】
本発明において、樹脂散乱層４は、表示用ドットＤに対応する領域に設けられ、しかし、互いに隣り合う表示用ドットＤの間の領域には樹脂散乱層４が設けられない。すなわち、遮光層３ｋが形成されるべき領域には、樹脂散乱層４は設けられない。図１（ａ）の構造の場合、遮光層３ｋは、３ｒ，３ｇ，３ｂの３色の重ね合わせによって形成されている。この場合には、３つの着色層が重なるため、その部分の厚さは他の１色の着色層が設けられる領域に比べてかなり大きくなってしまう。
【００５８】
そこで、本発明では、遮光層３ｋが形成される領域、すなわち表示用ドットＤ以外の領域においては、反射層２の下に樹脂散乱層４を形成しないことにした。樹脂散乱層４は、反射層２による外光の反射光を適度に散乱させるために形成されるものであるが、遮光層３ｋが形成される領域では外光は遮光層３ｋによって吸収されてしまい、反射層２には到達しないので、樹脂散乱層４は無くても構わない。上記のように遮光層３ｋが形成される領域で樹脂散乱層４を形成しないことにすれば、その分の厚さが減少するので、遮光層３ｋの領域とその他の着色層の領域との間の厚さの差異を小さくでき、その結果、基板の表面の平坦性を向上できる。
【００５９】
図１（ａ）の場合は、３色の着色層材料３ｒ，３ｇ，３ｂの重ね合わせによって遮光層３ｋを形成したが、これに代えて、遮光層３ｋは、樹脂ブラックを用いて形成することもできる。樹脂ブラックを用いる場合の各層の厚さは、液晶装置の機種に依存するが、一般的には、樹脂散乱層４は２μｍ程度、着色層の厚さは１μｍ程度、そして、樹脂ブラックによる遮光層３ｋの厚さは１．０〜１．５μｍ程度である。よって、遮光層３ｋの領域に樹脂散乱層４を形成しないことにすれば、遮光層３ｋの厚さは２μｍ程度減少することになる。
【００６０】
比較のため、図１（ｂ）に、基材の全面に樹脂散乱層を形成した場合のカラーフィルタ基板の断面構造を示す。この基板では、基材１上の全面に樹脂散乱層４が形成され、開口部６を有する反射層２がその上に形成されている。そして、その上にさらに、Ｒ，Ｇ，Ｂ３色の着色層３ｒ，３ｇ，３ｂを重ねて形成することにより、遮光層３ｋが形成されている。このため、遮光層３ｋの領域は、単色の着色層が形成される領域に比べて、その厚さがかなり厚くなっている。
【００６１】
これに対し、図１（ａ）に示す本発明の場合は、遮光層３ｋの領域において樹脂散乱層４が形成されていないので、遮光層３ｋを構成する３つの着色層３ｒ，３ｇ，３ｂがその樹脂散乱層４の厚さ分だけ下方に形成されており、その結果、遮光層３ｋの領域の厚さが減少し、隣接する単色の着色層の領域に対する厚さの差異が小さく、又はほとんど無くなる。
【００６２】
図１（ａ）及び図１（ｂ）では、説明の便宜上、３色の着色層３ｒ，３ｇ，３ｂのそれぞれの厚さと反射層２の厚さを等しくし、樹脂散乱層４の厚さをそれらの２倍であると設定した。実際には、反射層２の層厚はそれほど大きくは無いのが一般的であり、また、着色層３ｒ，３ｇ，３ｂと樹脂散乱層４の層厚の関係も設計より変動するが、樹脂散乱層４を省略することにより、その分の厚さは減少するため、遮光層３ｋの領域の厚さは確実に減少できる。
【００６３】
次に、樹脂ブラック等を用いて樹脂型ブラックマトリクス、すなわち遮光層を形成する場合の例を図２（ａ）に示す。この例において、遮光層３ｋが樹脂ブラックの層として、Ｒ，Ｇ，Ｂの着色層とは別個に形成される点以外は図１（ａ）の場合と同様である。すなわち、基材１上に樹脂散乱層４が形成されるが、遮光層３ｋが形成される領域には樹脂散乱層４は形成されない。樹脂散乱層４の上には、開口部６を除く領域に反射層１が形成され、その上に各色の着色層３ｒ，３ｇ，３ｂが形成される。
【００６４】
比較例として、図２（ｂ）に、基材１の全面に樹脂散乱層４を形成した場合のカラーフィルタ基板の断面構造を示す。図示のように、遮光層３ｋの下にも樹脂散乱層４が形成されている結果、遮光層３ｋの領域は厚さが他の着色層３ｒ，３ｇ，３ｂの領域よりも厚くなっている。
【００６５】
これに対し、図２（ａ）に示す本発明の場合、遮光層３ｋの下には樹脂散乱層４を設けないため、その分の厚さが減少しており、結果的に遮光層３ｋの領域の厚さが減少している。なお、図２（ａ）においては、厚さが減少した結果、遮光層３ｋの領域がそれに隣接する着色層よりも引っ込んだ形状となっているが、これは遮光層３ｋの厚さや、各着色層３ｒ，３ｇ，３ｂの厚さや、反射層２の厚さを調整することにより、さらに平坦化することができる。
【００６６】
なお、本発明は、単一の着色層が形成される領域以外の領域、すなわち表示用ドットＤ以外の領域、すなわち遮光層３ｋが形成される領域において、樹脂散乱層４を省略することにより、カラーフィルタ基板の全体の厚さを、できるだけ平坦化することを特徴としているが、これにより、遮光層３ｋの領域とそれに隣接する各色の着色層の領域との間で、それらの厚さを完全に一致させることを意図するものではない。
【００６７】
実際には、各色の着色層、反射層、遮光層及び樹脂散乱層の厚さは、様々な要因に従って設定されるものであり、必ずしも、遮光層３ｋの領域と各色着色層の領域との間で厚さを一致させることができるとは限らない。しかし、一般に、遮光層３ｋの領域は各色着色層よりも厚いので、その部分の樹脂散乱層を省略すれば、遮光層３ｋの領域と着色層の領域との間の厚さの差が少なくなることは確実であり、本発明はそうすることにより、平坦性の高いカラーフィルタ基板を得ようとするものである。
【００６８】
（第１実施形態）
以下、図１（ａ）に示したカラーフィルタ基板を半透過反射型の液晶装置に適用した場合の実施形態について説明する。図３において、液晶装置１０Ａは、シール材１３によって貼り合わされた基板１１と基板１２とを有する。これらの基板１１及び１２は、例えばガラス、プラスチック等によって形成された基材１１’及び１２’の上に各種の層要素を形成することによって製造される。基板１１と基板１２との間には液晶が封入され、この液晶によって液晶層１４が形成されている。
【００６９】
また、基板１２の外面上には位相差板１５及び偏光板１６が順に配置され、一方、基板１１の外面上には位相差板１７及び偏光板１８が配置される。なお、偏光板１８の下方には、透過型表示を行う際に照明光を発する照明装置１９がバックライトとして配置される。基板１１と基板１２とを貼り合わせて成るパネル構造体は、表示の最小単位である表示用ドットＤを複数、有しており、それらの表示用ドットＤは矢印Ａ方向から見て、すなわち観察側から見て、マトリクス状に配列される。
【００７０】
基材１１’の上には、Ｒ，Ｇ，Ｂ各色の着色層を形成すべき領域、すなわち遮光層を形成すべき領域以外の領域、すなわち表示用ドットＤに対応する領域に、例えば、アクリル樹脂等により透明な樹脂散乱層２３が下地層として形成される。そして、その上に、反射層２１が形成される。よって、各色の着色層を形成すべき領域においては樹脂散乱層２３の上に反射層２１が形成され、遮光層を形成すべき領域においては基材１１’上に直接に反射層２１が形成される。なお、樹脂散乱層２３上において、反射層２１は、下方からの照明光を透過するための開口部２７を有する。
【００７１】
また、樹脂散乱層２３が形成された領域では、反射層２１上に各色の着色層２２ｒ，２２ｇ，２２ｂが形成される。一方、樹脂散乱層２３が形成されない領域には、Ｒ，Ｇ，Ｂ３色の着色層を重ね合わせることにより、遮光層２２ｋが形成される。そして、各色の着色層２２ｒ、２２ｇ、２２ｂ及び遮光層２２ｋの上には、それらの層を保護するための保護層２２ｐが形成される。これら着色層２２ｒ，２２ｇ，２２ｂ、遮光層２２ｋ、保護層２２ｐによってカラーフィルタ２２が形成される。さらに、カラーフィルタ２２の保護層２２ｐの表面上には透明電極２４が形成される。
【００７２】
このように、遮光層２２ｋが形成される領域は、３色の着色層が重ね合わせて配置されるが、その領域では樹脂散乱層２３が設けられていないので、各色の着色層の領域とは厚さにそれほど大きな差はなくなり、カラーフィルタ２２の平坦性を高めることができる。また、これにより、保護層２２ｐの厚さを薄くすることができ、その結果、液晶装置１０Ａ自体の厚さを減少させることができるという利点もある。
【００７３】
一方、基材１２’の内面上には透明電極２６が形成され、この透明電極２６は対向する基材１１上の透明電極２４と交差する位置関係になっている。なお、基板１１側の透明電極２４上及び基板１２側の透明電極２６上には、必要に応じて、配向膜その他の光学要素が設けられる。
【００７４】
次に、図３及び図４を参照してカラーフィルタ２２が設けられる基板１１側の構造について、より詳しく説明する。図３及び図４に示すように、本実施形態においては、カラーフィルタ２２の各色の着色層２２ｒ，２２ｇ，２２ｂに対応する領域に、厚さ５０ｎｍ〜２５０ｎｍ程度の反射層２１が形成されている。この反射層２１は、アルミニウム、アルミニウム合金、銀合金等の薄膜で形成できる。なお、図４の平面図においては、反射層２１は各色の着色層２２ｒ，２２ｇ，２２ｂ内において、開口部２７以外の領域に形成されている。
【００７５】
反射層２１の上には、例えば、原色のカラーフィルタの場合には、Ｒ（赤）の着色層２２ｒ、Ｇ（緑）の着色層２２ｇ、及びＢ（青）の着色層２２ｂが、それぞれ、０．５μｍ〜２．０μｍ程度の厚さで形成されている。これらの着色層は公知の配列、例えば、ストライプ配列、デルタ配列（すなわち、トライアングル配列）、ダイヤゴナル配列等といった配列で表示用ドットごとに配置されている。なお、図４に示す平面構造例には、ストライプ配列のカラーフィルタが示されている。
【００７６】
着色層２２ｒ，２２ｇ，２２ｂの上には、透明樹脂等から成る保護層２２ｐが形成される。この保護層２２ｐは、カラーフィルタ基板の製造工程中において着色層を薬剤等による腐食や汚染から保護すると共に、カラーフィルタ２２の表面を平坦化する。本実施形態では、保護層２２ｐを形成する前の段階において、各色の着色層２２ｒ，２２ｇ，２２ｂの領域の厚さと遮光層２２ｋの領域の厚さとの差が小さいため、薄い保護層２２ｐを形成するだけでカラーフィルタ２２の表面を平坦にすることができる。
【００７７】
カラーフィルタ２２の上には、ＩＴＯ（Ｉｎｄｉｕｍ　Ｔｉｎ　Ｏｘｉｄｅ）等といった透明導電体から成る透明電極２４が複数本、形成される。これらの透明電極２４は矢印Ａ方向から見て互いに平行に並べられ、全体としてストライプ状に形成さえている。また、これらの透明電極２４は、基材１２’上に同様にストライプ状に形成された透明電極２６に対して直交する方向に延び、透明電極２４と透明電極２６（図４に鎖線で示す）との交差領域内に含まれる液晶装置１０Ａの構成部分、すなわち反射層２１、カラーフィルタ２２、透明電極２４、液晶層１４及び透明電極２６における上記交差領域内の部分、が表示用ドットＤを構成する。
【００７８】
この液晶装置１０Ａにおいて反射型表示が行われる場合には、反射層２１が形成されている領域に入射した外部光は、図３に示す反射経路Ｒに沿って進行し、反射層２１で反射して観察者に視認される。一方、透過型表示が行われる場合は、照明装置１９から出射した照明光は反射層２１に設けた開口部２７を透過して経路Ｔに示すように進行し、観察者により視認される。
【００７９】
なお、本実施形態では、カラーフィルタ２２の各着色層２２ｒ，２２ｇ，２２ｂの配列は特定の配列に限定されない。すなわち、ストライプ配列、デルタ配列、ダイヤゴナル配列等といった各種の配列に設定できる。
【００８０】
次に、以上に記載した構成の液晶装置１０Ａの製造方法について説明する。まず、図３に示すような、樹脂散乱層２３、反射層２１及びカラーフィルタ２２を有する基板構造体の製造方法について図５を参照して説明する。
【００８１】
図５（ａ）において、基材１１’の表面上に樹脂散乱層２３を形成する。樹脂散乱層２３は、単一の着色層が形成されるべき領域、すなわち表示用ドットＤに対応する領域だけに形成される。言い換えれば、遮光層２２ｋが形成されるべき領域には樹脂散乱層２３は形成されない。
【００８２】
樹脂散乱層２３の形成方法としては、例えば、所定の膜厚のレジスト層をスピンコートによって形成した後、プリベークし、次に所定のパターンが形成されたフォトマスクを配置して露光及び現像を行うことにより、ガラス基板の表面に微細な凹凸形状を形成する。さらに、そうして基材１１’上に形成された凹凸を熱処理することにより、凹凸形状の角を熱で変形させて滑らかな形状の凹凸形状が形成される。なお、樹脂散乱層２３の形成方法としては、これ以外の方法を採用することも、もちろん可能である。
【００８３】
次に、アルミニウム、アルミニウム合金、銀合金等といった金属を蒸着法やスパッタリング法等によって薄膜状に成膜し、これを公知のフォトリソグラフィー法を用いてパターニングすることによって、図５（ｂ）に示すように、厚さ５０ｎｍ〜２５０ｎｍ程度の反射層２１を形成する。この際、反射層２１は、先に樹脂散乱層２３が形成された領域（つまり、各色の着色層に対応する領域）上及び樹脂散乱層２３が形成されていない領域（つまり、遮光層２２ｋに対応する領域）に形成されるが、樹脂散乱層２３上では開口部２７を除く領域に形成される（図４参照）。
【００８４】
次に、所定の色相を呈する顔料や染料等を分散させて成る着色された感光性樹脂（例えば、感光性レジスト）を塗布する。次に、所定パターンにて露光し、さらに現像することによってパターニングを行うことにより、厚さ０．５μｍ〜２．０μｍ程度の着色層２２ｒ，２２ｇ，２２ｂを順に形成する。３色の着色層２２ｒ，２２ｇ，２２ｂが形成されると、それら３層が重ね合わされた部分が遮光層２２ｋとなる。
【００８５】
なお、この着色層の形成工程においては、感光性樹脂としてレベリング性の高い素材を用い、これをスピンコーティング法等といった平坦性を得易い方法で塗布する。その結果、各着色層の表面は、表示用ドットＤ内においてほとんど平坦に形成される。
【００８６】
このように、本発明の液晶装置１０Ａでは、遮光層２２ｋの領域に樹脂散乱層２３を形成しないので、その分遮光層２２ｋの全体の厚さが減少し、それに隣接する各色の着色層領域に対する厚さの差が小さくなる。よって、カラーフィルタ２２の平坦性を向上できる。
【００８７】
次に、こうして得られたカラーフィルタ基板を用いて、図３に示す液晶装置１０Ａを製造する方法について図６を参照して説明する。図６は、液晶装置１０Ａの製造工程を示す流れ図である。
【００８８】
まず、工程Ｐ１において、樹脂散乱層２３、反射層２１及びカラーフィルタ２２を有するカラーフィルタ基板を製造する。次に、工程Ｐ２において、カラーフィルタ基板のカラーフィルタ２２上に透明導電体をスパッタリング法によって被着し、公知のフォトリソグラフィー法によってパターニングすることにより、透明電極２４を形成する。次に、工程Ｐ３において、透明電極２４上にポリイミド樹脂等から成る配向膜を形成し、さらにその配向膜に対してラビング処理等を施す。これにより、基板１１が形成される。
【００８９】
一方、対向する基板１２を製造するために、工程Ｐ４において、基材１２’に透明電極２６を形成する。さらに、工程Ｐ５において、透明電極２６上に配向膜を形成し、さらに、その配向膜にラビング処理を施す。これにより、基板１２が形成される。
【００９０】
その後、工程Ｐ６において、基板１１と基板１２とをシール材１３によって貼り合わせてパネル構造を形成する。基板１１と基板１２とは、基板間に分散配置された図示しないスペーサによって規定の基板間隔となるように貼り合わされる。
【００９１】
その後、工程Ｐ７において、液晶層１４を形成するための液晶をシール材１３の開口部（図示せず）から注入し、その注入後、シール材１３の開口部を紫外線硬化樹脂等といった封止材によって封止する。こうして主要なパネル構造が完成した後に、工程Ｐ８において、上記の位相差板や偏光板等を必要に応じてパネル構造の外面上に貼着等といった固着方法によって取り付ける。これにより、図３に示す液晶装置１０Ａが完成する。
【００９２】
（第２実施形態）
次に、本発明の他の実施形態を説明する。この実施形態は、図２（ａ）に示すように、遮光層として樹脂ブラックを利用するカラーフィルタ基板を半透過反射が他の液晶装置に適用した例であり、その断面構造を図７に示す。
【００９３】
図７において、液晶装置１０Ｂは、シール材３３によって貼り合わされた基板３１と基板３２とを有する。これらの基板３１及び３２は、例えばガラス、プラスチック等によって形成された基材３１’及び３２’の上に各種の層要素を形成することによって製造される。基板３１と基板３２との間には液晶が封入され、この液晶によって液晶層３４が形成されている。
【００９４】
基板３２の外面上には、位相差板３５及び偏光板３６が順に設けられる。また、基板３１の外面上には、位相差板３７及び偏光板３８が順に設けられる。なお、偏光板３８の下方には、照明光を発する照明装置３９がバックライトとして設けられる。基板１１と基板１２とを貼り合わせて成るパネル構造体は、表示の最小単位である表示用ドットＤを複数、有しており、それらの表示用ドットＤは矢印Ａ方向から見て、すなわち観察側から見て、マトリクス状に配列される。
【００９５】
基材３１’の上には、Ｒ，Ｇ，Ｂ各色の着色層を形成すべき領域、すなわち遮光層を形成すべき領域以外の領域、すなわち表示用ドットＤに対応する領域に、例えば、アクリル樹脂等により透明な樹脂散乱層４３が下地層として形成される。そして、その上に、反射層４１が形成される。よって、各色の着色層を形成すべき領域においては樹脂散乱層４３の上に反射層４１が形成され、遮光層を形成すべき領域においては基材３１’上に直接に反射層４１が形成される。なお、樹脂散乱層４３上において、反射層４１は、下方からの照明光を透過するための開口部４７を有する。
【００９６】
また、樹脂散乱層４３が形成された領域では、反射層４１上に各色の着色層４２ｒ，４２ｇ，４２ｂが形成される。一方、樹脂散乱層４３が形成されない領域には、樹脂ブラック等を利用して遮光層４２ｋが形成される。そして、各色の着色層４２ｒ、４２ｇ、４２ｂ及び遮光層４２ｋの上には、それらの層を保護するための保護層４２ｐが形成される。これら着色層４２ｒ，４２ｇ，４２ｂ、遮光層４２ｋ、保護層４２ｐによってカラーフィルタ４２が形成される。さらに、カラーフィルタ４２の保護層４２ｐの表面上には透明電極４４が形成される。
【００９７】
このように、遮光層４２ｋが形成される領域には樹脂散乱層４３が設けられていないので、各色の着色層の領域とは厚さにそれほど大きな差はなくなり、カラーフィルタ４２の平坦性を高めることができる。また、これにより、保護層４２ｐの厚さを薄くすることができ、その結果、液晶装置１０Ｂ自体の厚さを減少させることができるという利点もある。
【００９８】
一方、基材３２’の内面上には透明電極４６が形成され、この透明電極４６は対向する基材３１’上の透明電極４４と交差する位置関係になっている。なお、基板３１側の透明電極４４上及び基板３２側の透明電極４６上には、必要に応じて、配向膜その他の光学要素が設けられる。
【００９９】
なお、図７の液晶装置１０Ｂの平面構造は、図４に示した液晶装置１０Ａと基本的に同じであるので、その説明は省略する。また、本実施形態においても、カラーフィルタの各着色層の配列は特定の配列には限られない。すなわち、ストライプ配列、デルタ配列、ダイヤゴナル配列等といった各種の配列とすることができる。
【０１００】
次に、以上に記載した液晶装置１０Ｂの製造方法について説明する。まず、図７に示すような、樹脂散乱層４３、反射層４１及びカラーフィルタ４２を有する基板構造体の製造方法について図８を参照して説明する。
【０１０１】
図８（ａ）において、基材３１’の表面上に樹脂散乱層４３を形成する。樹脂散乱層４３は、単一の着色層が形成されるべき領域、すなわち表示用ドットＤに対応する領域だけに形成される。言い換えれば、遮光層４２ｋが形成されるべき領域には樹脂散乱層４３は形成されない。なお、樹脂散乱層４３の形成方法は、図５に示した実施形態の場合と同様である。
【０１０２】
次に、アルミニウム、アルミニウム合金、銀合金等といった金属を蒸着法やスパッタリング法等によって薄膜状に成膜し、これを公知のフォトリソグラフィー法を用いてパターニングすることによって、図８（ｂ）に示すように、厚さ５０ｎｍ〜２５０ｎｍ程度の反射層４１を形成する。この際、反射層４１は、先に樹脂散乱層４３が形成された領域（つまり、各色の着色層に対応する領域）上及び樹脂散乱層４３が形成されていない領域（つまり、遮光層４２ｋに対応する領域）に形成されるが、樹脂散乱層４３上では開口部４７を除く領域に形成される（図４参照）。
【０１０３】
次に、所定の色相を呈する顔料や染料等を分散させて成る着色された感光性樹脂（例えば、感光性レジスト）を塗布する。次に、所定パターンにて露光し、さらに現像することによってパターニングを行うことにより、図８（ｃ）に示すように、厚さ０．５μｍ〜２．０μｍ程度の着色層４２ｒ，４２ｇ，４２ｂを順に形成する。次に、樹脂ブラック等を利用して、図８（ｄ）に示すように、遮光層４２ｋを形成する。次に、その上に保護層４２ｐが形成される。
【０１０４】
このように、本実施形態の液晶装置１０Ｂでは、遮光層４２ｋの領域に樹脂散乱層４３を形成しないので、その分、遮光層４２ｋの全体の厚さが減少し、それに隣接する各色の着色層領域に対する厚さの差が小さくなる。よって、カラーフィルタ４２の平坦性を向上できる。
【０１０５】
以上のようして得られたカラーフィルタ基板を用いて、図７に示す液晶装置１０Ｂを製造する方法は、図６を参照して説明した実施形態の場合と同様であるので、その説明は省略する。
【０１０６】
（第３実施形態）
次に、本発明を反射半透過型のパッシブマトリックス方式の液晶装置に適用した場合の実施形態について説明する。図９はその液晶装置の断面図である。図１０はその液晶装置を構成する液晶パネルの断面図である。図１１は図１０の液晶パネルを構成する液晶装置用基板であるカラーフィルタ基板の断面図である。図１２は該液晶パネルの部分拡大図である。図１２におけるＡ−Ａ’線の断面図が図１０に相当する。図１３は下地層が完全に取り除かれた遮光層の部分断面拡大図である。図１４は下地層が一部分だけ取り除かれた遮光層の部分断面拡大図である。そして、図１５は本実施形態に係る液晶装置の製造方法の一実施形態を示す工程図である。
【０１０７】
液晶装置１０１は、いわゆる反射半透過型の構造を有する液晶パネル１０２と、必要に応じて設けられる照明装置１３１と、液晶パネル１０２及び照明装置１３１を支持するケース体１３２とを有する。
【０１０８】
液晶パネル１０２は、図１０に示すようにガラス板又は合成樹脂板等から形成された透明な第１基材１０３を基体とするカラーフィルタ基板６０４と、これに対向する第２基材１０５を基体とする対向基板６０６とがシール材１３３（図９参照）を介して貼り合わせられ、そのカラーフィルタ基板６０４と対向基板６０６との間に液晶が封入されて液晶層６０７が形成されている。また、第１基材１０３の外面には位相差板１０８及び偏光板１０９が配置され、第２基材１０５の外面には位相差板１１０及び偏光板１１１が配置されている。
【０１０９】
カラーフィルタ基板６０４に関しては、図１０、図１１及び図１２に示すように、第１基材１０３の液晶層６０７側の表面には下地層１１２が形成され、その下地層１１２の表面に反射層１１３が設けられる。また、下地層１１２の表面に反射層１１３が設けられた部分は反射部１２５を構成し、反射層１１３に形成された開口部１２２によって透過部が構成される。
【０１１０】
反射層１１３の上には、緑色の着色層１１４Ｇ、青色の着色層１１４Ｂ及び赤色の着色層１１４Ｒが所定の配列パターンで形成される。これらの着色層に関しては、これ以降の説明において、総称的に符号“１１４”で示されることがある。互いに隣り合う着色層１１４の間の境界領域には遮光層１１５が設けられる。また、着色層１１４及び遮光層１１５の上には、それらの層を保護するオーバーコート層１１６が設けられる。また、オーバーコート層１１６の上にはＩＴＯ（Ｉｎｄｉｕｍ　Ｔｉｎ　Ｏｘｉｄｅ：インジウムスズ酸化物）等といった透明導電体から成る透明電極１１７が形成され、さらにその上にポリイミド樹脂等から成る配向膜１１８が形成されている。
【０１１１】
一方、対向基板６０６には、図１０及び図１２に示すように、第２基材１０５の液晶層６０７側の表面に、透明電極１１９が第１基材１０３側の透明電極１１７と直交する方向（すなわち、図１２のＸ方向）に延びる帯状に形成され、さらにその上には配向膜１２０が形成されている。透明電極１１７は相互に並列して、Ａ方向から見てストライプ状に構成されており、透明電極１１９はこれと直交する方向に相互に並列して、矢印Ａ方向から見てストライプ状に構成されている。第１基材１０３側の透明電極１１７と第２基材１０５側の透明電極１１９とが平面的に重なる部分が、表示の最小単位である表示用ドットＤを構成する。
【０１１２】
カラーフィルタ基板６０４の下地層１１２は樹脂材料から成り、図１３に示すように下層１１２ａ及び上層１１２ｂの２層で形成される。この下地層１１２は、下層１１２ａの表面が細かい凹凸状に加工され、さらにこの下層１１２ａの表面全体に同じ材料の薄い上層１１２ｂが被覆される。これにより、下地層１１２の表面に滑らかな凹凸状が形成される。また、この下地層１１２は、透過光を散乱させるものであり、これにより、表示された画面の像が見難くなるという問題が解消できる。
【０１１３】
また、反射層１１３は、例えばアルミニウムや銀等の単体金属膜であって下地層１１２上に形成されており、下地層１１２の表面の凹凸に対応して反射層１１３の表面にも細かい凹凸が形成されている。これにより、反射層１１３によって反射された反射光も散乱させることができ、表示された画面の像が見難くなるという問題が解消できる。
【０１１４】
反射層１１３には、例えば図１２に示すように、表示用ドットＤのほぼ中央に略長方形の開口部１２２が形成されており、この開口部１２２が光を透過するための透過部となる。図９の照明装置１３１から出射する面状の光は、この開口部１２２を透過して液晶層６０７へ供給される。なお、開口部１２２は、この例の形に限られるものでなく、その他の形状、例えば円孔にすることができる。また、開口部１２２の数は、１つに限られず、複数とすることもできる。
【０１１５】
図１０において、着色層１１４は、例えば、顔料又は染料等の着色剤を含む感光性樹脂から成る着色レジストを塗布し、これをフォトリソグラフィ法等によってパターニングすることによって形成される。このパターニングにより、第１基材１０３を通過した照明装置１３１からの光を透過するための開口部１２２と、この開口部１２２の周りの反射層１１３を覆う部分が形成される。本実施形態のように、Ｒ，Ｇ，Ｂの３色の着色層１１４を設ける場合には、上記のパターニング処理が各色について順々に行われる。
【０１１６】
着色層１１４の配列パターンとして、図１２では斜めモザイク配列を採用しているが、この斜めモザイク配列の他に、ストライプ配列又はデジタル配列等といった種々のパターン形状を採用することができる。
【０１１７】
図１０において、遮光層１１５は、各表示用ドットＤの間の境界領域に形成され、その境界領域を遮光する。この遮光層１１５は、第１基材１０３上の透明電極１１７の長手方向（すなわち、図１２のＹ方向）及びこれに直交する方向（すなわち、図１２のＸ方向）の両方向のそれぞれに帯状に延びるように形成されている。
【０１１８】
また、遮光層１１５は、例えば金属クロム、カーボン、チタン等をフォトレジストに分散して形成した樹脂ブラックや、ニッケル等といった金属材料等によって形成される。この遮光層１１５は、ブラックマトリクス、ブラックマスク等と呼ばれることもある。
【０１１９】
また、遮光層１１５は、図１３に示すように、互いに隣り合う表示用ドットＤの間の境界領域に対応する下地層１１２に設けられた開口部１２３の中に形成される。そして、この遮光層１１５の第１基材１０３の液晶層６０７側の面からの高さは、当該遮光層１１５に隣り合う着色層１１４の表面と当該遮光層１１５の表面とが略一致するような高さに設定される。
【０１２０】
例えば、図１３において、（１）互いに隣り合う着色層１１４の厚さをｈ１１とし、反射層１１３の厚さをｈ１２とし、下地層１１２の厚さをｈ１３とするとき、（２）遮光層１１５の厚さｈ１４と反射層１１３の厚さｈ１２との和が、ｈ１１、ｈ１２及びｈ１３の合計と略等しくなるように形成すれば、各表示用ドットＤの表面と遮光層１１５の表面との間の平坦性が確保され、これにより、セルギャップのバラツキを低減でき、また、ラビング処理が容易となる。そしてその結果、液晶装置における画面表示のコントラストが良くなる。
【０１２１】
遮光層１１５が収容されることになる下地層１１２の窪みは、図１３のような開口部１２３に限られず、図１４に示すような凹部１２３とすることができる。この場合、凹部１２３の底部１２４に対応する下地層１１２は完全には除かれていない。この場合でも、遮光層１１５は、凹部１２３の深さだけその高さが低くなる。
【０１２２】
例えば、図１４において、凹部１２３の底部１２４に対応する下地層１１２の厚さをｈ１５とすると、遮光層１１５の厚さｈ１４と反射層の厚さｈ１２との和を、着色層１１４の厚さｈ１１と、反射層の厚さｈ１２と、下地層１１２の厚さｈ１３との合計に略等しくなるように、遮光層１１５を形成することにより、各表示用ドットＤの表面と遮光層１１５の表面との間の平坦性が確保され、これにより、セルギャップのバラツキを低減でき、また、ラビング処理が容易となる。そしてその結果、液晶装置の画面表示のコントラストが良くなる。
【０１２３】
なお、表示用ドットＤは、遮光層１１５によってその周囲が囲まれる領域であって、その表示用ドットＤの内部には、Ｒ，Ｇ，Ｂのいずれか１色の着色層１１４が含まれ、さらに、反射層１１３及び開口部１２２が含まれる。１画素は、Ｒ，Ｇ，Ｂの各色の着色層１１４を含む３つの表示用ドットＤによって構成される。
【０１２４】
以上のように構成された本実施形態において、図９において、第２基材１０５に形成された透明電極１１９に走査信号又はデータ信号の一方を供給すると共に、第１基材１０３側に形成された透明電極１１７に走査信号又はデータ信号の他方を供給すると、透明電極１１９と透明電極１１７とが交差する領域に形成された表示用ドットＤに保持された液晶のみを駆動することができる。
【０１２５】
反射型の表示を考えるとき、図１０において、対向基板６０６側から液晶層６０７に入射した外部光は、着色層１１４を透過した後に反射層１１３で反射し、液晶層６０７によって表示用ドットＤ毎に変調され、再び対向基板６０６を透過して外部へ出射する。この際、本実施形態ではオーバーコート層１１６が平坦なので、対向基板６０６の外部へ出射した光により、コントラストの明瞭な画像を見ることができる。
【０１２６】
他方、透過型の表示を考えると、照明装置１３１（図９参照）から出射した光が第１基材１０３及び透過部１２２を通過して液晶層６０７へ入射する。この光は、その後、液晶層６０７によって表示用ドットＤ毎に変調されて、透明電極１１９及び第２基材１０５を通過して外部へ出射する。この出射光により、コントラストの明瞭な画像を見ることができる。さらにこの出射光は、反射層１１３及び透過部１２２を覆っている着色層１１４によって、対応する色に着色される。本実施形態では、互いに隣り合う表示用ドットＤの間の境界領域に開口部１２３（図１３）又は凹部１２３（図１４）等といった窪みを有するように下地層１１２を形成したので、遮光層１１５の高さをその窪み分だけ低くでき、それ故、各表示用ドットＤの表面とそれに隣り合うドット間領域の表面との間の平坦性を確保できる。
【０１２７】
なお、図１４に示すように、凹部１２３の底部１２４に対応する下地層１１２が完全に取り除かれていない場合は、下地層１１２が、第１絶縁層１１２ａと該第１絶縁層１１２ａ上に凹部１２３を有するように設けられた第２絶縁層１１２ｂとによって形成できる。この場合においても、オーバーコート層１１６の上面の凹凸を低減でき、それ故、セルギャップのバラツキを低減でき、さらにラビング処理を容易に行えるようにできる。そしてその結果、液晶装置における表示画面のコントラストを向上できる。
【０１２８】
（液晶装置の製造方法）
次に、本実施形態に係る液晶装置の製造方法について図１５の工程図に基づいて説明する。まず、図１５の工程Ｐ１において、第１基材１０３上に樹脂散乱層としての下地層１１２を形成する。ここで、遮光層１１５を形成するための、表示用ドットＤの間の境界領域では、例えば、図１３のように下地層１１２に開口部１２３が形成されるように、又は図１４のように下地層１１２に凹部１２３が形成されるように、フォトレジストを用いて下地層１１２をエッチングによってパターニングする。
【０１２９】
これについてもう少し詳しく説明すると、第１基材１０３上に樹脂材料をスピンコートにより均一に塗布し、さらにその上にレジストを塗布し、さらに所定のパターンが形成されているフォトマスクの上から露光し、さらにレジストを現像処理する。この後、エッチングにより、下地層１１２に複数の穴を形成する。
【０１３０】
次に、この下地層１１２に対し熱を加えることにより、これらの穴を滑らかに変形させて凹凸状の下地層１１２の下層１１２ａが形成される。さらに、この下地層１１２の凹凸状が滑面になるように同じく樹脂材料を薄く塗布し、下地層１１２の上層１１２ｂが形成される。
【０１３１】
さらに、その下地層１１２上にレジストを塗布し、その後、所定のパターンが形成されているフォトマスクの上から露光してレジストを現像処理する。その後、エッチングにより、遮光層１１５を形成する部分の下地層１１２の所に凹部１２３を形成する。
【０１３２】
次に、工程Ｐ２において、下地層１１２上に蒸着法やスパッタリング法等によってアルミニウム等を薄膜状に成膜し、これをフォトリソグラフィ法を用いてパターニングすることにより、例えば図１２のように各表示用ドットＤの略中央に略長方形状の開口部１２２を設けると共に、それ以外の領域に反射層１１３を形成する。
【０１３３】
次に、工程Ｐ３において、凹部１２３が形成された下地層１１２上に反射層１１３の上から遮光材を塗布する。この遮光材は、例えば、カーボンブラック等を樹脂中に分散させることによって形成される。次に、写真蝕刻技術によってパターン化加工し、下地層１１２の凹部１２３に遮光層１１５を形成する。
【０１３４】
次に、工程Ｐ４において、反射層１１３及び開口部１２２の上に各色の着色材料をスピンコートにより塗布し、さらにその上にレジストを塗布し、さらに所定のパターンが形成されたフォトマスクの上から露光し、さらにレジストを現像処理し、さらにエッチングして着色層１１４を形成する。このような一連の処理は、Ｒ，Ｇ，Ｂの各色について順々に行われ、これにより、Ｒ，Ｇ，Ｂの各色の着色層が希望の配列パターンで形成される。
【０１３５】
次に、工程Ｐ５において、着色層１１４の上にオーバーコート層１１６を形成する。本実施形態では、下地層１１２の凹部１２３の所に遮光層１１５が形成されるので、その凹部１２３の深さ分だけ遮光層１１５の高さを低くできる。このため、本工程においてオーバーコート層１１６を形成したとき、そのオーバーコート層１１６の表面を平坦に形成できる。このため、セルギャップのバラツキを低減でき、さらにラビング処理を容易に行えるようにできる。そしてその結果、液晶装置の表示においてコントラストの明瞭化を達成できる。
【０１３６】
次に、工程Ｐ６において、オーバーコート層１１６の上に透明電極１１７の材料であるＩＴＯ等をスパッタリング法により被着し、フォトリソグラフィ法によってパターニングして図１２のようにＹ方向に所定の幅を持って電極１１７をストライプ状に形成する。
【０１３７】
次に、工程Ｐ７において、電極１１７の上に配向膜１１８を形成し、ラビング処理を施してカラーフィルタ基板６０４の製造が終了する。これにより、配向膜１１８の液晶層６０７側の面も平坦性が確保され、セルギャップのバラツキも解消でき、画面の高画質化が図られることとなる。
【０１３８】
他方、図１０の対向基板６０６に関して、図１５の工程Ｐ１１において、第２基材１０５上に透明電極１１９の材料であるＩＴＯ等をスパッタリング法により被着し、フォトリソグラフィ法によってパターニングして図１２のようにＸ方向にストライプ状に、透明電極１１９を形成する。次に、工程Ｐ１２において、電極１１９の上に配向膜１２０を形成し、さらにラビング処理を施す。これにより、対向基板６０６が製造される。
【０１３９】
次に、工程Ｐ２１において、対向基板６０６上にギャップ材１２９（図９参照）をドライ散布等により散布し、シール材１３３によってカラーフィルタ基板６０４と対向基板６０６とを貼り合わせる。その後、工程Ｐ２２において、シール材１３３の開口部から液晶を注入し、その注入の完了後、その開口部を紫外線硬化性樹脂等から成る封止材によって封止する。
【０１４０】
次に、工程Ｐ２３において、位相差板１０８，１１０及び偏光板１０９，１１１を、それぞれ、第１基材１０３及び第２基材１０５の外面上に貼着等の方法により取り付ける。次に、工程Ｐ２４において、必要な配線を行ったり、照明装置１３１及びケース体１３２等を取り付けて、図９に示すような液晶装置１０１が完成する。
【０１４１】
本実施形態に係る液晶装置１０１の製造方法では、図１３において、下地層１１２に開口部１２３が形成され、該開口部１２３を埋めるように遮光層１１５を設けるので、該遮光層１１５の高さを低くでき、オーバーコート層１１６の表面の平坦性を確保できる。これにより、セルギャップのバラツキを低減でき、さらにラビング処理を行い易くでき、その結果、液晶装置の表示においてコントラストの明瞭化を達成できる。
【０１４２】
なお、図１３では、下地層１１２に開口部１２３を設けることにより、遮光層１１５となる領域で下地層１１２を全て取り除いたが、これに代えて、図１４に示すように、下地層１１２を第１絶縁層１１２ａ及び第２絶縁層１１２ｂの２回に分けて形成し、第２絶縁層１１２ｂの厚み分だけの凹部１２３を設けてもよい。
【０１４３】
この場合には、例えば、次のような方法を採ることができる。すなわち、１回目の処理では、遮光層１１５となる領域である表示用ドットＤの間の境界領域を含めて、基材１０３の全面に第１絶縁層１１２ａを形成し、図１３における下地層１１２の下層１１２ａと同様に凹凸を形成する。そして、２回目の第２絶縁層１１２ｂの形成に際しては、遮光層１１５となる表示用ドットＤの間の境界領域を除いて、各表示用ドットＤにフォトレジストを用いてエッチングによって第２絶縁層１１２ｂを形成する。
【０１４４】
下地層１１２を図１３のように開口部１２３の所で完全に除いてしまうと、却って、互いに隣り合う表示用ドットＤ間の境界領域の表面と表示用ドットＤの表面との間の平坦性が損なわれる場合がある。このような場合には、図１４に示す凹部１２３を用いた構成を採用することにより、下地層１１２を希望の厚さで形成して平坦性を確保でき、セルギャップのバラツキを少なくできる他、ラビング処理も容易にできるようにできる。
【０１４５】
さらに、ハーフトーンを用いて凹部１２３を形成することも可能である。
【０１４６】
（第４実施形態）
次に、スイッチング素子として二端子型スイッチング素子であるＴＦＤ（ＴｈｉｎＦｉｌｍ　Ｄｉｏｄｅ）を用いた反射半透過型の液晶装置に本発明を適用した場合の実施形態について説明する。
【０１４７】
図１６は、本発明に係る液晶装置の他の実施形態を構成する液晶パネルの断面図である。図１７は、図１６の液晶パネルを構成する液晶装置用基板の断面図である。図１８は、該液晶パネルの部分拡大図である。なお、図１８におけるＢ−Ｂ’線及びＣ−Ｃ’の断面図が図１６に相当する。図１９は、樹脂散乱層が完全に取り除かれた状態の遮光層の部分断面拡大図である。図２０は、樹脂散乱層が一部分だけ取り除かれた状態の遮光層の部分断面拡大図である。そして、図２１は、本実施形態に係る液晶装置の製造方法についての製造工程図である。
【０１４８】
図１６に示す液晶パネル２０２は、いわゆる反射半透過型の構造を有する液晶パネルであり、この液晶パネル２０２を用いて構成される液晶装置の構造は、図９に示した液晶装置１０１と略同じである。つまり、液晶パネル２０２に、必要に応じて照明装置１３１及びケース体１３２を付設することにより、液晶装置が構成される。
【０１４９】
図１６において、液晶パネル２０２は、シール材１３３（図９参照）によって貼り合わされた第１基材２０３及び第２基材２０５を有する。これらの基材間には液晶が封入されて液晶層２０７が形成されている。また、第１基材２０３の外面には位相差板２０８及び偏光板２０９が配置され、第２基材２０５の外面には位相差板２１０及び偏光板２１１が配置される。
【０１５０】
第１基材２０３の液晶層２０７側の表面には下地層２１２が形成され、その下地層２１２の表面に反射層２１３が設けられる。また、下地層２１２の表面に反射層２１３が設けられた部分は反射部２２５を構成し、反射層２１３に形成された開口部２２２によって透過部が構成される。
【０１５１】
反射層２１３の上には、図１７に示すように、緑色の着色層２１４Ｇ、青色の着色層２１４Ｂ及び赤色の着色層２１４Ｒが所定の配列パターンで形成される。これらの着色層に関しては、これ以降の説明において、総称的に符号“２１４”で示されることがある。互いに隣り合う着色層２１４の間の境界領域には遮光層７１５が設けられる。
【０１５２】
また、着色層２１４及び遮光層７１５の上には、それらの層を保護するオーバーコート層２１６が設けられる。また、オーバーコート層１１６の上にはＩＴＯ（Ｉｎｄｉｕｍ　Ｔｉｎ　Ｏｘｉｄｅ：インジウムスズ酸化物）等といった透明導電体から成るデータ線２２６が形成され、さらにその上にポリイミド樹脂等から成る配向膜２１８が形成されている。
【０１５３】
また、第２基材２０５の液晶層２０７側の表面には、矢印Ａ方向から見てマトリクス状に配列する複数のドット電極２２７と、各ドット電極２２７の間の境界領域に設けられた複数の走査線２２８と、ドット電極２２７及び走査線２２８に接続されたＴＦＤ７２９とが配置される。また、それらの上に配向膜２２０が形成される。なお、走査線２２８は、各ドット電極２２７間の境界領域において、第１基材２０３側のデータ線２２６と交差する方向（すなわち、図１８のＹ方向）へ帯状に延びている。
【０１５４】
ここで、複数のデータ線２２６は、それぞれ、図１６の紙面垂直方向（すなわち、図１８のＸ方向）へ帯状に延びように形成され、また、図１６の左右方向へ所定間隔で相互に平行に並べられることにより、矢印Ａ方向から見て全体としてストライプ状に形成されている。これらのデータ線２２６とドット電極２２７とが矢印Ａ方向から見て平面的に重なる領域が表示用ドットＤとなる。
【０１５５】
図１６において、カラーフィルタ基板２０４の下地層２１２は樹脂材料からなり、さらに、下層２１２ａ及び上層２１２ｂの２層で形成される。この下地層２１２は、下層２１２ａの表面が細かい凹凸状に加工され、さらにこの下層２１２ａの表面全体が同じ材料の薄い上層２１２ｂで被覆される。これにより、下地層２１２の表面は滑らかな凹凸状に形成される。また、この凹凸形状により、下地層２１２を透過する光は散乱し、これにより、液晶装置の表示画面に表示された像が見難くなるという問題を解消できる。
【０１５６】
反射層２１３は、例えばアルミニウムや銀等の単体金属膜であって下地層２１２の上面に形成されており、下地層２１２の表面の凹凸に応じて反射層２１３の表面にも細かい凹凸が形成されている。これにより、反射層２１３によって反射された光も散乱させることができ、これにより、液晶装置の表示画面に表示された像が見難くなるという問題を解消できる。
【０１５７】
さらに、反射層２１３には、例えば図１８に示すように表示用ドットＤのほぼ中央に略長方形の開口部２２２が形成されており、この開口部２２２が透過部となる。照明装置１３１（図９参照）から出射した光は、この開口部２２２を透過して液晶層２０７へ供給される。なお、開口部２２２はこの例の形に限られるものでなくその他の形状、例えば円孔とすることができる。また、１つの表示用ドットＤ内における開口部２２２の数は、１つに限られず、複数とすることもできる。
【０１５８】
着色層２１４は、例えば、顔料又は染料等の着色剤を含む感光性樹脂から成る着色レジストを塗布し、これをフォトリソグラフィ法等によってパターニングすることによって形成される。このパターニングにより、第１基材２０３を通過した照明装置１３１からの光を透過するための開口部２２２と、この開口部２２２の周りの反射層２１３を覆う部分が形成される。本実施形態のように、Ｒ，Ｇ，Ｂの３色の着色層２１４を設ける場合には、上記のパターニング処理が各色について順々に行われる。
【０１５９】
遮光層２１５は、各表示用ドットＤの間の境界領域に形成され、その境界領域を遮光する。この遮光層２１５は、第２基材２０５上の走査線２２８の長手方向（すなわち、図１８のＹ方向）及びこれに直交する方向（すなわち、図１８のＸ方向）の両方向のそれぞれに帯状に延びるように形成されている。
【０１６０】
また、遮光層２１５は、図１９に示すように、互いに隣り合う表示用ドットＤの間の境界領域に対応する下地層２１２に設けられた開口部２２３の中に形成される。開口部２２３の底部２２４は、第１基材２０３の上に反射層２１３を介して形成されている。遮光層２１５は、隣接する着色層２１４と略同じの高さとなるように開口部２２３の反射層２１３上に設けられている。
【０１６１】
例えば、図１９において、互いに隣り合う着色層２１４の厚さをｈ２１とし、反射層２１３の厚さをｈ２２とし、下地層２１２の厚さをｈ２３とするとき、遮光層２１５の厚さｈ２４と反射層２１３の厚さｈ２２との和を、ｈ２１、ｈ２２及びｈ２３の合計と略等しくなるように形成すれば、各表示用ドットＤの表面と遮光層２１５の表面との間の平坦性が確保され、これにより、セルギャップのバラツキを低減でき、また、ラビング処理が容易となる。そしてその結果、液晶装置における画面表示のコントラストが良くなる。
【０１６２】
遮光層２１５が収容されることになる下地層２１２の窪みは、図１９のような開口部２２３に限られず、図２０に示すような凹部２２３とすることができる。この場合、凹部２２３の底部２２４に対応する下地層２１２は完全には除かれていない。この場合でも、遮光層２１５は、凹部２２３の深さだけその高さが低くなる。
【０１６３】
例えば、図２０において、凹部２２３の底部２２４に対応する下地層２１２の厚さをｈ２５とすると、遮光層２１５の厚さｈ２４と反射層の厚さｈ２２との和を、着色層２１４の厚さｈ２１と、反射層の厚さｈ２２と、下地層２１２の厚さｈ２３との合計に略等しくなるように、遮光層２１５を形成することにより、各表示用ドットＤの表面と遮光層２１５の表面との間の平坦性が確保され、これにより、セルギャップのバラツキを低減でき、ラビング処理が容易となる。そしてその結果、液晶装置の画面表示のコントラストが良くなる。
【０１６４】
なお、表示用ドットＤは、遮光層２１５によってその周囲を囲まれる領域であって、その表示用ドットＤの内部には、Ｒ，Ｇ，Ｂのいずれか１色の着色層２１４が含まれ、さらに、反射層２１３及び開口部２２２が含まれる。１画素は、Ｒ，Ｇ，Ｂの各色の着色層２１４を含む３つの表示用ドットＤによって構成される。
【０１６５】
次に、ドット電極２２７は、例えばＩＴＯ等といった透明導電体により形成されており、このドット電極２２７はＴＦＤ７２９を介して走査線２２８に接続されている。ＴＦＤ７２９は、図１６に示すように、第２基材２０５の表面に成膜された下地層２３０の上に形成されている。また、ＴＦＤ７２９は、第１金属層２３１と、該第１金属層２３１の表面に形成された絶縁膜２３２と、該絶縁膜２３２の上に形成された第２金属層２３３とによって構成されている。
【０１６６】
ここで、第１金属層２３１は例えば、厚さが１００〜５００ｎｍ程度のＴａ単体膜、Ｔａ合金膜等によって形成されており、走査線２２８に接続されている。また、絶縁膜２３２は、例えば厚さが１０〜３５ｎｍ程度の酸化タンタル等によって形成されている。また、第２金属層２３３は例えば、クロム（Ｃｒ）等といった金属膜によって５０〜３００ｎｍ程度の厚さに形成されており、ドット電極２２７に接続されている。
【０１６７】
以上のように構成された本実施形態において、第２基材２０５に形成された走査線２２８の夫々に走査信号を供給する一方、第１基材２０３側に形成されたデータ線２２６にデータ信号を供給すると、ドット電極２２７とデータ線２２６とが対向する部分に保持されている液晶のみを駆動することができる。
【０１６８】
反射型の表示を考えると、第２基材２０５及びドット電極２２７を通過して液晶層２０７に入射した外部光は、反射層２１３により反射して、再び液晶層２０７へ入って表示用ドットＤ毎に変調され、そして、ドット電極２２７及び第２基材２０５を通過して外部へ出射し、この出射光によって外部へ像が表示される。このとき、本実施形態では、オーバーコート層２１６が平坦なので、コントラストの明瞭な画像を見ることができる。
【０１６９】
また、透過型の表示を考えると、照明装置１３１（図９参照）からの光が第１基材２０３及び開口部２２２を通過して液晶層２０７へ供給され、該液晶層２０７によって表示用ドットＤ毎に変調され、さらに、ドット電極２２７及び第２基材２０５を通過して外部へ出射し、この出射光によって外部へ像が表示される。このときも、オーバーコート層２１６が平坦なので、コントラストの明瞭な画像を見ることができる。なお、出射光は、反射層２１３及び透過部２２２を覆っている着色層２１４により、対応する色に着色される。
【０１７０】
本実施形態では、互いに隣り合う表示用ドットＤ間の境界領域で開口部２２３（図１９）又は凹部２２３（図２０）を有するように下地層２１２を形成したので、遮光層２１５の高さを低くできる。これにより、着色層２１４の表面と遮光層２１５の表面の高さを略同じにすることができる。
【０１７１】
また、図２０に示すように、凹部２２３の所で下地層２１２が完全に取り除かれていない場合は、下地層２１２は第１絶縁層２１２ａと該第１絶縁層２１２ａ上に設けられた第２絶縁層２１２ｂとによって構成できる。この場合には、第２絶縁層２１２ｂの厚さ分の凹部２２３が形成される。このような場合においても、オーバーコート層２１６の上面の凹凸を低減でき、これにより、セルギャップのバラツキを低減でき、また、ラビング処理が容易となる。そしてその結果、液晶装置の表示画面のコントラストの改善が図れる。
【０１７２】
さらに、本実施形態では、ＴＦＤ型のアクティブマトリックス方式であるため、画面が明るくて見やすく、しかも、消費電力及び製造コストを低く抑えることができる。
【０１７３】
（液晶装置の製造方法）
次に、本実施形態に係る液晶装置の製造方法について図２１の工程図に基づいて説明する。まず、工程３１において、第１基材２０３上に下地層としての樹脂散乱層２１２を形成する。ここで、図１６において、遮光層２１５を形成する各表示用ドットＤ間の境界領域では、例えば、図１９に示すように、下地層２１２に開口部２２３が形成されるように、フォトレジストを用いて下地層２１２をエッチングする。
【０１７４】
これについてもう少し詳しく説明すると、第１基材２０３上に樹脂材料をスピンコートにより均一に塗布し、さらにその上にレジストを塗布し、そのレジストを所定のパターンが形成されたフォトマスクの上から露光し、そのレジストを現像処理し、さらに、そのレジストをエッチングして下地層２１２に複数の穴を形成する。次に、この下地層２１２に対し熱を加えることにより、これらの穴を滑らかに変形させて凹凸状の下地層２１２の下層２１２ａが形成される。
【０１７５】
さらに、下地層２１２の凹凸状が滑面になるように同じく樹脂材料を薄く塗布し、下地層２１２の上層２１２ｂを形成する。さらに、その下地層２１２上にレジストを塗布して、その後所定のパターンが形成されているフォトマスクの上から露光してレジストを現像処理する。その後、エッチングによって下地層２１２に開口部２２３を形成し、遮光層２１５を形成すべき部分の所で下地層２１２を取り除く。
【０１７６】
次に、工程Ｐ３２において、下地層２１２上にアルミニウム等を蒸着法やスパッタリング法等によって薄膜状に成膜し、これをフォトリソグラフィ法を用いてパターニングすることにより、例えば図１８のように各表示用ドットＤの略中央に略長方形の開口部２２２を形成すると共に、それ以外の領域に反射層２１３を形成する。
【０１７７】
次に、工程Ｐ３３において、開口部２２３が形成された下地層２１２上に反射層２１３の上から遮光材を塗布し、その後、写真蝕刻技術によってパターン化加工して下地層２１２の開口部２２３の中に遮光層２１５を形成する。なお、上記の遮光材としては、カーボンブラック等を樹脂中に分散させて形成した材料を用いることができる。
【０１７８】
次に、工程Ｐ３４において、図１７の反射層２１３及び開口部２２２の上に１色の着色層材料をスピンコートにより塗布し、さらにその上にレジストを塗布し、さらに所定のパターンが形成されたフォトマスクの上から露光し、さらにレジストを現像処理し、その後、エッチングして当該１色の着色層２１４を形成する。また、他の２色に関して同じ処理を繰り返して、Ｒ，Ｇ，Ｂ３色の着色層２１４を希望の配列パターンに形成する。
【０１７９】
次に、工程Ｐ３５において、着色層２１４の上にオーバーコート層２１６を形成する。本実施形態では、下地層２１２の開口部２２３の所に遮光層２１５が形成されるので、その開口部２２３の深さ分だけ遮光層２１５の高さを低くできる。このため、本工程においてオーバーコート層２１６を形成したとき、そのオーバーコート層２１６の表面を平坦に形成できる。このため、セルギャップのバラツキを低減でき、さらにラビング処理を容易に行えるようにできる。そしてその結果、液晶装置の表示においてコントラストの明瞭化を達成できる。
【０１８０】
次に、工程Ｐ３６において、オーバーコート層２１６の上にデータ線２２６の材料であるＩＴＯ等をスパッタリング法により被着し、フォトリソグラフィ法によってパターニングして図１８のようにＸ方向に所定の幅をもってデータ線２２６をストライプ状に形成する。さらに、データ線２２６の上に配向膜２１８を形成し、その配向膜２１８にラビング処理を施す。これにより、カラーフィルタ基板２０４が製造される。
【０１８１】
他方、工程Ｐ４１において、図１６の第２基材２０５上にＴＦＤ７２９、走査線２２８及びドット電極２２７を形成する。ここで、ＴＦＤ７２９は、第２基材２０５上にＴａ酸化物等を一様な厚さに成膜して下地層２３０を形成し、その上にＴａ等をスパッタリングによって一様な厚さで成膜し、さらに、フォトリソグラフィ法等を用いて走査線２２８と第１金属層２３１とを同時に形成する。このとき、走査線２２８と第１金属層２３１とはブリッジでつながっている。
【０１８２】
さらに、第１金属層２３１に絶縁膜である酸化タンタル等を一様な厚さで成膜して絶縁膜２３２を形成し、さらにその上にＣｒをスパッタリング等によって一様な厚さで成膜し、さらにフォトリソグラフィ法を利用して第２金属層２３３を形成する。
【０１８３】
次に、ドット電極２２７の形成予定領域の下地層２３０を除去した後、ＩＴＯをスパッタリング等によって一様な厚さで成膜し、さらにフォトリソグラフィ法等によって１表示用ドットの大きさに相当する所定形状のドット電極２２７を、その一部が第２金属層２３３と重なるように形成する。これら一連の処理により、ＴＦＤ７２９及びドット電極２２７が形成される。
【０１８４】
次に、工程Ｐ４２において、ドット電極２２７等の上に配向膜２２０を形成し、さらにその配向膜２２０に対してラビング処理を施す。これにより、対向基板２０６が形成される。
【０１８５】
次に、工程Ｐ５１において、対向基板２０６側の配向膜２２０上にギャップ材１２９（図９参照）をドライ散布等により散布し、シール材１３３によってカラーフィルタ基板２０４と対向基板２０６とを貼り合わせる。
【０１８６】
次に、工程Ｐ５２において、シール材１３３の開口部を通して基板間の間隙、いわゆるセルギャップ内に液晶を注入し、その注入の完了後、シール材１３３の開口部を紫外線硬化性樹脂等から成る封止材によって封止する。次に、工程Ｐ５３において、図１６の位相差板２０８，２１０及び偏光板２０９，２１１を、それぞれ、第１基材２０３及び第２基材２０５の外面上に貼着等の方法により取り付ける。
【０１８７】
次に、工程Ｐ５４において、図１６の液晶パネル２０２に対して、必要な配線を行ったり、照明装置１３１及びケース体１３２等を取り付けることにより、図９に符号１０１で示すような全体構成の液晶装置が完成する。
【０１８８】
なお、以上に説明した液晶装置の製造方法では、図１９に示したように、遮光層２１５が形成される領域で下地層２１２を全て取り除いて開口部２２３を形成したが、これに代えて、図２０に示すように、下地層２１２を第１絶縁層２１２ａ及び第２絶縁層２１２ｂの２回に分けて形成し、第２絶縁層２１２ｂの厚さに対応する深さの凹部２２３を設けてもよい。
【０１８９】
このとき、１回目の処理では、遮光層２１５となる表示用ドットＤ間の境界領域を含めて基材２０３の全面に第１絶縁層２１２ａを形成し、図１９における下地層２１２の下層２１２ａと同様に凹凸を形成する。そして、２回目の処理によって第２絶縁層２１２ｂを形成する際には、遮光層２１５となる表示用ドットＤ間の境界領域を除いて、各表示用ドットＤの領域にフォトレジストを材料としてこれをエッチングすることにより凹部２２３を形成できる。
【０１９０】
下地層２１２を、図１９に示したように、開口部２２３の所で完全に除いてしまうと、却って、互いに隣り合う表示用ドットＤ間の境界領域の表面と、表示用ドットＤの表面との間の平坦性が損なわれるような場合がある。このような場合には、図２０に示すように、凹部２２３の所で下地層２１２を希望の厚さに形成することにより、表示用ドットＤ間の境界領域と表示用ドットＤの領域との間において平坦性を確保でき、これにより、セルギャップのバラツキを少なくできる他、ラビング処理も容易となる。
【０１９１】
さらに、ハーフトーンを用いて凹部２２３を形成することも可能である。
【０１９２】
（第５実施形態）
次に、反射半透過型のスイッチング素子として三端子型スイッチング素子であるＴＦＴ（Ｔｉｎ　Ｆｉｌｍ　Ｔｒａｎｓｉｓｔｏｒ）を用いた液晶装置に本発明を適用した実施形態について説明する。
【０１９３】
図２２は本発明に係る液晶装置の他の実施形態を構成する液晶パネルの断面図である。図２３は図２２の液晶パネルを構成するカラーフィルタ基板側の断面図である。図２４は該液晶パネルの部分拡大図である。なお、図２４におけるＤ−Ｄ’線及びＥ−Ｅ’線の断面図が図２２に相当する。図２５は下地層としての樹脂散乱層が完全に取り除かれた状態の遮光層の部分断面拡大図である。図２６は下地層としての樹脂散乱層が一部分だけ取り除かれた状態の遮光層の部分断面拡大図である。そして、図２７は本実施形態に係る液晶装置の製造方法の一例の工程図である。
【０１９４】
図２２に示す液晶パネル３０２は、いわゆる反射半透過型の構造を有する液晶パネルであり、この液晶パネル３０２を用いて構成される液晶装置の構造は、図９に示した液晶装置１０１と略同じである。つまり、液晶パネル３０２に、必要に応じて照明装置１３１及びケース体１３２を付設することにより、液晶装置が構成される。
【０１９５】
図２２において、液晶パネル３０２は、シール材１３３（図９参照）によって貼り合わされた第１基材３０３及び第２基材３０５を有する。これらの基材間には液晶が封入されて液晶層３０７が形成されている。また、第１基材３０３の外面には位相差板３０８及び偏光板３０９が配置され、第２基材３０５の外面には位相差板３１０及び偏光板３１１が配置される。
【０１９６】
第１基材３０３の液晶層３０７側の表面には下地層３１２が形成され、その下地層３１２の表面に反射層３１３が設けられる。また、下地層３１２の表面に反射層３１３が設けられた部分は反射部３２５を構成し、反射層３１３に形成された開口部３２２によって透過部が構成される。
【０１９７】
反射層３１３の上には、図２３に示すように、緑色の着色層３１４Ｇ、青色の着色層３１４Ｂ及び赤色の着色層３１４Ｒが所定の配列パターンで形成される。これらの着色層に関しては、これ以降の説明において、総称的に符号“３１４”で示されることがある。互いに隣り合う着色層３１４の間の境界領域には遮光層３１５が設けられる。
【０１９８】
また、着色層３１４及び遮光層３１５の上には、それらの層を保護するオーバーコート層３１６が設けられる。また、オーバーコート層３１６の上にはＩＴＯ等といった透明導電体から成る共通電極３３４が形成され、さらにその上にポリイミド樹脂等から成る配向膜３１８が形成されている。
【０１９９】
次に、図２２において、第２基材３０５の液晶層３０７側の表面には、矢印Ａ方向から見てマトリクス状に配列する複数のドット電極３２７と、各ドット電極３２７の境界領域においてゲート配線３３５及びソース配線３３６とが直交するように配置され（ゲート配線３３５が図２４のＹ方向、ソース配線３３６がＸ方向）、その配線の交差部分付近にはＴＦＴ３３７が設けられ、さらにその上には配向膜３２０が形成されている。
【０２００】
ここで、共通電極３３４はオーバーコート層３１６の表面全域に形成された面状電極であり、ゲート配線３３５とソース配線３３６とによって囲まれる領域が、表示用ドットＤとなる。
【０２０１】
カラーフィルタ基板３０４の下地層３１２は樹脂材料からなり、下層３１２ａ及び上層３１２ｂの２層で形成される。この下地層３１２は、下層３１２ａの表面が細かい凹凸状に加工され、さらにこの下層３１２ａの表面全体が同じ材料の薄い上層３１２ｂで被覆されるので、下地層３１２の表面に滑らかな凹凸状が形成される。この凹凸形状は、下地層３１２を透過する光を散乱させるものであり、これにより、液晶装置の表示画面に表示された像が見難くなるという問題を解消できる。
【０２０２】
反射層３１３は、例えばアルミニウムや銀等の単体金属膜であって下地層３１２の上面に形成されており、下地層３１２の表面の凹凸に従って反射層３１３の表面にも細かい凹凸が形成されている。これによって、反射層３１３によって反射された光も散乱させることができ、これにより、液晶装置の表示画面に表示される像が見難くなるという問題を解消できる。
【０２０３】
また、反射層３１３には、例えば図２４に示すように表示用ドットＤのほぼ中央に略長方形状の開口部３２２が形成されており、この開口部３２２が透過部となる。照明装置１３１から出射した光は、この開口部３２２を通して液晶層３０７へ供給される。なお、この開口部３２２は、この例の形に限られるものでなく、その他の形、例えば円孔に形成できる。また、開口部３２２の表示用ドットＤ内における数は、１つに限られず、複数とすることができる。
【０２０４】
着色層３１４は、例えば、顔料又は染料等の着色剤を含む感光性樹脂から成る着色レジストを塗布し、これをフォトリソグラフィ法等によってパターニングすることによって形成される。このパターニングにより、第１基材３０３を通過した照明装置１３１からの光を透過するための開口部３２２と、この開口部３２２の周りの反射層３１３を覆う部分が形成される。本実施形態のように、Ｒ，Ｇ，Ｂの３色の着色層３１４を設ける場合には、上記のパターニング処理が各色について順々に行われる。
【０２０５】
遮光層３１５は、各表示用ドットＤの間の境界領域に形成され、その境界領域を遮光する。この遮光層３１５は、第２基材３０５上のゲート配線３３５の長手方向（すなわち、図２４のＹ方向）及びこれに直交する方向（すなわち、図２４のＸ方向）の両方向のそれぞれに帯状に延びるように形成されている。
【０２０６】
また、遮光層３１５は、図２５に示すように、互いに隣り合う表示用ドットＤの間の境界領域に対応する下地層３１２に設けられた開口部３２３の中に形成される。開口部３２３の底部３２４は、第１基材３０３の上に反射層３１３を介して形成されている。遮光層３１５は、隣接する着色層３１４と略同じの高さとなるように開口部３２３の反射層３１３上に設けられている。
【０２０７】
例えば、図２５において、互いに隣り合う着色層３１４の厚さをｈ３１とし、反射層３１３の厚さをｈ３２とし、下地層３１２の厚さをｈ３３とするとき、遮光層３１５の厚さｈ３４と反射層３１３の厚さｈ３２との和を、ｈ３１、ｈ３２及びｈ３３の合計と略等しくなるように形成すれば、各表示用ドットＤの表面と遮光層３１５の表面との間の平坦性が確保され、これにより、セルギャップのバラツキを低減でき、また、ラビング処理が容易となる。そしてその結果、液晶装置における画面表示のコントラストが良くなる。
【０２０８】
遮光層３１５が収容されることになる下地層３１２の窪みは、図２５のような開口部３２３に限られず、図２６に示すような凹部３２３とすることができる。この場合、凹部３２３の底部３２４に対応する下地層３１２は完全には除かれていない。この場合でも、遮光層３１５は、凹部２２３の深さだけその高さが低くなる。
【０２０９】
例えば、図２６において、凹部３２３の底部３２４に対応する下地層３１２の厚さをｈ３５とすると、遮光層３１５の厚さｈ３４と反射層の厚さｈ３２との和を、着色層３１４の厚さｈ３１と、反射層の厚さｈ３２と、下地層３１２の厚さｈ３３との合計に略等しくなるように、遮光層３１５を形成することにより、各表示用ドットＤの表面と遮光層３１５の表面との間の平坦性が確保され、これにより、セルギャップのバラツキを低減でき、ラビング処理が容易となる。そしてその結果、液晶装置の画面表示のコントラストが良くなる。
【０２１０】
なお、表示用ドットＤは、遮光層３１５によってその周囲を囲まれる領域であって、その表示用ドットＤの内部には、Ｒ，Ｇ，Ｂのいずれか１色の着色層３１４が含まれ、さらに、反射層３１３及び開口部３２２が含まれる。１画素は、Ｒ，Ｇ，Ｂの各色の着色層３１４を含む３つの表示用ドットＤによって構成される。
【０２１１】
次に、図２２において、ＴＦＴ３３７は、第２基材３０５上に形成されたゲート電極３３８と、このゲート電極３３８の上で第２基材３０５の全域に形成されたゲート絶縁膜３３９と、このゲート絶縁膜３３９を挟んでゲート電極３３８の上方位置に形成された半導体層３４０と、その半導体層３４０の一方側にコンタクト電極３４１を介して形成されたソース電極３４２と、さらに半導体層３４０の他方の側にコンタクト電極３４１を介して形成されたドレイン電極３４３とを有する。
【０２１２】
ゲート電極３３８はゲート配線３３５に接続され、ソース電極３４２はソース配線３３６に接続されている。ゲート配線３３５は第２基材３０５の平面方向に延びていて縦方向（ずなわち、図２４のＹ方向）へ等間隔で平行に複数本形成されている。また、ソース配線３３６はゲート絶縁膜３３９を挟んでゲート配線３３５と交差するように第２基材３０５の平面方向に延びていて横方向（すなわち、図２４のＸ方向）へ等間隔で平行に複数本形成されている。
【０２１３】
ドット電極３２７は、互いに交差するゲート配線３３５とソース配線３３６とによって区画される方形領域のうち、ＴＦＴ３３７に対応する部分を除いた領域を覆うように構成され、例えばＩＴＯ等といった透明導電体により形成されている。
【０２１４】
さらに、ゲート配線３３５とゲート電極３３８は、例えば、クロム、タンタル等によって形成される。また、ゲート絶縁膜３３９は、例えば窒化シリコン（ＳｉＮＸ）、酸化シリコン（ＳｉＯＸ）等によって形成される。また、ソース電極３４２及びそれと一体的なソース配線３３６並びにドレイン電極３４３は、例えばチタン、モリブデン、アルミニウム等によって成形される。
【０２１５】
以上のように構成された本実施形態において、第１基材３０３に形成された共通電極３３４に信号を提供する一方、第２基材３０５に形成されたゲート配線３３５とソース配線３３６に信号を提供すると、表示用ドットＤ毎にドット電極３２７が選択され、この選択されたドット電極３２７と共通電極３３４との間に保持された液晶のみに選択電圧が印加され、これにより、液晶の配向が制御されて、反射光及び透過光が変調される。
【０２１６】
反射型の表示を考えると、第２基材３０５及びドット電極３２７を通過して液晶層３０７に入射した外部光は、該液晶層３０７によって表示用ドットＤ毎に変調され、反射層３１３により反射され、再びドット電極３２７及び第２基材３０５を通過して外部へ出射して、像を表示する。その際、本実施形態ではオーバーコート層３１６が平坦なので、表示画面にはコントラストの明瞭な画像が表示される。
【０２１７】
他方、透過型の表示を考えると、照明装置１３１（図９参照）から出射した光は第１基材３０３及び透過部すなわち開口部３２２を通過して液晶層３０７に入射した後、該液晶層３０７によって表示用ドットＤ毎に変調され、ドット電極３２７及び第２基材３０５を通過して外部へ出射して、像を表示する。その際、本実施形態では、オーバーコート層３１６が平坦なので、コントラストの明瞭な画像を見ることができる。なお、出射光は、反射層３１３及び透過部３２２を覆っている着色層３１４により、対応した色に着色される。
【０２１８】
本実施形態では、図２５に示したように、隣り合う表示用ドットＤ間の境界領域で開口部３２３を有するように下地層３１２を形成したので、遮光層３１５の高さを開口部３２３の深さ分だけ低くでき、各表示用ドットＤの表面とそれに隣り合う表示用ドットＤ間の境界領域の表面との間の平坦性を確保できる。
【０２１９】
また、図２６に示すように、凹部３２３の所で下地層３１２が完全に取り除かれていない場合は、下地層３１２は第１絶縁層３１２ａと該第１絶縁層３１２ａ上に設けられた第２絶縁層３１２ｂとによって構成できる。この場合には、第２絶縁層３１２ｂの厚さ分の凹部３２３が形成される。このような場合においても、オーバーコート層３１６の上面の凹凸を低減でき、これにより、セルギャップのバラツキを低減でき、また、ラビング処理が容易となる。そしてその結果、液晶装置の表示画面のコントラストの改善が図れる。
【０２２０】
さらに、本実施形態では、ＴＦＴ型のアクティブマトリックス方式であるため、画面が明るくて見やすく、しかも、消費電力及び製造コストを低く抑えることができる。
【０２２１】
（液晶装置の製造方法）
次に、本実施形態に係る液晶装置の製造方法について図２７の工程図に基づいて説明する。まず、工程Ｐ６１において、図２２の第１基材３０３上に下地層としての樹脂散乱層３１２を形成する。ここで遮光層３１５を形成する各表示用ドットＤ間の境界領域では例えば、図２５に示すように下地層３１２に開口部３２３が形成されるように、フォトレジストを用いて下地層３１２をエッチングする。
【０２２２】
これについてもう少し詳しく説明すると、第１基材３０３上に樹脂材料をスピンコートによって均一に塗布し、さらにその上にレジストを塗布し、所定のパターンが形成されたフォトマスクの上から露光してレジストを現像し、さらに、エッチングして下地層３１２に複数の穴を形成する。
【０２２３】
次に、この下地層３１２に対し熱を加えることにより、これらの穴を滑らかに変形させて凹凸状の下地層３１２の下層３１２ａが形成される。さらに、この下地層３１２の凹凸状が滑面になるように同じく樹脂材料を薄く塗布し、下地層３１２の上層３１２ｂが形成される。
【０２２４】
さらにその下地層３１２上にレジストを塗布し、所定のパターンが形成されたフォトマスクの上から露光してレジストを現像し、そのレジストをエッチングして下地層３１２に開口部３２３を形成し、これにより、遮光層３１５となる部分の所で下地層３１２を取り除く。
【０２２５】
次に、工程Ｐ６２にいて、下地層３１２上にアルミニウム等を蒸着法やスパッタリング法等によって薄膜状に成膜し、これをフォトリソグラフィ法を用いてパターニングすることにより、例えば図２４のように各表示用ドットＤの略中央に略長方形の開口部３２２を設けると共に、それ以外の領域に反射層３１３を形成する。
【０２２６】
次に、工程Ｐ６３において、開口部３２３が形成された下地層３１２上に反射層３１３の上から遮光材を塗布した後、写真蝕刻技術によってパターン化加工し下地層３１２の開口部３２３に遮光層３１５を形成する。なお、上記の遮光材は、カーボンブラック等を樹脂中に分散させることによって形成できる。
【０２２７】
次に、工程Ｐ６４において、図２３の反射層３１３及び開口部３２２の上に１色の着色層材料をスピンコートにより塗布し、さらにその上にレジストを塗布し、所定のパターンが形成されたフォトマスクの上から露光してレジストを現像し、さらに、エッチングして当該１色の着色層３１４を形成する。また、他の２色に関して同じ処理を繰り返して、Ｒ，Ｇ，Ｂ３色の着色層３１４を希望の配列パターンに形成する。
【０２２８】
次に、工程Ｐ６５において、着色層３１４の上にオーバーコート層３１６を形成する。本実施形態では、下地層３１２の開口部３２３の所に遮光層３１５が形成されるので、その開口部３２３の深さ分だけ遮光層３１５の高さを低くできる。このため、本工程においてオーバーコート層３１６を形成したとき、そのオーバーコート層３１６の表面を平坦に形成できる。このため、セルギャップのバラツキを低減でき、さらにラビング処理を容易に行えるようにできる。そしてその結果、液晶装置の表示においてコントラストの明瞭化を達成できる。
【０２２９】
次に、工程Ｐ６６において、オーバーコート層３１６の上に共通電極３３４の材料であるＩＴＯ等をスパッタリング法により被着し、フォトリソグラフィ法によってパターニングして共通電極３３４を形成する。さらに、その上に配向膜３１８を形成し、この配向膜３１８にラビング処理を施すことにより、カラーフィルタ基板３０４が形成される。
【０２３０】
他方、図２２の対向基板３０６に関しては、図２７の工程Ｐ７１において、第２基材３０５上にＴＦＴ３３７、ゲート配線３３５、ソース配線３３６及びドット電極３２７等を形成する。
【０２３１】
ここで、ＴＦＴ３３７に関しては、第２基材３０５上に例えば、スパッタリングによってクロム、タンタル等を一様な厚さで成膜し、フォトリソグラフィ法によりパターニングしてゲート配線３３５及びそれと一体的なゲート電極３３８を形成し、さえらに例えばプラズマＣＶＤ（Ｃｈｅｍｉｃａｌ　Ｖａｐｏｕｒ　Ｄｅｐｏｓｉｔｉｏｎ）法によって窒化シリコンからなるゲート絶縁膜３３９を形成する。
【０２３２】
次に、例えば半導体層３４０となるａ−Ｓｉ層とコンタクト電極３４１となるｎ＋型ａ−Ｓｉ層とをこの順で連続的に形成し、さらに形成されたｎ＋型ａ−Ｓｉ層及びａ−Ｓｉ層のパターニングを行って半導体層３４０及びコンタクト電極３４１を形成すると共に、ゲート絶縁膜３３９上のドット電極３２７となる部分にＩＴＯ等をスパッタリング法により被着し、フォトリソグラフィ法によってパターニングしてドット電極３２７を形成する。
【０２３３】
また、第２基材３０５の表面の全域に例えばチタン、モリブデン、アルミニウム等をスパッタリングによって形成し、さらにパターニングを行ってソース電極３４２、ドレイン電極３４３及びソース配線３３６を形成する。以上の一連の処理により、ＴＦＴ３３７及びドット電極３２７が形成される。次に、工程Ｐ７２において、その上に配向膜３２０を形成し、さらにラビング処理を施して対向基板３０６が形成される。
【０２３４】
その後、工程Ｐ８１において、第２基材３０５側の配向膜３２０上にギャップ材１２９（図９参照）をドライ散布等により散布し、シール材１３３によってカラーフィルタ基板３０４と対向基板３０６とを貼り合わせる。次に、工程Ｐ８２において、シール材１３３の開口部を通して基板間隙、いわゆるセルギャップ内に液晶を注入し、さらにその後、シール材１３３の開口部を紫外線硬化性樹脂等によって封止する。次に、工程Ｐ８３において、位相差板３０８、３１０及び偏光板３０９、３１１を、それそれ、第１基材３０３及び第２基材３０５の外面上に貼着等の方法により取り付ける。
【０２３５】
次に、工程Ｐ８４において、必要な配線を行ったり、照明装置１３１及びケース体１３２等を取り付けて、図２２に示すような液晶パネル３０２を用いた図９に符号１０１で示すような液晶装置が完成する。
【０２３６】
図２７の製造方法では、図２５の開口部３２３の所で遮光層３１５となる領域で下地層３１２を全て取り除いたが、これに代えて、図２６に示すように、下地層３１２を第１絶縁層３１２ａ及び第２絶縁層３１２ｂの２回に分けて形成し、凹部３２３を設けてもよい。
【０２３７】
この場合、１回目の処理では、遮光層３１５となる表示用ドットＤ間の境界領域を含めて基材の全面に第１絶縁層３１２ａを形成し、さらに図２５の下地層３１２における下層３１２ａと同様に凹凸を形成し、さらに、２回目の第２絶縁層３１２ｂの形成に際して、遮光層３１５となる表示用ドットＤ間の境界領域を除いて、各表示用ドットＤの領域に第２絶縁膜３１２ｂをフォトレジストを用いてエッチングして形成することもできる。
【０２３８】
図２５のように、下地層３１２を開口部３２３の所で完全に除いてしまうと、却って、隣り合う表示用ドットＤ間の境界領域の表面と表示用ドットＤの表面との間の平坦性が損なわれる場合がある。このような場合には、図２６に示すように、凹部３２３の所で下地層３１２を所望の厚さに形成することにより、平坦性を確保でき、セルギャップのバラツキを少なくでき、さらに、ラビング処理も容易となる。
【０２３９】
さらに、ハーフトーンを用いて凹部３２３を形成することも可能である。
【０２４０】
（第６実施形態）
次に、反射半透過型のパッシブマトリックス方式の液晶装置に本発明を適用した他の実施形態について説明する。図２８は本発明に係る液晶装置の他の実施形態を構成する液晶パネルの断面図である。図２９は図２８の液晶パネルを構成するカラーフィルタ基板の断面図である。図３０は該液晶パネルの部分拡大図である。なお、図３０におけるＡ−Ａ’線の断面図が図２８に相当する。図３１は下地層としての樹脂散乱層が完全に取り除かれた状態の遮光層の部分断面拡大図である。図３２は下地層としての樹脂散乱層が一部分だけ取り除かれた状態の遮光層の部分断面拡大図である。図３３は本実施形態に係る液晶装置の製造方法の一例の工程図である。
【０２４１】
図２８に示す液晶パネル４０２は、いわゆる反射半透過型の構造を有する液晶パネルであり、この液晶パネル４０２を用いて構成される液晶装置の構造は、図９に示した液晶装置１０１と略同じである。つまり、液晶パネル４０２に、必要に応じて照明装置１３１及びケース体１３２を付設することにより、液晶装置が構成される。
【０２４２】
液晶パネル４０２では、図２８に示すように、ガラス板又は合成樹脂板等から形成された透明な第１基材４０３を基体とするカラーフィルタ基板４０４と、これに対向する第２基材４０５を基体とする対向基板４０６とが、シール材１３３（図９参照）によって貼り合わせられ、それらのカラーフィルタ基板４０４と対向基板４０６との間に液晶が封入されて液晶層４０７が形成されている。また、第１基材４０３の外面には位相差板４０８及び偏光板４０９が配置され、第２基材４０５の外面には位相差板４１０及び偏光板４１１が配置されている。
【０２４３】
カラーフィルタ基板４０４に関しては、第１基材４０３の液晶層４７側の表面には下地層４１２が形成され、その下地層４１２の表面に反射層４１３が設けられる。また、下地層４１２の表面に反射層４１３が設けられた部分は反射部４２５を構成し、反射層４１３に形成された開口部４２２によって透過部が構成される。
【０２４４】
反射層４１３の上には、図２９に示すように、緑色の着色層３１４Ｇ、青色の着色層３１４Ｂ及び赤色の着色層３１４Ｒが所定の配列パターンで形成される。これらの着色層に関しては、これ以降の説明において、総称的に符号“４１４”で示されることがある。互いに隣り合う着色層４１４の間の境界領域には遮光層４１５が設けられる。
【０２４５】
また、着色層４１４及び遮光層４５の上には、それらの層を保護するオーバーコート層４１６が設けられる。また、オーバーコート層４１６の上にはＩＴＯ等といった透明導電体から成る透明電極４１７が形成され、さらにその上にポリイミド樹脂等から成る配向膜４１８が形成されている。
【０２４６】
一方、図２８において、対向基板４０６に関しては、第２基材４０５の液晶層４０７側の表面に、透明電極４１９が形成され、さらにその上に配向膜４２０が形成されている。電極４１９は、第１基材４０３側の電極４１７と直交する方向（すなわち、図３０のＸ方向）へ帯状に延びるように形成されている。
【０２４７】
透明電極４１７は、相互に並列してストライプ状に構成されており、透明電極４１９はこれと直交する方向に、相互に並列してストライプ状に構成されている。また、第１基材４０３側の透明電極４１７と第２基材４０５側の透明電極４１９とが平面的に重なる領域が表示用ドットＤとなる。
【０２４８】
カラーフィルタ基板４０４の下地層４１２は樹脂材料からなり、図２９に示すように下層４１２ａ及び上層４１２ｂの２層で形成される。この下地層４１２は、下層４１２ａの表面が細かい凹凸状に加工され、さらにこの下層４１２ａの表面全体が同じ材料の薄い上層４１２ｂで被覆されるので、下地層４１２の表面は滑らかな凹凸状が形成される。この凹凸形状は、下地層４１２を透過する光を散乱させるものであり、これにより、表示された画面の像が見難くなるという問題を解消できる。
【０２４９】
また、反射層４１３は、例えばアルミニウムや銀等の単体金属膜であって下地層４１２上に形成されており、下地層４１２の表面の凹凸に従って反射層４１３の表面にも細かい凹凸が形成されている。これにより、反射層４１３によって反射された反射光も散乱させることができ、表示された画面の像が見難くなるという問題を解消できる。
【０２５０】
さらに、反射層４１３には、例えば図３０に示すように、表示用ドットＤのほぼ中央に略長方形状の開口部４２２が形成されており、この開口部４２２が透過部となる。照明装置１３１（図９参照）から出射した光はこの開口部４２２を介して液晶層４０７へ供給される。なお、開口部４２２はこの例の形に限られるものでなく円孔等とすることもできる。また、表示用ドットＤ内における開口部４２２の数は、１つに限られず、複数とすることができる。
【０２５１】
着色層４１４は、例えば、顔料又は染料等の着色剤を含む感光性樹脂から成る着色レジストを塗布し、これをフォトリソグラフィ法等によってパターニングすることによって形成される。このパターニングにより、第１基材４０３を通過した照明装置１３１からの光を透過するための開口部４２２と、この開口部４２２の周りの反射層４１３を覆う部分が形成される。本実施形態のように、Ｒ，Ｇ，Ｂの３色の着色層４１４を設ける場合には、上記のパターニング処理が各色について順々に行われる。
【０２５２】
着色層４１４の配列パターンとして、図３０では斜めモザイク配列を採用しているが、この斜めモザイク配列の他に、ストライプ配列又はデジタル配列等の種々のパターン形状を採用することができる。
【０２５３】
遮光層４１５は、各表示用ドットＤの間の境界領域に形成され、その境界領域を遮光する。この遮光層４１５は、第１基材４０３上の透明電極４１７の長手方向（すなわち、図３０のＹ方向）及びこれに直交する方向（すなわち、図３０のＸ方向）の両方向のそれぞれに帯状に延びるように形成されている。
【０２５４】
また、遮光層４１５は例えば、金属クロム、カーボン、チタン等をフォトレジストに分散して形成した樹脂ブラックや、ニッケル等といった金属材料等によって形成されている。さらに、遮光層４１５は、図３１に示すように、互いに隣り合う表示用ドットＤ間の境界領域の下地層４１２に形成された開口部４２３の所で、第１基材４０３の液晶層４０７側の面からの高さが、隣り合う着色層４１４の表面と該遮光層４１５の表面とが略一致するように反射層４１３面上に形成されている。また、遮光層４１５の上部は、それに隣り合う着色層４１４の領域に張り出すように設けられている。
【０２５５】
例えば、隣り合う着色層４１４の厚さをｈ４１とし、反射層４１３の厚さをｈ４２とし、下地層４１２の厚さをｈ４３とするとき、遮光層４１５の厚さｈ４４と反射層４１３の厚さｈ４２との和を、ｈ４１、ｈ４２及びｈ４３の合計と略等しくなるように遮光層４１５を形成すれば、各表示用ドットＤの表面と遮光層４１５の表面との間の平坦性が確保され、セルギャップのバラツキを低減でき、ラビング処理が容易となり、さらに、液晶装置の画面表示のコントラストが良くなる。
【０２５６】
本実施形態では、開口部４２３に隣り合う着色層４１４の領域に張り出すように遮光層４１５が形成されているので、着色層４１４からの漏れ光を、より確実に遮光することができる。
【０２５７】
遮光層４１５が収容されることになる下地層４１２の窪みは、図３１のような開口部４２３に限られず、図３２に示すような凹部４２３とすることができる。この場合、凹部４２３の底部４２４に対応する下地層４１２は完全には除かれていない。この場合でも、遮光層４１５は、凹部４２３の深さだけその高さが低くなる。
【０２５８】
例えば、図３２において、凹部４２３の底部４２４に対応する下地層４１２の厚さをｈ４５とすると、遮光層４１５の厚さｈ４４と反射層の厚さｈ４２との和を、着色層４１４の厚さｈ４１と、反射層の厚さｈ４２と、下地層４１２の厚さｈ４３との合計に略等しくなるように、遮光層４１５を形成することにより、各表示用ドットＤの表面と遮光層４１５の表面との間の平坦性が確保され、これにより、セルギャップのバラツキを低減でき、ラビング処理が容易となる。そしてその結果、液晶装置の画面表示のコントラストが良くなる。
【０２５９】
なお、表示用ドットＤは、遮光層４１５によってその周囲を囲まれる領域であって、その表示用ドットＤの内部には、Ｒ，Ｇ，Ｂのいずれか１色の着色層４１４が含まれ、さらに、反射層４１３及び開口部４２２が含まれる。１画素は、Ｒ，Ｇ，Ｂの各色の着色層４１４を含む３つの表示用ドットＤによって構成される。
【０２６０】
以上のように構成された本実施形態において、図２８において、第２基材４０５に形成された透明電極４１９に信号を供給する一方、第１基材４０３側に形成された透明電極４１７に信号を供給すると、透明電極４１９と透明電極４１７とが交差する領域である表示用ドットＤに保持された液晶のみを駆動することができる。
【０２６１】
反射型の表示を考えると、対向基板４０６側から液晶層４０７に入射した外部光は、表示用ドットＤ毎に変調され、着色層４１４を透過した後に反射層４１３で反射し、再び対向基板４０６を透過して外部へ出射する。この際、本実施形態では、オーバーコート層４１６が平坦なので、コントラストの明瞭な画像を見ることができる。
【０２６２】
また、透過型の表示を考えると、照明装置１３１（図９参照）から出射した光は第１基材４０３及び開口部すなわち透過部４２２を通過して液晶層４０７に入射した後、該液晶層４０７によって表示用ドットＤ毎に変調されて、透明電極４１９及び第２基材４０５を通過して外部へ出射する。この際、本実施形態ではオーバーコート層４１６が平坦であるので、コントラストの明瞭な画像を見ることができる。なお、出射光は、反射層４１３及び透過部４２２を覆っている着色層４１４により、対応する色に着色される。
【０２６３】
本実施形態では、互いに隣り合う表示用ドットＤ間の境界領域で開口部４２３を有するように下地層４１２を形成し、その開口部４２３の中に遮光層４１５を設けたので、遮光層４１５の高さを開口部４２３の深さ分だけ低くでき、各表示用ドットＤの表面とそれに隣り合う表示用ドットＤ間の境界領域の表面との間の平坦性を確保できる。これにより、オーバーコート層４１６の平坦性が確保でき、セルギャップのバラツキを改善でき、ラビング処理が容易となる。また、液晶装置の表示画面のコントラストの明瞭化を達成できる。
【０２６４】
さらに、本実施形態では、遮光層４１５の上部を隣り合う着色層４１４に張り出すように形成したので、着色層からの漏れ光を、より一層遮光できる。
【０２６５】
また、図３２に示すように、凹部４２３の所で下地層４１２が完全に取り除かれていない場合は、下地層４１２は第１絶縁層４１２ａと該第１絶縁層４１２ａ上に設けられた第２絶縁層４１２ｂとによって構成できる。この場合には、第２絶縁層４１２ｂの厚さ分の凹部４２３が形成される。このような場合においても、オーバーコート層４１６の上面の凹凸を低減でき、これにより、セルギャップのバラツキを低減でき、また、ラビング処理が容易となる。そしてその結果、液晶装置の表示画面のコントラストの改善が図れる。
【０２６６】
（液晶装置の製造方法）
次に、本実施形態に係る液晶装置の製造方法の一例について図３３の工程図に基づいて説明する。まず、図３３の工程Ｐ９１において、第１基材４０３上に下地層としての樹脂散乱層４１２を形成する。ここで遮光層４１５を形成する表示用ドットＤ間の境界領域では、下地層４１２に図３１の開口部４２３が形成されるように、フォトレジストを用いて下地層４１２をエッチングによって形成する。
【０２６７】
これについてもう少し詳しく説明すると、第１基材４０３上に樹脂材料をスピンコートによって均一に塗布し、その上にレジストを塗布し、所定のパターンが形成されたフォトマスクの上から露光してレジストを現像し、そして、このレジストをエッチングして下地層４１２に複数の穴を形成する。
【０２６８】
次に、この下地層４１２に対し熱を加えることにより、これらの穴を滑らかに変形させて凹凸状の下地層４１２の下層４１２ａが形成される。さらに、この下地層４１２の凹凸状が滑面になるように同じ樹脂材料を薄く塗布して下地層４１２の上層４１２ｂが形成される。
【０２６９】
さらに、その下地層４１２上にレジストを塗布し、所定のパターンが形成されたフォトマスクの上から露光してレジストを現像し、このレジストをエッチングして下地層４１２に開口部４２３を形成し、遮光層４１５となる部分で下地層４１２を取り除く。
【０２７０】
次に、工程Ｐ９２において、下地層４１２上に蒸着法やスパッタリング法等によってアルミニウム等を薄膜状に成膜し、これをフォトリソグラフィ法を用いてパターニングすることによって、例えば図３０のように各表示用ドットＤの略中央に略正方形状の開口部４２２を設けると共に、それ以外の領域に反射層４１３を形成する。
【０２７１】
次に、工程Ｐ９３において、開口部４２３が形成された下地層４１２上に反射層４１３の上から遮光材を塗布し、さらに、写真蝕刻技術によってパターン加工して、下地層４１２の開口部４２３の中に遮光層４１５を形成する。なお、上記の遮光材は、例えば、カーボンブラック等を樹脂中に分散させることによって形成される。
【０２７２】
次に、工程Ｐ９４において、反射層４１３及び開口部４２２の上に１色の着色層材料をスピンコートにより塗布し、その上にレジストを塗布し、所定のパターンが形成されたフォトマスクの上から露光してレジストを現像し、さらに、そのレジストをエッチングして当該１色の着色層４１４を形成する。また、他の２色に関して同じ処理を繰り返して、Ｒ，Ｇ，Ｂ３色の着色層４１４を希望の配列パターンに形成する。
【０２７３】
次に、工程Ｐ９５において、着色層４１４の上にオーバーコート層４１６を形成する。このとき、本実施形態では、下地層４１２に開口部４２３が形成されている分、遮光層４１５の高さを低くでき、オーバーコート層４１６の表面の平坦性を確保でき、これにより、セルギャップのバラツキを低減でき、ラビング処理を簡単にできるようにでき、その結果、表示像のコントラストの明瞭化を図ることができる。
【０２７４】
次に、工程Ｐ９６において、オーバーコート層４１６の上に透明電極４１７の材料であるＩＴＯ等をスパッタリング法により被着し、フォトリソグラフィ法によってパターニングして図３０のようにＹ方向に所定の幅を持って電極４１７をストライプ状に形成する。
【０２７５】
さらに、その電極４１７上に配向膜４１８を形成し、その配向膜４１８に対してラビング処理を施して、カラーフィルタ基板４０４を形成する。こうして形成された配向膜４１８の液晶層４０７側の面も平坦性が確保され、セルギャップのバラツキも解消でき、画面の高画質化が図られることとなる。
【０２７６】
次に、図２８の対向基板４０６に関して、図３３の工程Ｐ１０１において、第２基材４０５上に透明電極４１９の材料であるＩＴＯ等をスパッタリング法により被着し、フォトリソグラフィ法によってパターニングして、図３０のようにＸ方向にストライプ状に透明電極４１９を形成する。次に、その電極４１９上に配向膜４２０を形成し、さらにその配向膜４２０に対してラビング処理を施して、対向基板４０６を形成する。
【０２７７】
次に、工程Ｐ１１１において、対向基板４０６上にギャップ材１２９（図９参照）をドライ散布等により散布し、シール材１３３によってカラーフィルタ基板４０４と対向基板４０６とを貼り合わせる。次に、工程Ｐ１１２において、シール材１３３の開口部から基板間の間隙、いわゆるセルギャップ内に液晶を注入し、その注入の完了後、シール材１３３の開口部を紫外線硬化性樹脂等によって封止する。
【０２７８】
次に、工程Ｐ１１３において、位相差板４０８，４１０及び偏光板４０９，４１１を、それぞれ、第１基材４０３及び第２基材４０５の外面上に貼着等の方法により取り付ける。次に、工程Ｐ１１４において、必要な配線を行ったり、図９の照明装置１３１及びケース体１３２を取り付けて、液晶装置が完成する。
【０２７９】
図３３の製造方法では、図３１に示したように、下地層４１２に開口部４２３が形成されている分、遮光層４１５の高さを低くできるので、オーバーコート層４１６の表面の平坦性を確保でき、これにより、セルギャップのバラツキを低減でき、さらに、ラビング処理を簡単にできる。その結果、液晶装置の表示においてコントラストの明瞭化を図ることができる。
【０２８０】
また、図３３の製造方法では、図３１のように、遮光層４１５となる領域で下地層４１２を全て取り除いたが、これに代えて、図３２に示すように、下地層４１２を第１絶縁層４１２ａ及び第２絶縁層４１２ｂの２回に分けて形成し、第２絶縁層４１２ｂの厚さに相当する凹部４２３を設けてもよい。
【０２８１】
この場合、１回目の処理では遮光層４１５となる表示用ドットＤ間の境界領域を含めて基材の全面に第１絶縁層４１２ａを形成し、図３１の下地層４１２の下層４１２ａと同様に凹凸を形成し、２回目の処理で第２絶縁層４１２ｂを形成する際には、遮光層４１５となる表示用ドットＤ間の境界領域を除いて、各表示用ドットＤの領域にフォトレジストを用いてエッチングによって第２絶縁層４１２ｂを形成することもできる。
【０２８２】
図３１のように、下地層４１２を開口部４２３の所で完全に除いてしまうと、却って、隣り合う表示用ドットＤ間の境界領域の表面と表示用ドットＤの表面との間の平坦性が損なわれる場合がある。このような場合には、図３２に示すように、凹部４２３の所で下地層４１２を所望の厚さに形成することにより、平坦性を確保でき、セルギャップのバラツキを少なくでき、さらに、ラビング処理も容易となる。
【０２８３】
さらに、ハーフトーンを用いて凹部４２３を形成することも可能である。
【０２８４】
（第７実施形態）
次に、反射半透過型のパッシブマトリックス方式の液晶装置に本発明を適用した場合の他の実施形態について説明する。図３４は本発明に係る液晶装置の他の実施形態を構成する液晶パネルの断面図である。図３５は図３４の液晶パネルを構成するカラーフィルタ基板の断面図である。図３６は該液晶パネルの部分拡大図である。図３６におけるＡ−Ａ’線の断面図が図３４に相当する。図３７は樹脂散乱層が完全に取り除かれた状態の遮光層の部分断面拡大図である。図３８は樹脂散乱層が一部分だけ取り除かれた状態の遮光層の部分断面拡大図である。そして、図３９は本実施形態に係る液晶装置の製造方法の一例の工程図である。
【０２８５】
図３４に示す液晶パネル５０２は、いわゆる反射半透過型の構造を有する液晶パネルであり、この液晶パネル５０２を用いて構成される液晶装置の構造は、図９に示した液晶装置１０１と略同じである。つまり、液晶パネル５０２に、必要に応じて照明装置１３１及びケース体１３２を付設することにより、液晶装置が構成される。
【０２８６】
液晶パネル５０２では、図３４に示すように、ガラス板又は合成樹脂板等から形成された透明な第１基材５０３を基体とするカラーフィルタ基板５０４と、これに対向する第２基材５０５を基体とする対向基板５０６とが、シール材１３３（図９参照）によって貼り合わされ、それらのカラーフィルタ基板５０４と対向基板５０６との間に液晶が封入されて液晶層５０７が形成されている。また、第１基材５０３の外面には位相差板５０８及び偏光板５０９が配置され、第２基材５０５の外面には位相差板５１０及び偏光板５１１が配置されている。
【０２８７】
カラーフィルタ基板５０４に関しては、第１基材５０３の液晶層５０７側の表面に下地層５１２が形成され、その下地層５１２の表面に反射層５１３が設けられる。また、下地層５１２の表面に反射層５１３が設けられた部分は反射部５２５を構成し、反射層５１３に形成された開口部５２２によって透過部が構成される。
【０２８８】
反射層５１３の上には、図３５に示すように、緑色の着色層５１４Ｇ、青色の着色層５１４Ｂ及び赤色の着色層５１４Ｒが所定の配列パターンで形成される。これらの着色層に関しては、これ以降の説明において、総称的に符号“５１４”で示されることがある。互いに隣り合う着色層５１４の間の境界領域には遮光層５１５が設けられる。
【０２８９】
また、着色層５１４及び遮光層５１５の上には、それらの層を保護するオーバーコート層５１６が設けられる。また、オーバーコート層５１６の上にはＩＴＯ等といった透明導電体から成る透明電極５１７が形成され、さらにその上にポリイミド樹脂等から成る配向膜５１８が形成される。
【０２９０】
一方、図３４において、対向基板５０６に関しては、第２基材５０５の液晶層５０７側の表面に透明電極５１９が形成され、さらにその上に配向膜５２０が形成される。電極５１９は、第１基材５０３側の電極５１７と直交する方向（すなわち、図３６のＸ方向）へ帯状に延びるように形成される。透明電極５１７は、相互に並列してストライプ状に構成されており、透明電極５１９はこれと直交する方向に、相互に並列してストライプ状に構成される。透明電極５１７と透明電極５１９とが平面的に重なる領域が表示用ドットＤとなる。
【０２９１】
カラーフィルタ基板５０４の下地層５１２は下層５１２ａ及び上層５１２ｂの２層で形成され、これらの層はいずれも樹脂材料によって形成される。この下地層５１２は、下層４１２ａの表面が細かい凹凸状に加工され、さらにこの下層５１２ａの表面全体が同じ材料の薄い上層５１２ｂで被覆されるので、滑らかな凹凸状が形成される。この凹凸形状は、下地層５１２を透過する光を散乱させるものであり、これにより、液晶装置の画面に表示された像が見難くなるという問題を解消できる。
【０２９２】
反射層５１３は、例えばアルミニウムや銀等の単体金属膜であって下地層５１２上に形成されており、下地層５１２の表面の凹凸に対応して反射層５１３の表面にも細かい凹凸が形成されている。これによって、反射層５１３によって反射された光も散乱させることができ、液晶装置の画面に表示された像が見難くなるという問題を解消できる。
【０２９３】
反射層５１３には、例えば図３６に示すように表示用ドットＤのほぼ中央に略長方形の開口部５２２が形成され、この開口部５２２が透過部となる。照明装置１３１（図９参照）から出射した光は、この開口部５２２を通過して液晶層５０７へ供給される。なお、開口部５２２は、この例の形に限られるものでなく、その他の形状、例えば円孔とすることもできる。また、１つの表示用ドットＤに含まれる開口部５２２の数は、１つに限られず、複数とすることもできる。
【０２９４】
着色層５１４は、例えば、顔料又は染料等の着色剤を含む感光性樹脂から成る着色レジストを塗布し、これをフォトリソグラフィ法等によってパターニングすることによって形成される。このパターニングにより、第１基材５０３を通過した照明装置１３１からの光を透過するための開口部５２２と、この開口部５２２の周りの反射層５１３を覆う部分が形成される。本実施形態のように、Ｒ，Ｇ，Ｂの３色の着色層５１４を設ける場合には、上記のパターニング処理が各色について順々に行われる。
【０２９５】
遮光層５１５は、各表示用ドットＤの間の境界領域に形成され、その境界領域を遮光する。この遮光層４１５は、第１基材５０３上の透明電極５１７の長手方向（すなわち、図３６のＹ方向）及びこれに直交する方向（すなわち、図３６のＸ方向）の両方向のそれぞれに帯状に延びるように形成されている。
【０２９６】
また、遮光層５１５は、例えば、金属クロム、カーボン、チタン等をフォトレジストに分散して形成した樹脂ブラックや、ニッケル等といった金属材料等によって形成されている。
【０２９７】
図３７において、下地層５１２に開口部５２３が形成されており、この開口部５２３の底部５２４は、第１基材５０３の直ぐ上に反射層５１３を介して設けられている。遮光層５１５は、隣接する着色層５１４よりも僅かに高くなるように開口部５２３の所の反射層５１３上に設けられている。
【０２９８】
例えば、図３７において、互いに隣り合う着色層５１４の厚さをｈ５１とし、反射層５１３の厚さをｈ５２とし、下地層５１２の厚さをｈ５３とするとき、遮光層５１５の厚さｈ５４と反射層５１３の厚さｈ５２との和を、ｈ５１、ｈ５２及びｈ５３の合計より僅かに高くなるように形成する。
【０２９９】
このように、下地層５１２及びこの下地層５１２上に設けられた着色層５１４から成る積層構造の互いに隣り合うものの境界に形成される領域である開口部５２３に、遮光層５１５を後から設けることにより、この遮光層５１５は着色層５１４よりもわずかに高くなる。これにより、開口部５２３を確実に遮光できる。また、遮光層５１５の表面と着色層５１４の表面との高さの違いは微差であるので、両者の間の平坦性は依然として確保されたままであり、それ故、セルギャップのバラツキを低減でき、さらにラビング処理が容易となる。そしてその結果、液晶装置における画面表示のコントラストが良くなる。
【０３００】
遮光層５１５を収容するために下地層５１２に形成する窪みは、上記のような開口部５２３に限られることはなく、例えば図３８に示すような凹部５２３とすることもできる。この場合には、凹部５２３の底部５２４の所で下地層５１２は完全には除かれていない。このような場合でも、凹部５２３の底部５２４の深さだけ遮光層５１５の高さを低くできる。
【０３０１】
例えば、底部５２４における下地層５１２の厚さｈ５５と、反射層５１３の厚さｈ５２と、遮光層５１５の厚さｈ５４との和を、着色層５１４の厚さｈ５１と、反射層５１３の厚さｈ５２と、下地層５１２の厚さｈ５３よりもわずかに高くなるように、遮光層５１５を形成する。
【０３０２】
これにより、凹部５２３に設けられた遮光層５１５が確実に遮光することができる。また、遮光層５１５の表面と着色層５１４の表面との間の高さの違いは微差であるので、それらの間の平坦性は依然確保されたままであり、それ故、セルギャップのバラツキを低減でき、また、ラビング処理が容易となる。そしてその結果、液晶装置における画面表示のコントラストが良くなる。
【０３０３】
なお、表示用ドットＤは、遮光層５１５によってその周囲を囲まれる領域であって、その表示用ドットＤの内部には、Ｒ，Ｇ，Ｂのいずれか１色の着色層５１４が含まれ、さらに、反射層５１３及び開口部５２２が含まれる。１画素は、Ｒ，Ｇ，Ｂの各色の着色層５１４を含む３つの表示用ドットＤによって構成される。
【０３０４】
以上のように構成された本実施形態において、第２基材５０５に形成された透明電極５１９に信号を供給する一方、第１基材５０３側に形成された透明電極５１７に信号を供給すると、透明電極５１９と透明電極５１７とが交差する表示用ドットＤに保持されている液晶のみを駆動することができる。
【０３０５】
反射型の表示を考えれば、対向基板５０６側から液晶層５０７に入射した外部光は表示用ドットＤ毎に変調され、着色層５１４を透過した後に反射層５１３で反射し、再び対向基板５０６を透過して外部へ出射し、この出射光によって表示が行われる。
【０３０６】
一方、透過型の表示を考えれば、図９の照明装置１３１から出射した光が第１基材５０３及び透過部５２２を通過して液晶層５０７へ供給され、この光が液晶層５０７によって表示用ドットＤ毎に変調され、この変調光が透明電極５１９及び第２基材５０５を通過して外部へ出射し、この出射光によって表示が行われる。
【０３０７】
本実施形態のオーバーコート層５１６は平坦なので、以上のような反射型表示及び透過型表示が行われる際には、コントラストの明瞭な画像を見ることができる。なお、外部への出射光は、反射層５１３及び透過部５２２を覆っている着色層５１４により、対応する色に着色される。
【０３０８】
本実施形態では、互いに隣り合う表示用ドットＤ間の境界領域で開口部５２３を有するように下地層５１２を形成し、その開口部５２３の中に遮光層５１５を設けたので、遮光層５１５の高さを開口部５２３の深さ分だけ低くでき、各表示用ドットＤの表面とそれに隣り合う表示用ドットＤ間の境界領域の表面との間の平坦性を確保できる。これにより、オーバーコート層５１６の平坦性が確保でき、セルギャップのバラツキを改善でき、ラビング処理が容易となる。また、液晶装置の表示画面のコントラストの明瞭化を達成できる。
【０３０９】
また、図３８に示すように、凹部５２３の所で下地層５１２が完全に取り除かれていない場合は、下地層５１２は第１絶縁層５１２ａと該第１絶縁層５１２ａ上に設けられた第２絶縁層５１２ｂとによって構成できる。この場合には、第２絶縁層５１２ｂの厚さ分の凹部５２３が形成される。このような場合においても、オーバーコート層５１６の上面の凹凸を低減でき、これにより、セルギャップのバラツキを低減でき、また、ラビング処理が容易となる。そしてその結果、液晶装置の表示画面のコントラストの改善が図れる。
【０３１０】
（液晶装置の製造方法）
次に、本実施形態に係る液晶装置の製造方法について図３９の工程図に基づいて説明する。まず、工程Ｐ１２１において、第１基材５０３上に下地層としての樹脂散乱層５１２を形成する。ここで、遮光層５１５を形成するための表示用ドットＤ間の境界領域では、図３４に示すように、下地層５１２に開口部５２３が形成されるように、フォトレジストをエッチングして下地層５１２を形成する。これについてもう少し詳しく説明すると、第１基材５０３上に樹脂材料をスピンコートにより均一に塗布し、その上にレジストを塗布し、所定のパターンが形成されたフォトマスクの上からそのレジストを露光し、そのレジストを現像処理し、さらに、上記樹脂材料をエッチングして下地層５１２に複数の穴を形成する。
【０３１１】
次に、この下地層５１２に対し熱を加えることにより、これらの穴を滑らかに変形させて凹凸状の下地層５１２の下層５１２ａが形成される。さらに、この下地層５１２の凹凸状が滑面になるように同じ樹脂材料を薄く塗布して下地層５１２の上層５１２ｂが形成される。
【０３１２】
さらに、その下地層５１２上にレジストを塗布し、さらに所定のパターンが形成されたフォトマスクの上からそのレジストを露光し、そのレジストを現像処理する。その後、レジストをマスクとして下地層５１２をエッチングしてその表面に開口部５２３を形成し、遮光層５１５となる部分で下地層５１２を取り除く。次に、工程Ｐ１２２において、下地層５１２上に蒸着法やスパッタリング法等によってアルミニウム等を薄膜状に成膜し、これをフォトリソグラフィ法を用いてパターニングすることによって、例えば図３６のように各表示用ドットＤの略中央に略長方形の開口部５２２を設けると共に、それ以外の領域に反射層５１３を形成する。
【０３１３】
次に、工程Ｐ１２３において、反射層５１３及び開口部５２２の上に１色の着色層材料をスピンコートにより塗布し、さらにその上にレジストを塗布し、所定のパターンが形成されたフォトマスクの上からそのレジストを露光し、そのレジストをさらに現像処理し、そのレジストをマスクとして上記着色層材料をエッチングして１色の着色層５１４を形成する。また、他の２色に関して同じ処理を繰り返して、Ｒ，Ｇ，Ｂ３色の着色層５１４を希望の配列パターンに形成する。
【０３１４】
次に、工程Ｐ１２４において、開口部５２３が形成された下地層５１２上に反射層５１３の上から遮光材を塗布し、写真蝕刻技術によってパターン化加工して、下地層５１２の開口部５２３に遮光層５１５を、着色層５１４より僅かに高くなるように形成する。なお、上記遮光材は、カーボンブラック等を樹脂中に分散させることによって形成できる。
【０３１５】
以上のように、本実施形態では、下地層５１２及びその上の着色層５１４により開口部５２３が形成され、その開口部５２３を埋めるように遮光層５１５を設ける。これにより、遮光層５１５の厚みを確保して遮光性を高めながら、遮光層５１５と着色層５１４との間の平坦性も確保できる。
【０３１６】
次に、工程Ｐ１２５において、着色層５１４の上にオーバーコート層５１６を形成する。次に、工程Ｐ１２６において、オーバーコート層５１６の上に透明電極５１７の材料であるＩＴＯ等をスパッタリング法により被着し、フォトリソグラフィ法によってパターニングして、図３６のようにＹ方向に所定の幅を持って電極５１７をストライプ状に形成する。
【０３１７】
さらに、工程Ｐ１２６において、電極５１７の上に配向膜５１８を形成し、その配向膜５１８にラビング処理を施し、これにより、カラーフィルタ基板５０４が形成される。
【０３１８】
一方、対向基板５０６に関して、工程Ｐ１３１において、第２基材５０５上に透明電極５１９の材料であるＩＴＯ等をスパッタリング法により被着し、フォトリソグラフィ法によってパターニングして図３６のようにＸ方向にストライプ状に、透明電極５１９を形成する。さらに、工程Ｐ１３２において、電極５１９の上に配向膜５２０を形成し、その配向膜５２０にラビング処理を施して、対向基板５０６が形成される。
【０３１９】
次に、工程Ｐ１４１において、対向基板５０６上にギャップ材１２９（図９参照）をドライ散布等により散布し、シール材１３３によってカラーフィルタ基板５０４と対向基板５０６とを貼り合わせる。次に、工程Ｐ１４２において、シール材１３３の開口部から液晶を注入し、その注入の終了後、シール材１３３の開口部を紫外線硬化性樹脂等によって封止する。さらに、工程Ｐ１４３において、位相差板５０８，５１０及び偏光板５０９，５１１を第１基材５０３及び第２基材５０５の各外面上に貼着等の方法により取り付ける。
【０３２０】
次に、工程Ｐ１４４において、必要な配線を行ったり、図９の照明装置１３１及びケース体１３２等といった付帯機器を取り付けて、図３４に示すような液晶パネル５０２を用いた、図９に符号１０１で示すような液晶装置が完成する。
【０３２１】
図３９に示す製造方法では、下地層５１２に開口部５２３が形成され、該開口部５２３を埋めるように遮光層５１５を設けるので、該遮光層５１５の高さを低くでき、オーバーコート層５１６表面の平坦性を確保できることとなり、セルギャップのバラツキの軽減やラビング処理によってコントラストの明瞭化を図ることができる。
【０３２２】
また、以上の説明では、図３７に示すように、遮光層５１５が形成される領域で下地層５１２を全て取り除いて開口部５２３を形成したが、これに代えて、図３８に示すように、下地層５１２を第１絶縁層５１２ａ及び第２絶縁層５１２ｂの２回に分けて形成し、第２絶縁層５１２ｂを形成するときに凹部５２３を形成するようにしてもよい。
【０３２３】
この場合には、１回目の処理で、遮光層５１５となる表示用ドットＤ間の境界領域を含めて、基材の全面に第１絶縁層５１２ａを形成し、さらに図３７の下地層５１２の下層５１２ａと同様に凹凸を形成する。そして、第２絶縁層５１２ｂを形成するための２回目の処理では、遮光層５１５となる表示用ドットＤ間の境界領域を除いて、各表示用ドットＤの領域にフォトレジストを材料として用いてエッチングによって第２絶縁膜５１２ｂを形成する。
【０３２４】
図３７のように、下地層５１２を開口部５２３の所で完全に除いてしまうと、却って、隣り合う表示用ドットＤ間の境界領域の表面と表示用ドットＤの表面との間の平坦性が損なわれる場合がある。このような場合には、図３８に示すように、凹部５２３の所で下地層５１２を所望の厚さに形成することにより、平坦性を確保でき、セルギャップのバラツキを少なくでき、さらに、ラビング処理も容易となる。
【０３２５】
さらに、ハーフトーンを用いて凹部５２３を形成することも可能である。
【０３２６】
（第８実施形態）
次に、反射半透過型のパッシブマトリックス方式の液晶装置に本発明を適用した場合の他の実施形態について説明する。図４０は本発明に係る液晶装置の他の実施形態を構成する液晶パネルの断面図である。図４１は図４０の液晶パネルを構成するカラーフィルタ基板の断面図である。図４２は該液晶パネルの部分拡大図である。図４２におけるＡ−Ａ’線の断面図が図４０に相当する。図４３は下地層が完全に取り除かれた状態の遮光層の部分断面拡大図である。図４４は下地層が一部分だけ取り除かれた状態の遮光層の部分断面拡大図である。そして、図４５は本実施形態に係る液晶装置の製造方法の一例の工程図である。
【０３２７】
図４０に示す液晶パネル６０２は、いわゆる反射半透過型の構造を有する液晶パネルであり、この液晶パネル６０２を用いて構成される液晶装置の構造は、図９に示した液晶装置１０１と略同じである。つまり、液晶パネル６０２に、必要に応じて照明装置１３１及びケース体１３２を付設することにより、液晶装置が構成される。
【０３２８】
液晶パネル６０２は、図４０に示すようにガラス板又は合成樹脂板等から形成された透明な第１基材６０３を基体とするカラーフィルタ基板６０４と、これに対向する第２基材６０５を基体とする対向基板６０６とがシール材１３３（図９参照）によって貼り合わされ、そのカラーフィルタ基板６０４と対向基板６０６との間に液晶が封入されて液晶層６０７が形成されている。また、第１基材６０３の外面には位相差板６０８及び偏光板６０９が配置され、第２基材６０５の外面には位相差板１１０及び偏光板１１１が配置されている。
【０３２９】
カラーフィルタ基板６０４に関しては、第１基材６０３の液晶層６０７側の表面に下地層６１２が形成され、その下地層６１２の表面に反射層６１３が設けられる。また、下地層６１２の表面に反射層６１３が設けられた部分は反射部６２５を構成し、反射層６１３に形成された開口部６２２によって透過部が構成される。
【０３３０】
反射層６１３の上には、緑色の着色層６１４Ｇ、青色の着色層６１４Ｂ及び赤色の着色層６１４Ｒが所定の配列パターンで形成される。これらの着色層に関しては、これ以降の説明において、総称的に符号“６１４”で示されることがある。互いに隣り合う着色層６１４の間の境界領域には遮光層６１５が設けられる。また、着色層６１４及び遮光層６１５の上には、それらの層を保護するオーバーコート層６１６が設けられる。また、オーバーコート層６１６の上にはＩＴＯ等といった透明導電体から成る透明電極６１７が形成され、さらにその上にポリイミド樹脂等から成る配向膜６１８が形成される。
【０３３１】
一方、図４０において、対向基板６０６には、第２基材６０５の液晶層６０７側の表面に、透明電極６１９が第１基材６０３側の透明電極６１７と直交する方向（すなわち、図４２のＸ方向）に帯状に延びるように形成され、さらにその上に配向膜６２０が形成されている。
【０３３２】
透明電極６１７は、相互に並列してストライプ状に構成されており、透明電極６１９はこれと直交する方向に、相互に並列してストライプ状に構成されている。第１基材６０３側の透明電極６１７と第２基材６０５側の透明電極６１９とが平面的に重なる領域が表示用ドットＤとなる。
【０３３３】
カラーフィルタ基板６０４の下地層６１２は、図４１に示すように、下層６１２ａ及び上層６１２ｂの２層で形成され、これらの各層は樹脂材料によって形成される。下地層６１２は、下層６１２ａの表面が細かい凹凸状に加工され、さらにこの下層６１２ａの表面全体は同じ材料の薄い上層６１２ｂで被覆されるので、滑らかな凹凸が形成される。この凹凸形状により、下地層６１２を透過する光を散乱させることができ、液晶装置の画面に表示された像が見難くなるという問題を解消できる。
【０３３４】
反射層６１３は、例えばアルミニウムや銀等の単体金属膜であって下地層６１２上に形成されており、下地層６１２の表面の凹凸に対応して反射層６１３の表面にも細かい凹凸が形成されている。これにより、反射層６１３によって反射する反射光を散乱させることができ、液晶装置の画面に表示された像が見難くなるという問題が解消できる。
【０３３５】
反射層６１３には、例えば図４２に示すように、表示用ドットＤのほぼ中央に略長方形状の開口６２２が形成され、この開口部６２２が透過部となる。照明装置１３１から出射した光は、この開口部６２２を通って液晶層６０７へ供給される。なお、開口部６２２は、この例の形に限られるものでなく、その他の形状、例えば円孔とすることもできる。また、１つの表示用ドットＤ内における開口部６２２の数は、１つに限られず、複数とすることができる。
【０３３６】
着色層６１４は、例えば、顔料又は染料等の着色剤を含む感光性樹脂から成る着色レジストを塗布し、これをフォトリソグラフィ法等によってパターニングすることによって形成される。このパターニングにより、第１基材６０３を通過した照明装置１３１からの光を透過するための開口部６２２と、この開口部６２２の周りの反射層６１３を覆う部分が形成される。本実施形態のように、Ｒ，Ｇ，Ｂの３色の着色層６１４を設ける場合には、上記のパターニング処理が各色について順々に行われる。これにより、各着色層６１４を遮光層６１５の所で他の着色層６１４と重ねることができる。
【０３３７】
着色層６１４の配列パターンとして、図４２では斜めモザイク配列を採用しているが、配列パターンとしては、この斜めモザイク配列の他に、ストライプ配列又はデジタル配列等の種々のパターン形状を採用することができる。
【０３３８】
遮光層６１５は、各表示用ドットＤの間の境界領域に形成され、その境界領域を遮光する。この遮光層６１５は、第１基材６０３上の透明電極６１７の長手方向（すなわち、図４２のＹ方向）及びこれに直交する方向（すなわち、図４２のＸ方向）の両方向のそれぞれに帯状に延びるように形成されている。
【０３３９】
図４１に示すように、遮光層６１５は、１つの着色層６１４とそれに隣接する他の着色層６１４との間に設けられる。この遮光層６１５の所で、下地層６１２には開口部６２３が形成されており、この開口部６２３の底部６２４は、第１基材６０３の直ぐ上に反射層６１３を介して設けられている。
【０３４０】
図４３において、開口部６２５には、遮光層６１５に隣り合う着色層６１４Ｂが底部６２４からｈ１１の厚さに形成され、その上に着色層６１４Ｇがｈ１２の厚さに形成され、さらにその上に着色層６１４Ｒの張出し部分がｈ１３の厚さで夫々重なり合って形成されている。
【０３４１】
ここで、図４３の最下方の着色層６１４Ｂの厚さｈ１１を０．７μｍ以上であって２．０μｍ以下とすれば、青色系例えば青色の着色層６１４Ｂの遮光性が良好となる。また、他の着色層との組み合わせで、各表示用ドットＤの表面と、それに隣り合うドットＤ間領域の表面（すなわち、遮光層６１５の表面）との間で、平坦性を確保できる。
【０３４２】
さらに、図４３のｈ１１を略１．７μｍに形成し、ｈ１２を略１．０μｍに形成し、ｈ１３を略０．９μｍに形成し、さらに、重ねられた着色層の一番上に有る着色層６１４Ｒの上面からのオーバーコート層６１６の厚さｈ１４を略１．８μｍに形成すると、下地層６１２の厚さｈ１５が略２．４μｍであり、表示用ドットＤでの着色層６１４Ｂの厚さｈ１６が略１．０μｍであり、この部分のオーバーコート層６１６の厚さｈ１７が略２．０μｍであることから、遮光層６１５上のオーバーコート層６１６の上面と着色層６１４Ｂの表示用ドットＤ上のオーバーコート層６１６の上面とは一致し、平坦な面となる。
【０３４３】
ここで、上述のように開口部６２５の一番下に着色層６１４Ｂを形成することによって、最も厚く形成でき厚さを略１．７μｍに形成することができるようになる。
【０３４４】
さらに、着色層６１４Ｇと着色層６１４Ｂとの間では、図４１に示すように開口部６２３の底部６２４に、まず、隣り合う着色層６１４Ｂが入り込み、その上に着色層６１４Ｇの張出し部分が重なり、さらにその上に着色層６１４Ｒが重なり、これにより、遮光層６１５が形成される。
【０３４５】
また、着色層６１４Ｒと着色層６１４Ｇとの間では、図４１に示すように、開口部６２３の底部６２４に、まず、着色層６１４Ｂが形成され、その上に着色層６１４Ｇのり出し部分が重なり、さらにその上に隣り合う着色層６１４Ｒが重なり、これにより、遮光層６１５が形成される。
【０３４６】
遮光層６１５を収容するために下地層６１２に形成する窪みは、上記のような開口部６２３に限られることはなく、例えば図４４に示すような凹部６２３とすることもできる。この場合には、凹部６２３の底部６２４の所で下地層６１２は完全には除かれていない。このような場合でも、凹部６２３の底部６２４の深さｍ１５だけ遮光層６１５の高さを低くできる。これにより、オーバーコート層６１６上面の凹凸を軽減できるので、セルギャップのバラツキを低減でき、ラビング処理が容易となる。そしてその結果、液晶装置における画面表示のコントラストが良くなる。
【０３４７】
ここで、図４４の最下方の着色層６１４Ｂの厚さｍ１１を０．７μｍ以上であって２．０μｍ以下とすれば、青色系例えば青色の着色層６１４Ｂの遮光性が良好となる。また、他の着色層との組み合わせで、各表示用ドットＤの表面と、それに隣り合う表示用ドットＤ間の境界領域の表面との間で凹凸を軽減できる。
【０３４８】
さらに好ましくは、図４４の着色層６１４Ｂの厚さｍ１１を略１．１μｍとし、着色層６１４Ｇの厚さｍ１２を略１．０μｍとし、さらに、着色層６１４Ｒの厚さｍ１３を略０．９μｍとすれば、凹部６２３の底部６２４の深さｍ１５が略１．３μｍのときに、オーバーコート層６１６上面の凹凸をより一層軽減できる。これにより、セルギャップのバラツキを軽減でき、また、ラビング処理が容易となる。そしてその結果、液晶装置の画面表示のコントラストが良くなる。
【０３４９】
なお、表示用ドットＤは、遮光層６１５によってその周囲を囲まれる領域であって、その表示用ドットＤの内部には、Ｒ，Ｇ，Ｂのいずれか１色の着色層６１４が含まれ、さらに、反射層６１３及び開口部６２２が含まれる。１画素は、Ｒ，Ｇ，Ｂの各色の着色層６１４を含む３つの表示用ドットＤによって構成される。
【０３５０】
以上のように構成された本実施形態において、第２基材６０５に形成された透明電極６１９に信号を供給する一方、第１基材６０３側に形成された透明電極６１７に信号を供給すると、透明電極６１９と透明電極６１７とが交差する領域である表示用ドットＤに保持された液晶のみを駆動することができる。
【０３５１】
反射型表示について考えれば、対向基板６０６側から液晶層６０７に入射した外部光は、表示用ドットＤ毎に変調され、着色層６１４を透過した後に反射層６１３で反射し、再び対向基板６０６を透過して外部へ出射し、この出射光によって表示が行われる。
【０３５２】
また、透過型表示について考えれば、照明装置１３１（図９参照）から出射した光は、第１基材６０３及び透過部６２２を通過して液晶層６０７へ供給され、該液晶層６０７によって表示用ドットＤ毎に変調され、透明電極６１９及び第２基材６０５を通過して外部へ出射し、この出射光によって表示が行われる。
【０３５３】
反射型表示及び透過型表示のいずれの場合でも、本実施形態では、オーバーコート層６１６が平坦に形成されているので、液晶装置の表示画面にコントラストの明瞭な画像を見ることができる。なお、外部への出射光は、反射層６１３及び透過部６２２を覆っている着色層６１４により、対応する色に着色される。
【０３５４】
本実施形態では、隣り合う表示用ドットＤ間の境界領域で凹部６２３（図４４）又は開口部６２３（図４３）を有するように下地層６１２を形成したので、着色層６１４によって形成される遮光層６１５の高さを低くでき、各表示用ドットＤの表面と、それに隣り合うドットＤ間領域の表面との間の平坦性を確保できる。
【０３５５】
また、本実施形態では、凹部６２３（図４４）の底部１２４又は開口部６２３（図４３）の底部１２４に、最初に、青色系例えば青色の着色層６１４Ｂを形成することにしたので、可視光波長域における平均透過率の低い青色が、他の緑色系例えば緑色及び赤色系例えば赤色の着色層６１４に比べ最も厚く形成される。このため、遮光性をより高くしながら、全体としての遮光層６１５の高さを低くできる。これにより、液晶装置の表示画面におけるコントラストを良くすることができる。
【０３５６】
さらに、開口部６２３に底部６２４の方から青色の着色層６１４Ｂを略１．７μｍの厚さに形成し、その上に緑色の着色層６１４Ｇを略１．０μｍに形成するか、又は、その上に赤色の着色層６１４Ｒを略０．９μｍに形成すれば、各表示用ドットＤ及びそれに隣り合うドットＤ間領域の上面の層、例えばオーバーコート層６１６の平坦性が、より一層確実に確保できる。これにより、セルギャップのバラツキを改善でき、さらに、ラビング処理が容易となり、その結果、液晶装置の表示画面のコントラストの明瞭化が図れる。
【０３５７】
また、以上の説明では、図４３に示すように、遮光層６１５が形成される領域で下地層６１２を全て取り除いて開口部６２３を形成したが、これに代えて、図４４に示すように、下地層６１２を第１絶縁層６１２ａ及び第２絶縁層６１２ｂの２回に分けて形成し、第２絶縁層６１２ｂを形成するときに凹部６２３を形成するようにしてもよい。
【０３５８】
この場合には、１回目の処理で、遮光層６１５となる表示用ドットＤ間の境界領域を含めて、基材の全面に第１絶縁層６１２ａを形成し、さらに図４３の下地層６１２の下層６１２ａと同様に凹凸を形成する。そして、第２絶縁層６１２ｂを形成するための２回目の処理では、遮光層６１５となる表示用ドットＤ間の境界領域を除いて、各表示用ドットＤの領域にフォトレジストを材料として用いてエッチングによって第２絶縁膜６１２ｂを形成する。
【０３５９】
この場合にも、オーバーコート層６１６の上面の凹凸を軽減できるので、セルギャップのバラツキを改善でき、また、ラビング処理が容易となる。そしてその結果、液晶装置の表示画面におけるコントラストの改善が図れる。
【０３６０】
（液晶装置の製造方法）
次に、本実施形態に係る液晶装置の製造方法について図４５の工程図に基づいて説明する。まず、工程Ｐ１５１において、第１基材６０３上に下地層６１２を形成する。ここで、遮光層６１５を形成する領域である表示用ドットＤ間の境界領域では、例えば図４０に示すように、下地層６１２に開口部６２３が形成されるように、フォトレジストをエッチングして下地層６１２を形成する。
【０３６１】
これについてもう少し詳しく説明すると、第１基材６０３上に樹脂材料をスピンコートにより均一に塗布し、その上にレジストを塗布し、所定のパターンが形成されたフォトマスクの上からレジストを露光し、そのレジストを現像処理し、さらにそのレジストをマスクとして上記樹脂材料をエッチングして下地層６１２に複数の穴を形成する。次に、この下地層６１２に対し熱を加えることにより、これらの穴を滑らかに変形させて凹凸状の下地層６１２の下層６１２ａが形成される。さらに、この下地層６１２の凹凸が滑らかになるように同じ樹脂材料を薄く塗布して下地層６１２の上層６１２ｂが形成される。
【０３６２】
次に、下地層６１２上にレジストを塗布し、所定のパターンが形成されたフォトマスクの上からそのレジストを露光し、さらにそのレジストを現像処理し、そのレジストをマスクとして下地層６１２をエッチングして、当該下地層６１２に開口部６２３を形成する。これにより、遮光層６１５となる部分で下地層６１２が除かれた下地層６１２が第１基材６０３上に形成される。
【０３６３】
次に、工程Ｐ１５２において、下地層６１２上に蒸着法やスパッタリング法等によってアルミニウム等を薄膜状に成膜し、これをフォトリソグラフィ法を用いてパターニングすることにより、例えば図４２に示すように、各表示用ドットＤの略中央に略長方形状の開口部６２２を設け、それと同時に、それ以外の領域に反射層６１３を形成する。
【０３６４】
次に、工程Ｐ１５３において、反射層６１３及び開口部６２２の上に１色、例えば青色系、例えば青色の着色層材料をスピンコートによって塗布し、その上にレジストを塗布し、所定のパターンが形成されたフォトマスクの上からレジストを露光し、そのレジストを現像処理し、さらに、そのレジストをマスクとして上記着色層材料をエッチングして青色の着色層６１４Ｂを形成する。また、他の２色に関して同じ処理を繰り返して、緑色系例えば緑色の着色層６１４Ｇ及び赤色系例えば赤色の着色層６１４Ｒを順次に形成する。
【０３６５】
これにより、各表示用ドットＤには青色の着色層６１４Ｂ、緑色の着色層６１４Ｇ及び赤色の着色層６１４Ｒが夫々単独で形成される。一方、遮光層６１５には、図４１に示すように、一番下層に青色の着色層６１４Ｂが最も厚く形成され、その上に緑色の着色層６１４Ｇ、さらに赤色の着色層６１４Ｒが重ねて形成される。このように、一番下層に青色の着色層６１４Ｂが最も厚く形成されるので遮光性を上げながら、例えば遮光層６１５全体としての厚さを薄くできる。
【０３６６】
次に、工程Ｐ１５４において、着色層６１４の上にオーバーコート層６１６を形成する。このとき、本実施形態では、下地層６１２に開口部６２３が形成されている分、遮光層６１５の高さを低くできるので、オーバーコート層６１６の表面の平坦性を確保でき、それ故、セルギャップのバラツキを軽減でき、また、ラビング処理が容易となる。そしてその結果、液晶装置の画面に表示される像のコントラストの明瞭化を図ることができる。
【０３６７】
次に、工程Ｐ１５５において、オーバーコート層６１６の上に透明電極６１７の材料であるＩＴＯ等をスパッタリング法により被着し、フォトリソグラフィ法によってパターニングして図４２のようにＹ方向に所定の幅を持ってストライプ状に透明電極６１７を形成する。さらに、その上に配向膜６１８を形成し、その配向膜６１８にラビング処理を施し、これにより、カラーフィルタ基板６０４が形成される。
【０３６８】
一方、対向基板６０６に関しては、工程Ｐ１６１において、第２基材６０５上に透明電極６１９の材料であるＩＴＯ等をスパッタリング法により被着し、フォトリソグラフィ法によってパターニングして図４２のようにＸ方向にストライプ状に透明電極６１９を形成する。次に、工程Ｐ１６２において、その電極６１９上に配向膜６２０を形成し、さらにラビング処理を施して対向基板６０６が形成される。
【０３６９】
次に、工程Ｐ１７１において、対向基板６０６上にギャップ材１２９（図９参照）をドライ散布等により散布し、シール材１３３によってカラーフィルタ基板６０４と対向基板６０６とを貼り合わせる。次に、工程Ｐ１７２において、シール材１３３の開口部から液晶を注入し、その注入後にシール材１３３の開口部を紫外線硬化性樹脂等によって封止する。
【０３７０】
次に、工程Ｐ１７３において、位相差板１０８，１１０及び偏光板１０９，１１１を第１基材６０３及び第２基材６０５の各外面上に貼着等によって取り付ける。次に、工程Ｐ１７４において、必要な配線を行ったり、図９の照明装置１３１やケース体１３２を取り付けて、液晶装置が完成する。
【０３７１】
図４５の製造方法では、各色の着色層６１４が重ねられて形成される遮光層６１５において、一番下層に青色系例えば青色の着色層６１４Ｂを最も厚く形成したので遮光性を上げることができ、しかも遮光層６１５の全体の厚さを薄くできる。
【０３７２】
さらに、下地層６１２に開口部６２３が形成されている分、遮光層６１５の高さを低くできるので、オーバーコート層６１６の表面の平坦性を確保でき、それ故、セルギャップのバラツキを軽減でき、また、ラビング処理を容易にできる。そしてその結果、液晶装置の画面に表示される像のコントラストの明瞭化を図ることができる。
【０３７３】
また、図４５の製造方法では、開口部６２３は図４３に示すように遮光層６１５となる領域で下地層６１２を全て取り除くことによって形成したが、これに代えて、図４４に示すように、下地層６１２を第１絶縁層６１２ａ及び第２絶縁層６１２ｂの２回に分けて形成し、第２絶縁層６１２ｂの形成によって凹部６２３を設けるようにしてもよい。
【０３７４】
この場合には、１回目の処理で、遮光層６１５となる表示用ドットＤ間の境界領域を含めて基材の全面に第１絶縁層６１２ａを形成し、図４３における下地層６１２の下層６１２ａと同様に凹凸を設け、２回目の第２絶縁層６１２ｂの形成の際には、遮光層６１５となる表示用ドットＤ間の境界領域を除いて、各表示用ドットＤの領域にフォトレジストを材料としてエッチングによって第２絶縁層６１２ｂを形成することができる。
【０３７５】
これにより、１回目の下地層６１２の形成でフォトレジストを用いて下地層６１２をエッチングする工程を省略でき、コストの削減が図れ、製造も速くできる。また、開口部６２３のように下地層６１２を完全に除いてしまうと却って、隣り合う表示用ドットＤ間の境界領域の表面と表示用ドットＤの表面との間の平坦性が損なわれるような場合にも、所望の厚さで下地層６１２を形成することにより平坦性を確保でき、これにより、セルギャップのばらつきを少なくでき、また、ラビング処理も容易となる。なお、遮光層６１５の部分の所で下地層６１２に凹部６２３を形成する工程は、上記説明とは逆に、第１回目の処理としても良い。
【０３７６】
さらに、ハーフトーンを用いて凹部６２３を形成することも可能である。
【０３７７】
（第９実施形態）
次に、スイッチング素子として二端子型スイッチング素子であるＴＦＤ（ＴｈｉｎＦｉｌｍ　Ｄｉｏｄｅ）を用いた反射半透過型の液晶装置に本発明を適用した他の実施形態について説明する。
【０３７８】
図４６は、本発明に係る液晶装置の他の実施形態を構成する液晶パネルの断面図である。図４７は、図４６の液晶パネルを構成する第１基板側の断面図である。図４８は、該液晶パネルの部分拡大図である。なお、図４８におけるＢ−Ｂ’線及びＣ−Ｃ’の断面図が図４６に相当する。図４９は、下地層が完全に取り除かれた状態の遮光層の部分断面拡大図である。図５０は、下地層が一部分だけ取り除かれた状態の遮光層の部分断面拡大図である。そして、図５１は、本実施形態に係る液晶装置の製造方法についての工程図である。
【０３７９】
図４６に示す液晶パネル７０２は、いわゆる反射半透過型の構造を有する液晶パネルであり、この液晶パネル７０２を用いて構成される液晶装置の構造は、図９に示した液晶装置１０１と略同じである。つまり、液晶パネル７０２に、必要に応じて照明装置１３１及びケース体１３２を付設することにより、液晶装置が構成される。
【０３８０】
液晶パネル７０２は、ガラス板又は合成樹脂板等から形成された透明な第１基材７０３を基体とするカラーフィルタ基板７０４と、これに対向する第２基材７０５を基体とする対向基板７０６とがシール材１３３（図９参照）によって貼り合わされ、そのカラーフィルタ基板７０４と対向基板７０６との間に液晶が封入されて液晶層７０７が形成されている。また、第１基材７０３の外面には位相差板７０８及び偏光板７０９が配置され、第２基材７０５の外面には位相差板７１０及び偏光板７１１が配置されている。
【０３８１】
カラーフィルタ基板７０４に関しては、第１基材７０３の液晶層７０７側の表面に下地層７１２が形成され、その下地層７１２の表面に反射層７１３が設けられる。また、下地層７１２の表面に反射層７１３が設けられた部分は反射部７２５を構成し、反射層７１３に形成された開口部７２２によって透過部が構成される。
【０３８２】
反射層７１３の上には、緑色の着色層７１４Ｇ、青色の着色層７１４Ｂ及び赤色の着色層７１４Ｒが所定の配列パターンで形成される。これらの着色層に関しては、これ以降の説明において、総称的に符号“７１４”で示されることがある。互いに隣り合う着色層７１４の間の境界領域には遮光層７１５が設けられる。また、着色層７１４及び遮光層７１５の上には、それらの層を保護するためのオーバーコート層７１６が設けられる。また、オーバーコート層７１６の上にはＩＴＯ等といった透明導電体から成るデータ線７２６が形成され、さらにその上にポリイミド樹脂等から成る配向膜７１８が形成される。
【０３８３】
一方、図４６おいて、対向基板７０６に関しては、第２基材７０５の液晶層７０７側の表面に、マトリクス状に配列する複数の画素電極７２７と、各画素電極７２７の境界領域において上記データ線７２６と交差する方向（すなわち、図４８のＹ方向）に帯状に延びる複数の走査線７２８と、該画素電極２２７及び走査線２２８に接続されたＴＦＤ７２９が配置され、その上には配向膜７２０が形成されている。
【０３８４】
ここで、データ線７２６は所定の方向（例えば、図４８のＸ方向）に延びる帯状に形成され、複数のデータ線７２６が相互に並列してストライプ状に構成されており、該データ線７２６と画素電極７２７とが平面的に重なる領域が表示用ドットＤとなる。
【０３８５】
また、下地層７１２は下層７１２ａ及び上層７１２ｂの２層で形成され、これらの各層は樹脂材料によって形成されている。この下地層７１２は、下層７１２ａの表面が細かい凹凸状に加工され、さらにこの下層７１２ａの表面全体が同じ材料の薄い上層７１２ｂで被覆されるので、滑らかな凹凸が形成される。この凹凸形状により、下地層７１２を透過する光を散乱させることができ、これにより、液晶装置の画面に表示された像が見難くなるという問題を解消できる。
【０３８６】
反射層７１３は、例えばアルミニウムや銀等の単体金属膜であって下地層７１２の上面に形成されており、下地層７１２の表面の凹凸に対応して反射層７１３の表面にも細かい凹凸が形成されている。これにより、反射層７１３によって反射された反射光も散乱させることができ、その結果、液晶装置の画面に表示された像が見難くなるという問題が解消できる。
【０３８７】
反射層７１３には、例えば図４８に示すように表示用ドットＤのほぼ中央に略長方形状の開口部７２２が形成されており、この開口部７２２が透過部となる。照明装置１３１（図９参照）から出射した光は、この開口部７２２を通って液晶層７０７へ供給される。なお、開口部７２２は、この例の形に限られるものでなく、その他の形、例えば円孔とすることができる。また、１つの表示用ドットＤ内の開口部７２２の数は１つに限られず、複数であっても良い。
【０３８８】
着色層７１４は、例えば、顔料又は染料等の着色剤を含む感光性樹脂から成る着色レジストを塗布し、これをフォトリソグラフィ法等によってパターニングすることによって形成される。このパターニングにより、第１基材７０３を通過した照明装置１３１からの光を透過するための開口部７２２と、この開口部７２２の周りの反射層７１３を覆う部分が形成される。本実施形態のように、Ｒ，Ｇ，Ｂの３色の着色層７１４を設ける場合には、上記のパターニング処理が各色について順々に行われる。これにより、各着色層７１４を遮光層７１５の所で他の着色層７１４と重ねることができる。
【０３８９】
遮光層７１５は、各表示用ドットＤの間の境界領域に形成され、その境界領域を遮光する。この遮光層７１５は、第２基材７０５の走査線７２８の長手方向（すなわち、図４８のＹ方向）及びこれに直交する方向（すなわち、図４８のＸ方向）に延びる帯状に形成されている。
【０３９０】
図４７に示すように、遮光層７１５は、１つの着色層７１４とそれに隣接する他の着色層７１４との間に設けられる。この遮光層７１５の所で、下地層７１２には開口部７２３が形成されており、この開口部７２３の底部７２４は、第１基材７０３の直ぐ上に反射層７１３を介して設けられている。
【０３９１】
図４９において、開口部７２３には、遮光層７１５に隣り合う着色層７１４Ｂが底部７２４からｈ２１の厚さに形成され、その上に着色層７１４Ｇがｈ２２の厚さに形成され、さらにその上に着色層７１４Ｒの張出し部分がｈ２３の厚さで夫々重なり合って形成されている。
【０３９２】
ここで、最下方の着色層７１４Ｂの厚さｈ２１を０．７μｍ以上であって２．０μｍ以下とすれば、青色系例えば青色の着色層７１４Ｂの遮光性が良好となる。また、他の着色層との組み合わせで、各表示用ドットＤの表面と、それに隣り合うドットＤ間領域の表面との間で平坦性を確保できる。
【０３９３】
さらに、図４９のｈ２１を略１．７μｍに形成し、ｈ２２を略１．０μｍに形成し、ｈ２３を略０．９μｍに形成し、さらに重ねられた着色層の一番上に有る着色層７１４Ｒの上面からのオーバーコート層７１６の厚さｈ２４を略１．８μｍに形成すると、下地層７１２の厚さｈ２５が略２．４μｍであり、表示用ドットＤでの着色層７１４Ｂの厚さｈ２６が略１．０μｍであり、この部分のオーバーコート層２１６の厚さｈ２７が略２．０μｍであることから、遮光層７１５上のオーバーコート層７１６の上面と着色層７１４Ｂの表示用ドットＤ上のオーバーコート層７１６の上面とは一致し、平坦な面となる。ここで、開口部７２３の一番下に着色層７１４Ｂを形成することにより、その着色層７１４Ｂの厚さは略１．７μｍに形成することができる。
【０３９４】
さらに、図４７において、着色層７１４Ｇと着色層７１４Ｂとの間では、開口部７２３の底部７２４に、まず、隣り合う着色層７１４Ｂが入り込み、その上に隣り合う着色層７１４Ｇの張出し部分が重なり、さらにその上に着色層７１４Ｒが重なり、これにより、遮光層７１５が形成される。
【０３９５】
また、着色層７１４Ｒと着色層７１４Ｇとの間では、開口部７２３の底部７２４に、まず、着色層７１４Ｂが形成され、その上に隣り合う着色層７１４Ｇの張出し部分が重なり、さらにその上に隣り合う着色層７１４Ｒが重なり、これにより、遮光層７１５が形成される。
【０３９６】
遮光層７１５を収容するために下地層７１２に形成する窪みは、上記のような開口部７２３に限られることはなく、例えば図５０に示すような凹部７２３とすることもできる。この場合には、凹部７２３の底部７２４の所で下地層７１２は完全には除かれていない。このような場合でも、凹部７２３の底部７２４の深さｍ２５だけ遮光層７１５の高さを低くできる。これにより、オーバーコート層７１６上面の凹凸を軽減できるので、セルギャップのバラツキを低減でき、ラビング処理が容易となる。そしてその結果、液晶装置における画面表示のコントラストが良くなる。
【０３９７】
ここで、図５０の最下方の着色層７１４Ｂの厚さｍ２１を０．７μｍ以上であって２．０μｍ以下とすれば、青色系例えば青色の着色層７１４Ｂの遮光性が良好となる。また、他の着色層との組み合わせで、各表示用ドットＤの表面とそれに隣り合うドットＤ間領域の表面との間で凹凸を軽減できる。
【０３９８】
さらに、図５０の着色層７１４Ｂの厚さｍ２１を略１．１μｍとし、着色層７１４Ｇの厚さｍ２２を略１．０μｍとし、着色層７１４Ｒの厚さｍ２３を略０．９μｍとすれば、凹部７２３の底部７２４の深さｍ２５を略１．３μｍとするときに、オーバーコート層７１６の上面の凹凸をより一層軽減できる。
【０３９９】
この場合の着色層７１４の配列パターンとして、図４８では斜めモザイク配列を採用しているが、配列パターンとしては、この斜めモザイク配列の他に、ストライプ配列又はデジタル配列等の種々のパターン形状を採用することができる。なお、表示用ドットＤは、遮光層７１５によってその周囲を囲まれる領域であって、その表示用ドットＤの内部には、Ｒ，Ｇ，Ｂのいずれか１色の着色層７１４が含まれ、さらに、反射層７１３及び開口部７２２が含まれる。１画素は、Ｒ，Ｇ，Ｂの各色の着色層７１４を含む３つの表示用ドットＤによって構成される。
【０４００】
次に、図４６の画素電極７２７は、例えばＩＴＯ等といった透明導電体によって形成され、当該画素電極７２７に隣り合う走査線７２８とは、ＴＦＤ７２９を介して接続されている。ＴＦＤ７２９は、第２基材７０５の表面に成膜された下地層７３０の上に形成されている。また、ＴＦＤ７２９は、第１金属層７３１と、該第１金属層７３１の表面に形成された絶縁膜７３２と、該絶縁膜７３２の上に形成された第２金属層７３３とによって構成されている。
【０４０１】
ここで、第１金属層７３１は、例えば、厚さが１００〜５００ｎｍ程度のＴａ単体膜、Ｔａ合金膜等によって形成され、走査線７２８に接続されている。また、絶縁膜７３２は、例えば厚さが１０〜３５ｎｍ程度の酸化タンタル等によって形成されている。さらに、第２金属層７３３は、例えば、クロム（Ｃｒ）等といった金属膜によって５０〜３００ｎｍ程度の厚さに形成され、画素電極７２７に接続されている。
【０４０２】
以上のように構成された本実施形態において、第２基材７０５に形成された走査線７２８の夫々に走査信号を供給する一方、第１基材７０３側に形成されたデータ線７２６にデータ信号を供給すると、画素電極７２７とデータ線７２６とが対向する部分に保持された液晶のみを駆動することができる。
【０４０３】
反射型表示を考えると、第２基材７０５及び画素電極７２７を通過して液晶層７０７に入射した外部光は、該液晶層７０７によって表示用ドットＤ毎に変調され、反射層７１３により反射され、再び画素電極７２７及び第２基材７０５を通過し外部へ出射される。
【０４０４】
一方、透過型表示を考えると、照明装置１３１（図９参照）から出射した光は第１基材７０３及び透過部７２２を通過して液晶層７０７に入射し、該液晶層７０７によって表示用ドットＤ毎に変調され、画素電極７２７及び第２基材７０５を通過して外部へ出射し、この出射光によって表示が行われる。
【０４０５】
反射型表示及び透過型表示のいずれの場合でも、本実施形態では、オーバーコート層７１６が平坦に形成されるので、液晶装置における画面にコントラストの明瞭な画像を見ることができる。なお、外部への出射光は、反射層７１３及び透過部７２２を覆っている着色層７１４に対応した色に着色される。
【０４０６】
本実施形態では、隣り合う表示用ドットＤ間の境界領域で凹部７２３（図５０）又は開口部７２３（図４９）を有するように下地層７１２を形成したので、着色層７１４によって形成される遮光層７１５の高さを低くでき、これにより、各表示用ドットＤの表面とそれに隣り合うドットＤ間領域の表面との間の平坦性を確保できる。
【０４０７】
また、凹部７２３の底部７２４又は開口部７２３の底部７２４に、最初に、青色系例えば青色の着色層７１４Ｂを形成することにしたので、可視光波長域における平均透過率の低い青色が、他の緑色系例えば緑色及び赤色系例えば赤色の着色層７１４に比べ最も厚く形成され、遮光性をより高くしながら全体として遮光層７１５の高さを低くでき、コントラストを良くすることができる。
【０４０８】
さらに、開口部７２３に底部７２４の方から青色の着色層７１４Ｂを略１．７μｍの厚さに形成し、その上に緑色の着色層７１４Ｇを略１．０μｍの厚さに形成し、さらにその上に赤色の着色層７１４Ｒを略０．９μｍの厚さに形成すれば、各表示用ドットＤの上面とそれに隣り合うドットＤ間領域の上面との間の平坦性、従って、オーバーコート層７１６の平坦性がより確保でき、それ故、セルギャップのバラツキを改善でき、さらに、ラビング処理が容易となる。そしてその結果、液晶装置の表示画面のコントラストの明瞭化が図れる。
【０４０９】
また、以上の説明では、図４９に示すように、遮光層７１５が形成される領域で下地層７１２を全て取り除いて開口部７２３を形成したが、これに代えて、図５０に示すように、下地層７１２を第１絶縁層７１２ａ及び第２絶縁層７１２ｂの２回に分けて形成し、第２絶縁層７１２ｂを形成するときに凹部７２３を形成するようにしてもよい。
【０４１０】
この場合には、１回目の処理で、遮光層７１５となる表示用ドットＤ間の境界領域を含めて、基材の全面に第１絶縁層７１２ａを形成し、さらに図４９の下地層７１２の下層７１２ａと同様に凹凸を形成する。そして、第２絶縁層７１２ｂを形成するための２回目の処理では、遮光層７１５となる表示用ドットＤ間の境界領域を除いて、各表示用ドットＤの領域にフォトレジストを材料として用いてエッチングによって第２絶縁膜７１２ｂを形成する。
【０４１１】
この場合にも、オーバーコート層７１６の上面の凹凸を軽減できるので、セルギャップのバラツキを改善でき、また、ラビング処理が容易となる。そしてその結果、液晶装置の表示画面におけるコントラストの改善が図れる。さらに、本実施形態ではＴＦＤ型のアクティブマトリックス方式であるため、画面が明るくて見やすく、消費電力及び製造コストを低く抑えられる。
【０４１２】
（液晶装置の製造方法）
次に、本実施形態に係る液晶装置の製造方法について図５１の工程図に基づいて説明する。まず、工程Ｐ１８１において、第１基材７０３上に下地層７１２を形成する。ここで遮光層７１５を形成する各表示用ドットＤ間の境界領域では、下地層７１２に開口部７２３が形成されるように、フォトレジストを用いて下地層７１２をエッチングする。
【０４１３】
これについてもう少し詳しく説明すると、第１基材７０３上に樹脂材料をスピンコートにより均一に塗布し、さらにその上にレジストを塗布し、所定のパターンが形成されたフォトマスクの上からレジストを露光し、そのレジストを現像処理し、さらに、そのレジストをマスクとして上記樹脂材料をエッチングして下地層７１２に複数の穴を形成する。次に、この下地層７１２に対し熱を加えることにより、これらの穴を滑らかに変形させて凹凸状の下地層７１２の下層７１２ａが形成される。さらに、この下地層７１２の凹凸が滑らかになるように同じ樹脂材料を薄く塗布し、下地層７１２の上層７１２ｂが形成される。
【０４１４】
次に、下地層７１２上にレジストを塗布し、所定のパターンが形成されたフォトマスクの上からそのレジストを露光し、そのレジストを現像処理し、さらに、レジストをマスクとして下地層７１２をエッチングして当該下地層７１２に開口部７２３を形成し、これにより、遮光層７１５となる部分で下地層７１２が除かれた下地層７１２が第１基材７０３上に形成される。
【０４１５】
次に、工程Ｐ１８２において、下地層７１２上にアルミニウム等を蒸着法やスパッタリング法等によって薄膜状に成膜し、これをフォトリソグラフィ法を用いてパターニングすることによって、例えば図４８のように各表示用ドットＤの略中央に略長方形状の開口部７２２を設けると共に、それ以外の領域に反射層７１３を形成する。
【０４１６】
次に、工程Ｐ１８３において、反射層７１３及び開口部７２２の上に１色、例えば青色系、例えば青色の着色層材料をスピンコートによりを塗布し、その上にレジストを塗布し、所定のパターンが形成されたフォトマスクの上からレジストを露光し、そのレジストを現像処理し、さらに、そのレジストをマスクとして上記着色層材料をエッチングして、青色の着色層７１４Ｂを形成する、また、他の２色に関して同じ処理を繰り返して、緑色系例えば緑色の着色層７１４Ｇ及び赤色系例えば赤色の着色層７１４Ｒを順次に形成する。
【０４１７】
これにより、各表示用ドットＤには青色の着色層７１４Ｂ、緑色の着色層７１４Ｇ及び赤色の着色層７１４Ｒが夫々単独で形成され、遮光層７１５には図４６のように一番下層に青色の着色層７１４Ｂが最も厚く形成され、その上に緑色の着色層７１４Ｇ、更に赤色の着色層７１４Ｒが重ねて形成される。上記のように、一番下層に青色の着色層７１４Ｂが最も厚く形成されるので、遮光性を上げながら、遮光層７１５の全体の厚さを薄くできる。
【０４１８】
次に、工程Ｐ１８４において、着色層７１４の上にオーバーコート層７１６を形成する。このとき、下地層７１２に開口部７２３が形成されている分、遮光層７１５の高さを低くできるので、オーバーコート層７１６の表面の平坦性を確保でき、それ故、セルギャップのバラツキを軽減でき、また、ラビング処理を容易にできる。そしてその結果、液晶装置の画面に表示される像のコントラストの明瞭化を図ることができる。
【０４１９】
次に、工程Ｐ１８５において、オーバーコート層７１６の上にデータ線７２６の材料であるＩＴＯ等をスパッタリング法により被着し、フォトリソグラフィ法によってパターニングして図４８のようにＸ方向に所定の幅をもってデータ線７２６をストライプ状に形成する。さらにその上に配向膜７１８を形成し、その配向膜７１８にラビング処理を施してカラーフィルタ基板７０４が形成される。
【０４２０】
一方、対向基板７０６に関して、工程Ｐ１９１において、第２基材７０５上にＴＦＤ７２９、走査線７２８及び画素電極７２７を形成する。ここで、ＴＦＤ７２９は次のようにして形成される。すなわち、まず、第２基材７０５上にＴａ酸化物等を一様な厚さに成膜して下地層７３０を形成する。次に、その上にＴａ等をスパッタリングによって一様な厚さで成膜し、フォトリソグラフィ法により走査線２２８と第１金属層２３１とを同時に形成する。このとき、走査線２２８と第１金属層２３１とはブリッジでつながっている。
【０４２１】
次に、上記の第１金属層２３１に絶縁膜である酸化タンタル等を一様な厚さで成膜して絶縁膜７３２を形成して、さらにその上にＣｒをスパッタリング等により一様な厚さで成膜し、さらにフォトリソグラフィ法を利用して第２金属層２３３を形成する。
【０４２２】
次に、画素電極７２７の形成予定領域の下地層２３０を除去した後、ＩＴＯをスパッタリング等によって一様な厚さで成膜し、さらにフォトリソグラフィ法等によって１つの表示用ドットＤの大きさに相当する所定形状の画素電極７２７を、一部が第２金属層２３３と重なるように形成する。これら一連の処理により、ＴＦＤ７２９及び画素電極７２７が形成される。
【０４２３】
次に、工程Ｐ１９２において、ＴＦＤ７２９及び画素電極７２７の上に配向膜７２０を形成し、その配向膜７２０にラビング処理を施し、これにより、対向基板７０６が形成される。
【０４２４】
次に、工程Ｐ２０１において、第２基材７０５側の配向膜７２０上にギャップ材１２９（図９参照）をドライ散布等により散布し、シール材１３３によって上記のカラーフィルタ基板７０４と上記の対向基板７０６とを貼り合わせる。次に、工程Ｐ２０２において、シール材１３３の開口部から液晶を注入し、その注入後にシール材の開口部を紫外線硬化性樹脂等によって封止する。
【０４２５】
次に、工程Ｐ２０３において、位相差板７０８，７１０及び偏光板７０９，７１１を第１基材７０３及び第２基材７０５の各外面上に貼着等の方法により取り付ける。次に、工程Ｐ２０４において、必要な配線を行ったり、図９の照明装置１３１やケース体１３２を取り付けて、液晶装置が完成する。
【０４２６】
図５１の製造方法では、着色層７１４が重ねられる遮光層７１５で一番下層に青色系例えば青色の着色層７１４Ｂを配置することとしたので、青色の着色層７１４を最も厚く形成できるので遮光性を上げることができる。また、遮光層７１５の全体の厚さを薄くできる。
【０４２７】
さらに、下地層７１２に開口部７２３が形成されている分、遮光層７１５の高さを低くできるので、オーバーコート層７１６の表面の平坦性を確保できる。これにより、セルギャップのバラツキを軽減でき、また、ラビング処理を容易にできる。そしてその結果、液晶装置における画面表示のコントラストの明瞭化を図ることができる。
【０４２８】
また、図５１の製造方法では、図４９に示すように、開口部７２３の所すなわち遮光層７１５となる領域で下地層７１２を全て取り除いたが、これに代えて、図５０で示すように下地層７１２を第１絶縁層７１２ａ及び第２絶縁層７１２ｂの２回に分けて形成し、第２絶縁層７１２ｂの形成時に凹部７２３を形成するようにしても良い。
【０４２９】
例えば、１回目の処理では遮光層７１５となる表示用ドットＤ間の境界領域を含めて基材の全面に第１絶縁層７１２ａを形成し、図４９の下地層７１２の下層７１２ａと同様に凹凸を設け、２回目の第２絶縁層７１２ｂの形成処理に際しては、遮光層７１５となる各表示用ドットＤ間の境界領域を除いて、各表示用ドットＤの領域にフォトレジストを材料としてエッチングによって下地層７１２を形成することができる。
【０４３０】
これにより、１回目の下地層７１２の形成でフォトレジストを用いて下地層７１２をエッチングする工程を省略できコストの削減が図れ、製造も速くできる。また、開口部７２３のように下地層７１２を完全に除いてしまうと却って、隣り合う表示用ドットＤ間の境界領域と表示用ドットＤとの表面の平坦性が損なわれるような場合にも、所望の厚さで下地層７１２を形成して平坦性を確保でき、セルギャップのばらつきを少なくできる他、ラビング処理も容易となる。なお、遮光層７１５の部分で下地層７１２に凹部７２３を形成する方を上述と逆に第１回目にしても良い。
【０４３１】
さらに、ハーフトーンを用いて凹部７２３を形成することも可能である。
【０４３２】
（第１０実施形態）
次に、スイッチング素子として三端子型スイッチング素子であるＴＦＴ（Ｔｉｎ　Ｆｉｌｍ　Ｔｒａｎｓｉｓｔｏｒ）を用いた反射半透過型の液晶装置に本発明を適用した場合の他の実施形態について説明する。
【０４３３】
図５２は、本発明に係る液晶装置の一実施形態を構成する液晶パネルの断面図である。図５３は、図５２の液晶パネルを構成するカラーフィルタ基板の断面図である。図５４は、該液晶パネルの部分拡大図である。なお、図５４におけるＤ−Ｄ’線及びＥ−Ｅ’線の断面図が図５２に相当する。図５５は、下地層が完全に取り除かれた状態の遮光層の部分断面拡大図である。図５６は、下地層が一部分だけ取り除かれた状態の遮光層の部分断面拡大図である。そして、図５７は本実施形態に係る液晶装置の製造方法についての工程図である。
【０４３４】
図５２に示す液晶パネル８０２は、いわゆる反射半透過型の構造を有する液晶パネルであり、この液晶パネル８０２を用いて構成される液晶装置の構造は、図９に示した液晶装置１０１と略同じである。つまり、液晶パネル８０２に、必要に応じて照明装置１３１及びケース体１３２を付設することにより、液晶装置が構成される。
【０４３５】
液晶パネル８０２は、ガラス板又は合成樹脂板等から形成された透明な第１基材８０３を基体とするカラーフィルタ基板８０４と、これに対向する第２基材８０５を基体とする対向基板８０６とがシール材１３３（図９参照）によって貼り合わされ、そのカラーフィルタ基板８０４と対向基板８０６との間に液晶が封入されて液晶層８０７が形成されている。また、第１基材８０３の外面には位相差板８０８及び偏光板８０９が配置され、第２基材８０５の外面には位相差板８１０及び偏光板８１１が配置されている。
【０４３６】
カラーフィルタ基板８０４に関しては、第１基材８０３の液晶層８０７側の表面に下地層８１２が形成され、その下地層８１２の表面に反射層８１３が設けられる。また、下地層８１２の表面に反射層８１３が設けられた部分は反射部８２５を構成し、反射層８１３に形成された開口部８２２によって透過部が構成される。
【０４３７】
反射層８１３の上には、緑色の着色層８１４Ｇ、青色の着色層８１４Ｂ及び赤色の着色層８１４Ｒが所定の配列パターンで形成される。これらの着色層に関しては、これ以降の説明において、総称的に符号“８１４”で示されることがある。互いに隣り合う着色層８１４の間の境界領域には遮光層８１５が設けられる。また、着色層８１４及び遮光層８１５の上には、それらの層を保護するためのオーバーコート層８１６が設けられる。また、オーバーコート層８１６の上にはＩＴＯ等といった透明導電体から成る共通電極８３４が形成され、さらにその上にポリイミド樹脂等から成る配向膜８１８が形成される。
【０４３８】
次に、対向基板８０６に関しては、第２基材８０５の液晶層８０７側の表面には、マトリクス状に配列する複数の画素電極８２７と、各画素電極８２７の境界領域においてゲート配線８３５及びソース配線８３６とが直交するように配置され、その配線の交差部分付近にはＴＦＴ８３７が設けられ、更にその上に配向膜８２０が形成されている。なお、ゲート配線８３５は図５４のＹ方向に延び、ソース配線８３６は同図のＸ方向に延びている。
【０４３９】
ここで、共通電極８３４はオーバーコート層８１６の表面全域に形成された面電極であり、ゲート配線８３５とソース配線８３６とによって囲まれる領域が表示用ドットＤとなる。
【０４４０】
また、下地層８１２は下層８１２ａ及び上層８１２ｂの２層で形成され、これらの層は樹脂材料によって形成されている。この下地層８１２は、下層８１２ａの表面が細かい凹凸状に加工され、さらに、この下層８１２ａの表面全体が同じ材料の薄い上層８１２ｂで被覆されるので、滑らかな凹凸が形成される。この凹凸により、下地層８１２を透過する光を散乱させることができ、これにより、液晶装置の画面に表示された像が見難くなるという問題を解消できる。
【０４４１】
反射層８１３は、例えばアルミニウムや銀等の単体金属膜であって下地層８１２の上面に形成されており、下地層８１２表面の凹凸に対応して反射層８１３の表面にも細かい凹凸が形成されている。この凹凸により、反射層８１３によって反射された反射光も散乱させることができ、これにより、液晶装置の画面に表示された像が見難くなるという問題が解消できる。
【０４４２】
反射層８１３には、図５４に示すように、表示用ドットＤのほぼ中央に略長方形状の開口部８２２が形成されており、この開口部８２２が透過部となる。照明装置１３１（図９参照）からの出射光はこの開口部８２２を通して液晶層８０７へ供給される。なお、開口部８２２は、この例の形に限られるものでなく、その他の形、例えば円孔にすることもできる。また、１つの表示用ドットＤ内における開口部８２２の数は、１つに限られず、複数とすることができる。
【０４４３】
着色層８１４は、例えば、顔料又は染料等の着色剤を含む感光性樹脂から成る着色レジストを塗布し、これをフォトリソグラフィ法等によってパターニングすることによって形成される。このパターニングにより、第１基材８０３を通過した照明装置１３１からの光を透過するための開口部８２２と、この開口部８２２の周りの反射層８１３を覆う部分が形成される。本実施形態のように、Ｒ，Ｇ，Ｂの３色の着色層８１４を設ける場合には、上記のパターニング処理が各色について順々に行われる。これにより、各着色層８１４を遮光層８１５の所で他の着色層８１４と重ねることができる。
【０４４４】
遮光層８１５は、各表示用ドットＤの間の境界領域に形成され、その境界領域を遮光する。この遮光層８１５は、第２基材８０５のゲート配線８３５の長手方向（すなわち、図５４のＹ方向）及びこれに直交する方向（すなわち、図５４のＸ方向）に延びる帯状に形成されている。
【０４４５】
また、遮光層８１５は、例えば、着色層８１４Ｂと着色層８１４Ｒとの間では、図５５に示すように、下地層８１２に開口部８２３が形成されており、この開口部８２３の底部８２４は、第１基材８０３の直ぐ上に反射層８１３を介して形成されている。
【０４４６】
開口部８２３には、遮光層８１５に隣り合う着色層８１４Ｂが底部８２４からｈ３１の厚さに形成され、その上に着色層８１４Ｇがｈ３２の厚さに形成され、さらにその上に着色層８１４Ｒの張出し部分がｈ３３の厚さで夫々重なり合って形成されている。
【０４４７】
ここで、最下方の着色層８１４Ｂの厚さｈ３１を０．７μｍ以上であって２．０μｍ以下とすれば、青色系例えば青色の着色層８１４Ｂの遮光性が良好となる。また、他の着色層との組み合わせで、各表示用ドットＤの表面とそれに隣り合う表示用ドットＤ間の境界領域の表面との間の平坦性を確保できることとなる。さらに、図５５のｈ３１を略１．７μｍに形成し、ｈ３２を略１．０μｍに形成し、ｈ３３を略０．９μｍに形成し、さらに、重ねられた着色層の一番上に有る着色層８１４Ｒの上面からのオーバーコート層８１６の厚さｈ３４を略１．８μｍに形成すると、下地層８１２の厚さｈ３５が略２．４μｍであり、表示用ドットＤでの着色層８１４Ｂの厚さｈ３６が略１．０μｍであり、この部分のオーバコート層８１６の厚さｈ３７が略２．０μｍであることから、遮光層８１５上のオーバーコート層８１６の上面と着色層８１４Ｂの表示用ドットＤ上のオーバーコート層８１６の上面とは一致し、平坦な面となる。
【０４４８】
ここで、上述のように開口部８２３の一番下に着色層８１４Ｂを形成することによって、厚さを略１．７μｍに形成することができるようになる。
【０４４９】
さらに、着色層８１４Ｇと着色層８１４Ｂとの間では、図５３に示すように、開口部８２３の底部８２４に、まず、隣り合う着色層８１４Ｂが入り込み、その上に隣り合う着色層８１４Ｇの張出し部分が重なり、さらに、その上に着色層８１４Ｒが重なり、これにより、遮光層８１５が形成される。
【０４５０】
また、着色層８１４Ｒと着色層８１４Ｇとの間では、開口部８２３の底部８２４に、まず、着色層８１４Ｂが形成され、その上に隣り合う着色層８１４Ｇの張出し部分が重なり、さらに、その上に隣り合う着色層８１４Ｒが重なり、これにより、遮光層８１５が形成される。
【０４５１】
さらに、遮光層８１５は、上述の構成に限られることはなく、例えば図５６に示すように、凹部８２３の底部８２４において完全には下地層８１２が除かれていないような場合においても、凹部８２３の底部８２４の深さｍ３５だけ、遮光層８１５の高さが低くなり、オーバーコート層８１６の上面の凹凸を軽減できることとなる。これにより、セルギャップのバラツキを低減でき、ラビング処理が容易となり、液晶装置の画面表示のコントラストが良くなる。
【０４５２】
ここで、図５６の最下方の着色層８１４Ｂの厚さｍ３１を０．７μｍ以上であって２．０μｍ以下とすれば、青色系例えば青色の着色層８１４Ｂの遮光性が良好となり、他の着色層との組み合わせで、各表示用ドットＤと隣り合う表示用ドットＤ間の境界領域との表面の凹凸を軽減できることとなる。
【０４５３】
さらに、図５６の着色層８１４Ｂの厚さｍ３１を略１．１μｍとし、着色層８１４Ｇの厚さｍ３２を略１．０μｍとし、さらに着色層８１４Ｒの厚さｍ３３を略０．９μｍとすれば、凹部８２３の底部８２４の深さｍ３５を略１．３μｍとしたときに、オーバーコート層８１６の上面の凹凸をより一層軽減できることとなる。
【０４５４】
この場合の着色層８１４の配列パターンとして、図５４では斜めモザイク配列を採用しているが、この斜めモザイク配列の他に、ストライプ配列又はデジタル配列等の種々のパターン形状を採用することができる。
【０４５５】
なお、表示用ドットＤは、遮光層８１５によってその周囲を囲まれる領域であって、その表示用ドットＤの内部には、Ｒ，Ｇ，Ｂのいずれか１色の着色層８１４が含まれ、さらに、反射層８１３及び開口部８２２が含まれる。１画素は、Ｒ，Ｇ，Ｂの各色の着色層８１４を含む３つの表示用ドットＤによって構成される。
【０４５６】
次に、ＴＦＴ８３７は、第２基材８０５上に形成されたゲート電極８３８と、このゲート電極８３８の上で第２基材８０５の全域に形成されたゲート絶縁膜８３９と、このゲート絶縁膜８３９を挟んでゲート電極８３８の上方位置に形成された半導体層８４０と、その半導体層８４０の一方の側にコンタクト電極８４１を介して形成されたソース電極８４２と、更に半導体層８４０の他方の側にコンタクト電極８４１を介して形成されたドレイン電極８４３とを有する。
【０４５７】
ここで、ゲート電極８３８はゲート配線８３５に接続され、ソース電極８４２はソース配線８３６に接続されている。ゲート配線８３５は第２基材８０５の平面方向に延びていて縦方向（すなわち、図５４のＹ方向）へ等間隔で平行に複数本形成されている。また、ソース配線８３６はゲート絶縁膜８３９を挟んでゲート配線８３５と交差するように第２基材８０５の平面方向に延びていて横方向（すなわち、図５４のＸ方向）へ等間隔で平行に複数本形成されている。
【０４５８】
画素電極８２７は、互いに交差するゲート配線８３５とソース配線８３６とによって区画される方形領域のうち、ＴＦＴ８３７に対応する部分を除いた領域を覆うように構成され、例えばＩＴＯ等といった透明導電体により形成されている。
【０４５９】
ゲート配線８３５とゲート電極８３８は、例えば、クロム、タンタル等によって形成される。また、ゲート絶縁膜８３９は、例えば、窒化シリコン（ＳｉＮＸ）、酸化シリコン（ＳｉＯＸ）等によって形成される。また、ソース電極８４２及びそれと一体的なソース配線８３６並びにドレイン電極８４３は、例えば、チタン、モリブデン、アルミニウム等によって成形される。
【０４６０】
以上のように構成された本実施形態において、第１基材８０３に形成されている共通電極８３４に信号を提供する一方、第２基材８０５に形成されたゲート配線８３５とソース配線８３６に信号を提供すると、表示用ドットＤ毎に画素電極８２７が選択され、この選択された画素電極８２７と共通電極８３４との間に保持される液晶のみが、電圧が印加されることによって液晶の配向が制御され、反射光及び透過光が変調される。
【０４６１】
反射型表示を考えれば、第２基材８０５及び画素電極８２７を通過して液晶層８０７に入射した外光は、該液晶層８０７によって表示用ドットＤ毎に光変調され、反射層８１３により反射され、再び画素電極８２７及び第２基材８０５を通過し外部へ出射し、この出射光によって表示が行われる。
【０４６２】
一方、透過型表示を考えれば、照明装置１３１（図９参照）から出射した光は第１基材８０３及び透過部３２２を通過して液晶層８０７に入射した後、該液晶層８０７によって表示用ドットＤ毎に光変調され、画素電極８２７及び第２基材８０５を通過し外部へ出射し、この出射光によって表示が行われる。
【０４６３】
反射型表示及び透過型表示のいずれの場合でも、本実施形態ではオーバーコート層８１６が平坦に形成されるので、液晶装置の画面にコントラストの明瞭な画像を見ることができる。さらに、外部への射出光は、反射層８１３及び透過部３２２を覆っている着色層８１４により、対応する色に着色される。
【０４６４】
本実施形態では、隣り合う表示用ドットＤ間の境界領域で凹部８２３（図５６）又開口部８２３（図５５）を有するように下地層８１２を形成したので、遮光層８１５の高さを低くでき、各表示用ドットＤと隣り合う表示用ドットＤ間の境界領域との表面の平坦性を確保できる。
【０４６５】
また、凹部８２３の底部８２４又は開口部８２３の底部８２４の一番下方に、青色系例えば青色の着色層８１４Ｂを形成することとしたので、可視光波長域における平均透過率の低い青色が、他の緑色系例えば緑色及び赤色系例えば赤色の着色層８１４に比べ最も厚く形成され、遮光性をより高くしながら、全体として遮光層８１５の高さを低くでき、コントラストを良くすることができる。
【０４６６】
さらに、開口部８２３に底部８２４の方から青色の着色層８１４Ｂを略１．７μｍの厚さに形成し、その上に緑色の着色層８１４Ｇを略１．０μｍの厚さに形成し、さらに、その上に赤色の着色層８１４Ｒを略０．９μｍに形成すれば、各表示用ドットＤと隣り合う表示用ドットＤ間の境界領域との上面のオーバーコート層８１６の平坦性がより確保でき、セルギャップのバラツキの改善やラビング処理が容易となり、表示画面のコントラストの明瞭化が図れる。
【０４６７】
また、凹部８２３で下地層８１２が、図５６に示すように、完全には取り除かれていない場合にも、遮光層８１５の高さを低くできるので、オーバーコート層８１６の上面の凹凸を軽減でき、セルギャップのバラツキの解消やラビング処理が容易となり、表示画面のコントラストの改善が図れる。
【０４６８】
さらに、本実施形態ではＴＦＴ型のアクティブマトリックス方式であるため画面が明るくて見やすく、コントラストを更に強くできる。
【０４６９】
（液晶装置の製造方法）
次に、本実施形態に係る液晶装置の製造方法について図５７の工程図に基づいて説明する。まず、工程Ｐ２１１において、第１基材８０３上に下地層８１２を形成する。ここで遮光層８１５を形成する各表示用ドットＤ間の境界領域では、図５２に示すように、下地層８１２に開口部８２３が形成されるように、フォトレジストを用いて下地層８１２をエッチングする。
【０４７０】
これについてもう少し詳しく説明すると、第１基材８０３上に均一に樹脂材料をスピンコートによりを塗布し、さらにその上にレジストを塗布し、所定のパターンが形成されたフォトマスクの上からレジストを露光し、そのレジストを現像処理し、そのレジストをマスクとして上記樹脂材料をエッチングして下地層８１２に複数の穴を形成する。
【０４７１】
次に、この下地層８１２に対し熱を加えることにより、これらの穴を滑らかに変形させて凹凸状の下地層８１２の下層８１２ａが形成される。さらに、この下地層８１２の凹凸が滑らかになるように同じ樹脂材料を薄く塗布し、下地層８１２の上層８１２ｂが形成される。
【０４７２】
次に、その下地層８１２上にレジストを塗布し、所定のパターンが形成されたフォトマスクの上からレジストを露光し、そのレジストを現像処理し、そのレジストをマスクとしてエッチングして下地層８１２に開口部８２３を形成し、遮光層８１５となる部分で下地層８１２が除かれた下地層８１２が第１基材８０３上に形成される。
【０４７３】
次に、工程Ｐ２１２において、下地層８１２上にアルミニウム等を蒸着法やスパッタリング法等によって薄膜状に成膜し、これをフォトリソグラフィ法を用いてパターニングすることによって、例えば図５４のように各表示用ドットＤの略中央に略長方形状の開口部８２２を設けると共に、それ以外の領域に反射層８１３を形成する。
【０４７４】
次に、工程Ｐ２１３において、反射層８１３及び開口部８２２の上に１色、例えば青色系、例えば青色の着色層材料をスピンコートによりを塗布し、その上にレジストを塗布し、所定のパターンが形成されたフォトマスクの上からそのレジストを露光し、そのレジストを現像処理し、さらに、そのレジストをマスクとしてエッチングを行って青色系例えば青色の着色層８１４Ｂを形成する。また、他の２色に関して同じ処理を繰り返して、緑色系例えば緑色の着色層８１４Ｇ及び赤色系例えば赤色の着色層８１４Ｒを順次に形成する。
【０４７５】
これにより、各表示用ドットＤには青色の着色層８１４Ｂ、緑色の着色層８１４Ｇ及び赤色の着色層８１４Ｒが夫々単独で形成され、さらに、遮光層８１５には、図５３に示すように、一番下層に青色の着色層８１４Ｂが最も厚く形成され、その上に緑色の着色層８１４Ｇが形成され、さらに赤色の着色層８１４Ｒが重ねて形成される。
【０４７６】
上述のように、一番下層に青色の着色層８１４Ｂが最も厚く形成されるので、遮光性を上げながら、遮光層８１５全体としての厚さを薄くできる。
【０４７７】
次に、工程Ｐ２１４において、着色層８１４の上にオーバーコート層８１６を形成する。本実施形態では、下地層８１２に開口部８２３が形成されている分、遮光層８１５の高さを低くでき、それ故、オーバーコート層８１６の表面の平坦性を確保できるので、セルギャップのバラツキを軽減でき、ラビング処理が容易になり、さらに液晶装置の表示画面においてコントラストの明瞭化を図ることができる。
【０４７８】
次に、工程Ｐ２１５において、オーバーコート層８１６の上に共通電極８３４の材料であるＩＴＯ等をスパッタリング法により被着し、フォトリソグラフィ法によってパターニングしてオーバーコート層８１６の上面に共通電極８３４を形成する。さらに、その上に配向膜８１８を形成し、ラビング処理を施してカラーフィルタ基板８０４が形成される。
【０４７９】
一方、対向基板８０６に関して、工程Ｐ２２１において、第２基材８０５上にＴＦＴ８３７、ゲート配線８３５、ソース配線８３６及び画素電極８２７等を形成する。
【０４８０】
ここで、ＴＦＴ８３７に関しては、第２基材８０５上に例えば、スパッタリングによってクロム、タンタル等を一様な厚さで成膜し、フォトリソグラフィ法によりパターニングしてゲート配線８３５及びそれと一体的なゲート電極８３８を形成し、さらに例えばプラズマＣＶＤ（Ｃｈｅｍｉｃａｌ　Ｖａｐｏｕｒ　Ｄｅｐｏｓｉｔｉｏｎ）法によって窒化シリコンからなるゲート絶縁膜８３９を形成する。
【０４８１】
次に、例えば半導体層８４０となるａ−Ｓｉ層とコンタクト電極８４１となるｎ＋型ａ−Ｓｉ層とをこの順で連続的に形成し、さらに、形成されたｎ＋型ａ−Ｓｉ層及びａ−Ｓｉ層のパターニングを行って半導体層８４０及びコンタクト電極８４１とを形成すると共に、ゲート絶縁膜８３９上の画素電極８２７となる部分にＩＴＯ等をスパッタリング法により被着し、フォトリソグラフィ法によってパターニングして画素電極８２７を形成する。
【０４８２】
また、第２基材８０５の表面の全域に例えばチタン、モリブデン、アルミニウム等をスパッタリングによって形成し、パターニングを行ってソース電極８４２、ドレイン電極８４３及びソース配線８３６を形成する。これら一連の処理により、ＴＦＴ８３７及び画素電極８２７が形成される。
【０４８３】
次に、工程Ｐ２２２において、画素電極８２７等の上に配向膜８２０を形成し、ラビング処理を施して対向基板８０６が形成される。
【０４８４】
次に、工程Ｐ２３１において、対向基板８０４側の配向膜８２０上にギャップ材１２９（図９参照）をドライ散布等により散布し、シール材１３３によってカラーフィルタ基板８０４と対向基板８０６とを貼り合わせる。次に、工程Ｐ２３２において、シール材１３３の開口部から液晶を注入し、さらにシール材１３３の開口部を紫外線硬化性樹脂等によって封止する。
【０４８５】
次に、工程Ｐ２３３において、位相差板８０８、８１０及び偏光板８０９、８１１を第１基材８０３及び第２基材８０５の各外面上に貼着等の方法により取り付ける。次に、工程Ｐ２３４において、必要な配線を行ったり、図９の照明装置１３１やケース体１３２を取り付けて、液晶装置が完成する。
【０４８６】
図５７の製造方法では、３色の着色層８１４が重ねられて形成される遮光層８１５において、一番下層に青色系例えば青色の着色層８１４Ｂを配置することとしたので、最も厚く形成され遮光性を上げながら、例えば遮光層８１５の全体の厚さを薄くできる。
【０４８７】
さらに、下地層８１２に開口部８２３が形成されている分、遮光層８１５の高さを低くできるので、オーバーコート層８１６の表面の平坦性を確保できることとなり、セルギャップのバラツキを軽減でき、また、ラビング処理が容易になり、それ故、液晶装置の表示画面におけるコントラストの明瞭化を図ることができる。
【０４８８】
また、図５７の製造方法では、図５５のように、遮光層８１５が形成される領域である開口部８２３の所で下地層８１２を全て取り除いたが、これに代えて、図５６に示すように、例えば工程Ｐ２１１において、下地層８１２を第１絶縁層８１２ａ及び第２絶縁層８１２ｂの２回に分けて形成し、第２絶縁層８１２ｂの形成をもって凹部８２３を形成するようにしてもよい。
【０４８９】
例えば、１回目の処理では遮光層８１５となる表示用ドットＤ間の境界領域を含めて基材の全面に第１絶縁層８１２ａを形成し、図５５の下地層８１２の下層８１２ａと同様に凹凸を設け、２回目の第２絶縁層８１２ｂの形成の際に、遮光層８１５となる表示用ドットＤ間の境界領域を除いて、各表示用ドットＤの領域にフォトレジストを用いてエッチングによって第２絶縁層８１２ｂを形成することもできる。
【０４９０】
これにより、１回目の下地層８１２の形成でフォトレジストを用いて下地層８１２をエッチングする工程を省略できるので、コストの削減が図れ、製造も速くできる。また、開口部８２３のように下地層８１２を完全に除いてしまうと却って、隣り合う表示用ドットＤ間の境界領域と表示用ドットＤとの表面の平坦性が損なわれるような場合にも、所望の厚さで下地層８１２を形成して平坦性を確保できるので、セルギャップのばらつきを少なくできる他、ラビング処理も容易となる。なお、遮光層８１５の部分で下地層８１２に凹部８２３を形成する方を上述と逆に第１回目にしても良い。
【０４９１】
さらに、ハーフトーンを用いて凹部８２３を形成することも可能である。
【０４９２】
（第１１実施形態）
次に、反射型のパッシブマトリックス方式の液晶装置に本発明を適用した場合の他の実施形態について説明する。
【０４９３】
図５８は、本発明に係る液晶装置の一実施形態を構成する液晶パネルの断面図である。図５９は、図５８の液晶パネルを構成するカラーフィルタ基板の断面図である。図６０は該液晶パネルの部分拡大図である。なお、図６０におけるＦ−Ｆ’線の断面図が図５８に相当する。図６１は、下地層が完全に取り除かれた状態の遮光層の部分断面拡大図である。図６２は、下地層が一部分だけ取り除かれた状態の遮光層の部分断面拡大図である。そして、図６３は本実施形態に係る液晶装置の製造方法の工程図である。
【０４９４】
図５８に示す液晶パネル９０２は、いわゆる反射型の構造を有する液晶パネルであり、この液晶パネル９０２を用いて構成される液晶装置の構造は、図９に示した液晶装置１０１と略同じである。つまり、液晶パネル９０２に、必要に応じて照明装置１３１及びケース体１３２を付設することにより、液晶装置が構成される。
【０４９５】
液晶パネル９０２は、ガラス板又は合成樹脂板等から形成された透明な第１基材９０３を基体とするカラーフィルタ基板９０４と、これに対向する第２基材９０５を基体とする対向基板９０６とがシール材１３３（図９参照）によって貼り合わされ、そのカラーフィルタ基板９０４と対向基板９０６との間に液晶が封入されて液晶層９０７が形成されている。また、第１基材９０３の外面には位相差板９０８及び偏光板９０９が配置され、第２基材９０５の外面には位相差板９１０及び偏光板９１１が配置されている。
【０４９６】
カラーフィルタ基板９０４に関しては、第１基材９０３の液晶層９０７側の表面に下地層９１２が形成され、その下地層９１２の表面に反射層９１３が設けられる。反射層９１３の上には、緑色の着色層９１４Ｇ、青色の着色層９１４Ｂ及び赤色の着色層９１４Ｒが所定の配列パターンで形成される。これらの着色層に関しては、これ以降の説明において、総称的に符号“９１４”で示されることがある。互いに隣り合う着色層９１４の間の境界領域には、各色の着色層９１４が重なることによって形成された遮光層９１５が設けられる。
【０４９７】
また、着色層９１４及び遮光層９１５の上には、それらの層を保護するためのオーバーコート層９１６が設けられる。また、オーバーコート層９１６の上にはＩＴＯ等といった透明導電体から成る透明電極９１７が形成され、さらにその上にポリイミド樹脂等から成る配向膜９１８が形成される。
【０４９８】
一方、対向基板９０６に関しては、図５８に示すように、第２基材９０５の液晶層９０７側の表面に透明電極９１９が、カラーフィルタ基板９０４側の透明電極９１７と直交する方向（すなわち、図６０のＸ方向）に延びる帯状に形成され、さらに、その上に配向膜９２０が形成されている。透明電極９１７は、相互に並列してストライプ状に構成されており、透明電極９１９と直交する方向（すなわち、図６０のＹ方向）に、相互に並列してストライプ状に構成されている。カラーフィルタ基板９０４側の透明電極９１７と対向基板９０６側の透明電極９１９とが平面的に重なる領域が表示用ドットＤとなる。
【０４９９】
カラーフィルタ基板９０４の下地層９１２は、下層９１２ａ及び上層９１２ｂの２層で形成され、それらの層は樹脂材料によって形成されている。この下地層９１２は、下層９１２ａの表面が細かい凹凸状に加工され、さらにこの下層９１２ｂの表面全体が同じ材料の薄い上層９１２ｂで被覆されるので、滑らかな凹凸が形成される。この凹凸形状により、下地層９１２を透過する光を散乱させることができ、これにより、液晶装置の画面に表示された像が見難くなるという問題を解消できる。
【０５００】
また、反射層９１３は、例えばアルミニウムや銀等の単体金属膜であって下地層９１２上に形成されており、下地層９１２の表面の凹凸に対応して反射層９１３の表面にも細かい凹凸が形成されている。この凹凸形状により、反射層９１３によって反射された反射光を散乱させることができ、その結果、液晶装置の画面に表示された像が見難くなるという問題を解消できる。
【０５０１】
着色層９１４は、例えば、顔料又は染料等の着色剤を含む感光性樹脂からなる着色レジストを塗布し、フォトリソグラフィ法によって、反射層９１３を覆うよう形成される。この着色層９１４は原色系フィルタであって、１つの表示用ドットＤ内の着色層９１４は、Ｒ，Ｇ，Ｂ３色のいずれかで構成される。一方、遮光層９１５内では、各色の着色層９１４が重ね合わされる。
【０５０２】
着色層９１４の配列パターンとして、図６０では斜めモザイク配列を採用しているが、この斜めモザイク配列の他に、ストライプ配列又はデジタル配列等の種々のパターン形状を採用することができる。遮光層９１５は、各表示用ドットＤ間の境界領域を遮光する。この遮光層９１５は、カラーフィルタ基板９０４の透明電極９１７の長手方向（すなわち、図６０のＹ方向）及びこれに直交する方向（すなわち、図６０のＸ方向）の両方向へ延びる帯状に形成されている。
【０５０３】
また、遮光層９１５には、例えば、着色層９１４Ｂと着色層９１４Ｒとの間では、図６１に示すように、下地層９１２に開口部９２３が形成されており、開口部９２３の底部９２４は、第１基材９０３の直ぐ上に反射層９１３を介して設けられている。
【０５０４】
開口部９２３には、遮光層９１５に隣り合う着色層９１４Ｂが底部９２４からｈ４１の厚さに形成され、その上に着色層９１４Ｇがｈ４２の厚さに形成され、さらにその上に着色層９１４Ｒの張出し部分がｈ４３の厚さで夫々重なり合って形成されている。
【０５０５】
ここで、図６１の最下方の着色層９１４Ｂの厚さｈ４１を０．７μｍ以上であって２．０μｍ以下とすれば、青色系例えば青色の着色層９１４Ｂの遮光性が良好となり、他の着色層との組み合わせで、各表示用ドットＤと隣り合う表示用ドットＤ間の境界領域との表面での平坦性を確保できることとなる。
【０５０６】
さらに、図６１のｈ４１を略１．７μｍに形成し、ｈ４２を略１．０μｍに形成し、ｈ４３を略０．９μｍに形成し、そして重ねられた着色層の一番上に有る着色層９１４Ｒの上面からのオーバーコート層９１６の厚さｈ４４を略１．８μｍに形成すると、下地層９１２の厚さｈ４５が略２．４μｍであり、表示用ドットＤでの着色層９１４Ｂの厚さｈ４６が略１．０μｍであり、この部分のオーバーコート層４１６の厚さｈ４７が略２．０μｍであることから、遮光層９１５上のオーバーコート層９１６の上面と着色層９１４Ｂの表示用ドットＤ上のオーバーコート層９１６の上面とは、第１基材９０３からの高さが一致し平坦な面となる。
【０５０７】
ここで、上述のように開口部９２３の一番下に着色層９１４Ｂを形成することによって、最も厚く形成でき厚さを略１．７μｍに形成することができるようになる。
【０５０８】
さらに、着色層９１４Ｇと着色層９１４Ｂとの間では、図５９に示すように、開口部９２３の底部９２４に、まず、隣り合う着色層９１４Ｂが入り込み、その上に着色層９１４Ｇの張出し部分が重なり、さらに、その上に着色層９１４Ｒが重なり、これにより、遮光層９１５が形成される。
【０５０９】
また、着色層９１４Ｒと着色層９１４Ｇとの間では、図５９に示すように、開口部９２３の底部９２４に、まず、着色層９１４Ｂが形成され、その上に着色層９１４Ｇの張出し部分が重なり、さらにその上に、隣り合う着色層９１４Ｒが重なり、これにより、遮光層９１５が形成される。
【０５１０】
さらに、遮光層９１５は、上述の構成に限られることはなく、例えば図６２に示すように、凹部９２３の底部９２４において完全には下地層９１２が除かれていないような場合においても、凹部９２３の底部９２４の深さｍ４５だけ、着色層９１４の重ねられた高さが低くなり、オーバーコート層９１６の上面の凹凸を軽減できる。これにより、セルギャップのバラツキが軽減され、また、ラビング処理が容易となる。その結果、液晶装置の画面表示のコントラストが良くなる。ここで、図６２の最下方の着色層９１４Ｂの厚さｍ４１を０．７μｍ以上であって２．０μｍ以下とすれば、青色系例えば青色の着色層９１４Ｂの遮光性が良好となり、他の着色層との組み合わせで、各表示用ドットＤと隣り合う表示用ドットＤ間の境界領域との表面での凹凸を軽減できることとなる。
【０５１１】
さらに、図６２の着色層９１４Ｂの厚さｍ４１を略１．１μｍとし、着色層９１４Ｇの厚さｍ４２を略１．０μｍとし、そして着色層９１４Ｒの厚さｍ４３を略０．９μｍとすれば、凹部９２３の底部９２４の深さｍ４５を略１．３μｍとしたき、オーバーコート層９１６の上面の凹凸をより一層軽減できることとなる。これにより、セルギャップのバラツキを軽減でき、また、ラビング処理が容易となる。そしてその結果、液晶装置の画面表示のコントラストが良くなる。
【０５１２】
なお、表示用ドットＤは、原色系フィルタＲ，Ｇ，Ｂのいずれか１の着色層９１４を含み、遮光層９１５によって周囲を囲まれている領域である。この表示用ドットＤは反射層９１３を具備するものであり、１画素は着色層９１４Ｒを有する表示用ドットＤと、着色層９１４Ｇを有する表示用ドットＤと、着色層９１４Ｂを有する表示用ドットＤとの３つで構成される。
【０５１３】
以上のように構成された本実施形態において、第２基材９０５に形成された透明電極９１９に信号を供給する一方、第１基材９０３に形成された透明電極９１７に信号を供給すると、透明電極９１９と透明電極９１７とが交差する領域である表示用ドットＤに保持されている液晶のみを駆動することができる。
【０５１４】
対向基板側から液晶層９０７に入射した外光は、表示用ドットＤ毎に光変調され、着色層９１４を透過した後に反射層９１３で反射し、再び対向基板９０６を透過して射出される。この際、オーバーコート層９１６は平坦なので、コントラストの明瞭な画像を見ることができることとなる。なお、出射光は、反射層９１３を覆っている着色層９１４により対応する色に着色される。
【０５１５】
本実施形態では、隣り合う表示用ドットＤ間の境界領域で凹部９２３又は開口部９２３を有するように下地層９１２を形成したので、遮光層９１５の高さを低くでき、カラーフィルタ基板９０４側のオーバーコート層９１６の平坦性を確保できる。
【０５１６】
また、凹部９２３の底部９２４又は開口部９２３の底部９２４に、最初に、青色系例えば青色の着色層９１４Ｂを形成することとしたので、可視光波長域における平均透過率の低い青色が、他の緑色系例えば緑色及び赤色系例えば赤色の着色層９１４に比べ最も厚く形成され、遮光性をより高くしながら全体として、遮光層９１５の高さを低くでき、コントラストを良くすることができる。
【０５１７】
さらに、開口部９２３に底部９２４の方から青色の着色層９１４Ｂを略１．７μｍの厚さに形成し、その上に緑色の着色層９１４Ｇを略１．０μｍの厚さに形成し、さらにその上に赤色の着色層９１４Ｒを略０．９μｍに形成すれば、各表示用ドットＤと隣り合う表示用ドットＤ間の境界領域との上面のオーバーコート層９１６の平坦性をより確保でき、セルギャップのバラツキの改善やラビング処理が容易となり、表示画面のコントラストの明瞭化が図れる。
【０５１８】
また、図６２に示すように、凹部９２３で下地層９１２が完全には取り除かれていない場合に、その下地層９１２が第１絶縁層９１２ａと該第１絶縁層９１２ａ上に凹部９２３を有するように設けられた第２絶縁層９１２ｂから形成される場合にも、例えばオーバーコート層９１６の上面の凹凸を軽減でき、セルギャップのバラツキの改善やラビング処理が容易となり、表示画面のコントラストの改善が図れる。
【０５１９】
（液晶装置の製造方法）
次に、本実施形態に係る液晶装置の製造方法について図６３の工程図に基づいて説明する。まず、工程Ｐ２４１において、第１基材９０３上に下地層９１２を形成する。ここで遮光層９１５を形成する表示用ドットＤ間の境界領域では、例えば図５９のように、下地層９１２に開口部９２３が形成されるように、フォトレジストを用いて下地層９１２をエッチングし、形成する。
【０５２０】
これについてもう少し詳しく説明すると、第１基材９０３上に均一に樹脂材料をスピンコートによりを塗布し、さらにその上にレジストを塗布し、その後所定のパターンが形成されたフォトマスクの上から露光してレジストを現像処理する。その後、エッチングして下地層９１２に複数の穴を形成する。次に、この下地層９１２に対し熱を加えることにより、これらの穴を滑らかに変形させて凹凸状の下地層９１２の下層９１２ａが形成される。さらに、この下地層９１２の凹凸が滑らかになるように同じ樹脂材料を薄く塗布し、下地層９１２の上層９１２ｂが形成される。
【０５２１】
次に、その下地層９１２上にレジストを塗布して、その後所定のパターンが形成されているフォトマスクの上から露光してレジストを現像処理する。その後、エッチングして下地層９１２に開口部９２３を形成し、遮光層９１５となる部分で下地層９１２が除かれた下地層９１２が第１基材９０３上に形成される。
【０５２２】
次に、工程Ｐ２４２において、下地層９１２上に蒸着法やスパッタリング法等によって薄膜状に成膜し、これをフォトリソグラフィ法を用いてパターニングすることによって、例えば図５９のように、各表示用ドットＤ及び遮光層９１５の領域に反射層９１３を形成する。
【０５２３】
次に、工程Ｐ２４３において、反射層の上に各色の着色層材料をスピンコートによりを塗布し、さらにその上にレジストを塗布して、その後所定のパターンが形成されているフォトマスクの上から露光し、レジストを現像処理する。その後、エッチングして青色系例えば青色の着色層９１４Ｂ、緑色系例えば緑色の着色層９１４Ｇ及び赤色系例えば赤色の着色層部材９１４Ｒを順次形成していく。
【０５２４】
これにより、各表示用ドットＤには青色の着色層９１４Ｂ、緑色の着色層９１４Ｇ及び赤色の着色層９１４Ｒが夫々単独で形成され、遮光層９１５には、図５９のように、一番下層に青色の着色層９１４Ｂが最も厚く形成され、その上に緑色の着色層９１４Ｇ、さらに赤色の着色層９１４Ｒが重ねられて形成される。
【０５２５】
上述のように、一番下層に青色の着色層９１４Ｂが最も厚く形成されるので遮光性を上げながら例えば、遮光層９１５全体としての厚さを薄くできる。
【０５２６】
さらに、下地層９１２に開口部９２３が形成されている分、遮光層９１５の高さを低くでき、この後に形成されるオーバコート層９１６の表面の平坦性を確保できることとなり、セルギャップのバラツキの軽減やラビング処理によってコントラストの明瞭化を図ることができる。
【０５２７】
次に、工程Ｐ２４４において、上述の着色層９１４の上にオーバーコート層９１６を形成する。また、工程Ｐ２４５において、その上に透明電極９１７の材料であるＩＴＯ等をスパッタリング法により被着し、フォトリソグラフィ法によってパターニングして、図６０のようにＹ方向に所定の幅を持ってストライプ状に形成する。
【０５２８】
さらにその上に配向膜９１８を形成し、ラビング処理を施してカラーフィルタ基板９０４の製造が終了する。これにより、配向膜９１８の液晶層９０７側の面も平坦性が確保され、セルギャップのバラツキも解消でき、画面の高画質化が図られることとなる。
【０５２９】
また、工程Ｐ２５１において、第２基材９０５上に透明電極９１９の材料であるＩＴＯ等をスパッタリング法により被着し、フォトリソグラフィ法によってパターニングして、図６０のようにＸ方向にストライプ状に、透明電極９１９を形成する。さらに、工程Ｐ２５２において、その上に配向膜９２０を形成し、ラビング処理を施して対向基板９０６の製造が終了する。
【０５３０】
次に、工程Ｐ２６１において、対向基板９０６上にギャップ材１２９（図９参照）をドライ散布等により散布し、シール材１３３を介して上述のカラーフィルタ基板９０４と対向基板９０６とを貼り合わせる。
【０５３１】
その後、工程Ｐ２６２において、シール材１３３の開口部から液晶を注入し、シール材１３３の開口部を紫外線硬化性樹脂等によって封止する。さらに、工程Ｐ２６３において、位相差板９０８，９１０及び偏光板９０９，９１１を第１基材９０３及び第２基材９０５の各外面上に貼着等の方法により取り付ける。次に、工程Ｐ２６４において、必要な配線を行ったり、図９の照明装置１３１やケース体１３２を取り付けて、液晶装置が完成する。
【０５３２】
本実施形態に係る液晶装置の製造方法では、着色層９１４が重ねられる遮光層９１５において一番下層に青色系例えば青色の着色層９１４Ｂを配置したので、最も厚く形成され遮光性を上げながら、遮光層９１５の全体の厚さを薄くできる。
【０５３３】
さらに、下地層９１２に開口部９２３が形成されている分、遮光層９１５の高さを低くでき、オーバーコート層９１６の表面の平坦性を確保できることとなり、セルギャップのバラツキを軽減でき、また、ラビング処理を容易にできる。そしてその結果、液晶装置の表示画面のコントラストの明瞭化を図ることができる。
【０５３４】
また、上述の液晶装置の製造方法では、図６１のように、開口部９２３は遮光層９１５となる領域で下地層９１２を全て取り除いたが、これに代えて、図６２に示すように、例えば図６３の工程Ｐ２４１で、下地層９１２を第１絶縁層９１２ａ及び第２絶縁層９１２ｂの２回に分けて形成し、凹部９２３を設けてもよい。
【０５３５】
例えば、１回目では遮光層９１５となる表示用ドットＤ間の境界領域を含めて、基材の全面に第１絶縁層９１２ａを形成し、図６１の下地層９１２の下層９１２ａと同様に凹凸を設け、２回目の第２絶縁層９１２ｂの形成では遮光層９１５となる表示用ドットＤ間の境界領域を除いて、各表示用ドットＤの領域にフォトレジストを用いてエッチングして形成することもできる。
【０５３６】
これにより、１回目の下地層９１２の形成でフォトレジストを用いて下地層９１２をエッチングする工程を省略できコストの削減が図れ、製造も速くできる。また、開口部９２３のように下地層９１２を完全に除いてしまうと却って、隣り合う表示用ドットＤ間の境界領域と表示用ドットＤとの表面の平坦性が損なわれるような場合にも、所望の厚さで下地層９１２を形成して平坦性を確保でき、セルギャップのばらつきを少なくできる他、ラビング処理も容易となる。なお、遮光層９１５の部分で下地層９１２に凹部９２３を形成する方を上述と逆に第１回目にしても良い。
【０５３７】
さらに、ハーフトーンを用いて凹部９２３を形成することも可能である。
【０５３８】
（電子機器）
以下に、本発明に係る電子機器を実施形態に基づいて説明する。
【０５３９】
（電子機器の第１実施形態）
図６４は、電子機器の一例である携帯電話機に本発明を適用した場合の実施形態を示している。ここに示す携帯電話機１６００は、複数の操作ボタン１６０１と、受話口１６０２と、送話口１６０３と、表示部１６０４とを有する。この表示部１６０４は本発明に係る液晶装置、例えば、図３、図７、図９等に示した液晶装置を用いて構成できる。
【０５４０】
（電子機器の第２実施形態）
図６５は、電子機器の一例である可搬型のパーソナルコンピュータ、いわゆるモバイル型のパーソナルコンピュータ、いわゆるノート型パソコンに本発明を適用した場合の実施形態を示している。ここに示すパーソナルコンピュータ１６１０は、キーボード１６１１を備えた本体部１６１２と、表示ユニット１６１３とを有する。表示ユニット１６１３では、外枠１６１４に液晶装置１６１６が組み込まれている。この液晶装置１６１６は、本発明に係る液晶装置、例えば、図３、図７、図９等に示した液晶装置を用いて構成できる。
【０５４１】
（電子機器の第３実施形態）
図６６は、電子機器の一例であるデジタルスチルカメラに本発明を適用した場合の実施形態を示している。通常のカメラは、被写体の光像によってフィルムを感光するのに対し、デジタルスチルカメラは、被写体の光像をＣＣＤ（Ｃｈａｒｇｅ　Ｃｏｕｐｌｅｄ　Ｄｅｖｉｃｅ）等といった撮像素子により光電変換して撮像信号を生成する。
【０５４２】
ここに示すデジタルスチルカメラ１６２０のケース１６２１の背面には、表示部１６２２が設けられ、ＣＣＤによる撮像信号に基づいて、この表示部１６２２において表示が行われる。例えば、表示部１６２２に被写体を表示することができ、この場合には表示部１６２２はファインダとして機能する。ケース１６２１の前面側（図６６に示す構造の裏面側）には、光学レンズやＣＣＤ等を含んだ受光ユニット１６２３が設けられている。表示部１６２２は、本発明に係る液晶装置、例えば、図３、図７、図９等に示した液晶装置を用いて構成できる。撮影者は、表示部１６２２に表示された被写体を確認して、シャッタボタン１６２４を押下して撮影を行う。
【０５４３】
（電子機器の第４実施形態）
図６７は、電子機器の一例である腕時計に本発明を適用した場合の実施形態を示している。ここに示す腕時計１６３０は、その本体の前面中央に液晶装置１６３１を用いた表示部を有する。そして、この液晶装置１６３１として、本発明に係る液晶装置、例えば、図３、図７、図９に示したような液晶装置を用いることができる。
【０５４４】
（電子機器の第５実施形態）
図６８は、電子機器の一例である情報機器に本発明を適用した場合の実施形態を示している。ここに示す情報機器１６４０は、タッチパネルを備えた情報機器であり、液晶装置１６４１を搭載している。この情報機器１６４０は、液晶装置１６４１の表示面によって構成される表示領域１６４２と、その表示領域１６４２の下方に位置する第１入力領域１６４３とを有する。第１入力領域１６４３には入力用シート１６４４が配置されている。
【０５４５】
液晶装置１６４１は、矩形状の液晶パネルと矩形状のタッチパネルとが平面的に重なり合う構造を有する。タッチパネルは入力用パネルとして機能する。タッチパネルは、液晶パネルよりも大きく、この液晶パネルの一端部から突き出した形状となっている。
【０５４６】
表示領域１６４２及び第１入力領域１６４３にはタッチパネルが配置されており、表示領域１６４２に対応する領域も、第１入力領域１６４３と同様に入力操作可能な第２入力領域１６４５として機能する。タッチパネルは、液晶パネル側に位置する第２面とこれと対向する第１面とを有しており、第１面の第１入力領域１６４３に相当する位置には入力用シート１６４４が貼られている。
【０５４７】
入力用シート１６４４にはアイコン１６４６及び手書き文字認識領域１６４７を識別するための枠が印刷されている。第１入力領域１６４３においては、入力用シート１６４４を介してタッチパネルの第１面に指やペン等といった入力手段で荷重をかけることにより、アイコン１６４６の選択や文字認識領域１６４７での文字入力等といったデータ入力を行うことができる。
【０５４８】
一方、第２入力領域１６４５においては、液晶パネルの像を観察することができるほか、液晶パネルに例えば入力モード画面を表示させ、タッチパネルの第１面に指やペンで荷重をかけることにより、その入力モード画面内の適宜の位置を指定することができ、これにより、データ入力等を行うことができる。
【０５４９】
（電子機器の第６実施形態）
図６９は、電子機器の一例であるプロジェクタに本発明を適用した場合の実施形態を示している。ここに示すプロジェクタ１６６０の内部には、ハロゲンランプ等といった白色光源から成るランプユニット１６６１が設けられている。このランプユニット１６６１から出射した投射光は、ライトガイド１６６２内に配置された４枚のミラー１６６３及び２枚のダイクロイックミラー１６６４によってＲ，Ｇ，Ｂの３原色に分離され、各原色に対応するライトバルブとしての液晶装置１６６５Ｒ、１６６５Ｂ及び１６６５Ｇに入射する。
【０５５０】
液晶装置１６６５Ｒ、１６６５Ｂ及び１６６５Ｇは、本発明に係る液晶装置、例えば、図３、図７、図９に示したような液晶装置を用いることができる。これらの液晶装置は、液晶駆動用ＩＣを介して供給されるＲ，Ｇ，Ｂの原色信号でそれぞれ駆動される。これらの液晶装置によって変調された光は、ダイクロイックプリズム１６６６に３方向から入射する。このダイクロイックプリズム１６６６においては、Ｒ色及びＢ色の光が９０°の角度に屈折する一方、Ｇ色の光が直進する。各色の画像が合成され、その合成光が投射レンズ１６６７を通して外部へ出射することにより、スクリーン等の上にカラー画像が投射される。
【０５５１】
（その他の実施形態）
本発明を適用できる電子機器としては、以上に記載した実施形態の他に、液晶テレビ、ビューファインダ型のビデオテープレコーダ、モニタ直視型のビデオテープレコーダ、カーナビゲーション装置、ページャ、電子手帳、電卓、ワードプロセッサ、ワークステーション、テレビ電話機、ＰＯＳ端末機等が挙げられる。そして、これらの各種電子機器の表示部として、上述した表示装置が適用可能なのは言うまでもない。
【０５５２】
また、本発明に係る電気光学装置としては、液晶装置に限られず、エレクトロルミネッセンス装置、特に、有機エレクトロルミネッセンス装置、無機エレクトロルミネッセンス装置等や、ＬＥＤ（発光ダイオード）表示装置、電気泳動表示装置、プラズマディスプレイ装置、ＦＥＤ（フィールドエミッションディスプレイ）装置、薄型のブラウン管、液晶シャッター等を用いた小型テレビ、デジタルマイクロミラーデバイス（ＤＭＤ）を用いた装置等も考えられる。
【０５５３】
以上、好ましい実施形態を上げて本発明を説明したが、本発明は上述したいずれの実施形態にも限定されず、本発明の技術思想の範囲内で適宜変更して実施できる。
【図面の簡単な説明】
【図１】（ａ）は、本発明に係る電気光学装置用基板の一実施形態を示す図である。（ｂ）は、比較例を示す図である。
【図２】（ａ）は、本発明に係る電気光学装置用基板の他の実施形態を示す図である。（ｂ）は、比較例を示す図である。
【図３】本発明を電気光学装置の一例である液晶装置に適用した場合の実施形態を示す断面図である。
【図４】図３の液晶装置の主要部であるカラーフィルタ基板の主要部分を示す平面図である。
【図５】本発明に係る電気光学装置用基板の製造方法の一実施形態を示す図である。
【図６】本発明に係る液晶装置の製造方法の一実施形態を示す工程図である。
【図７】本発明を電気光学装置の一例である液晶装置に適用した場合の他の実施形態を示す断面図である。
【図８】本発明に係る電気光学装置用基板の製造方法の他の実施形態を示す図である。
【図９】本発明を電気光学装置の一例である液晶装置に適用した場合のさらに他の実施形態を示す断面図である。
【図１０】本発明に係る電気光学装置の一実施形態である液晶装置の主要部の断面構造を示す断面図である。
【図１１】図１０の液晶装置を構成するカラーフィルタ基板の要部を示す断面図である。
【図１２】図１０の液晶装置の平面構造を部分的に破断して示す平面図である。
【図１３】図１１のカラーフィルタ基板の主要部分を示す断面図である。
【図１４】図１３に示した構造の変形例を示す断面図である。
【図１５】図１０の液晶装置を製造するための製造方法を示す工程図である。
【図１６】本発明に係る電気光学装置の他の実施形態である液晶装置の主要部の断面構造を示す断面図である。
【図１７】図１６の液晶装置を構成するカラーフィルタ基板の要部を示す断面図である。
【図１８】図１６の液晶装置の平面構造を部分的に破断して示す平面図である。
【図１９】図１７のカラーフィルタ基板の主要部分を示す断面図である。
【図２０】図１９に示した構造の変形例を示す断面図である。
【図２１】図１６の液晶装置を製造するための製造方法を示す工程図である。
【図２２】本発明に係る電気光学装置のさらに他の実施形態である液晶装置の主要部の断面構造を示す断面図である。
【図２３】図２２の液晶装置を構成するカラーフィルタ基板の要部を示す断面図である。
【図２４】図２２の液晶装置の平面構造を部分的に破断して示す平面図である。
【図２５】図２３のカラーフィルタ基板の主要部分を示す断面図である。
【図２６】図２５に示した構造の変形例を示す断面図である。
【図２７】図２２の液晶装置を製造するための製造方法を示す工程図である。
【図２８】本発明に係る電気光学装置のさらに他の実施形態である液晶装置の主要部の断面構造を示す断面図である。
【図２９】図２８の液晶装置を構成するカラーフィルタ基板の要部を示す断面図である。
【図３０】図２８の液晶装置の平面構造を部分的に破断して示す平面図である。
【図３１】図２９のカラーフィルタ基板の主要部分を示す断面図である。
【図３２】図３１に示した構造の変形例を示す断面図である。
【図３３】図２８の液晶装置を製造するための製造方法を示す工程図である。
【図３４】本発明に係る電気光学装置のさらに他の実施形態である液晶装置の主要部の断面構造を示す断面図である。
【図３５】図３４の液晶装置を構成するカラーフィルタ基板の要部を示す断面図である。
【図３６】図３４の液晶装置の平面構造を部分的に破断して示す平面図である。
【図３７】図３５のカラーフィルタ基板の主要部分を示す断面図である。
【図３８】図３７に示した構造の変形例を示す断面図である。
【図３９】図３４の液晶装置を製造するための製造方法を示す工程図である。
【図４０】本発明に係る電気光学装置のさらに他の実施形態である液晶装置の主要部の断面構造を示す断面図である。
【図４１】図４０の液晶装置を構成するカラーフィルタ基板の要部を示す断面図である。
【図４２】図４０の液晶装置の平面構造を部分的に破断して示す平面図である。
【図４３】図４１のカラーフィルタ基板の主要部分を示す断面図である。
【図４４】図４３に示した構造の変形例を示す断面図である。
【図４５】図４０の液晶装置を製造するための製造方法を示す工程図である。
【図４６】本発明に係る電気光学装置のさらに他の実施形態である液晶装置の主要部の断面構造を示す断面図である。
【図４７】図４６の液晶装置を構成するカラーフィルタ基板の要部を示す断面図である。
【図４８】図４６の液晶装置の平面構造を部分的に破断して示す平面図である。
【図４９】図４７のカラーフィルタ基板の主要部分を示す断面図である。
【図５０】図４９に示した構造の変形例を示す断面図である。
【図５１】図４６の液晶装置を製造するための製造方法を示す工程図である。
【図５２】本発明に係る電気光学装置のさらに他の実施形態である液晶装置の主要部の断面構造を示す断面図である。
【図５３】図５２の液晶装置を構成するカラーフィルタ基板の要部を示す断面図である。
【図５４】図５２の液晶装置の平面構造を部分的に破断して示す平面図である。
【図５５】図５３のカラーフィルタ基板の主要部分を示す断面図である。
【図５６】図５５に示した構造の変形例を示す断面図である。
【図５７】図５２の液晶装置を製造するための製造方法を示す工程図である。
【図５８】本発明に係る電気光学装置のさらに他の実施形態である液晶装置の主要部の断面構造を示す断面図である。
【図５９】図５８の液晶装置を構成するカラーフィルタ基板の要部を示す断面図である。
【図６０】図５８の液晶装置の平面構造を部分的に破断して示す平面図である。
【図６１】図５９のカラーフィルタ基板の主要部分を示す断面図である。
【図６２】図５９に示した構造の変形例を示す断面図である。
【図６３】図５８２の液晶装置を製造するための製造方法を示す工程図である。
【図６４】本発明に係る電子機器の一実施形態である携帯電話機を示す斜視図である。
【図６５】本発明に係る電子機器の他の実施形態である携帯型コンピュータを示す斜視図である。
【図６６】本発明に係る電子機器のさらに他の実施形態であるデジタルカメラを示す斜視図である。
【図６７】本発明に係る電子機器のさらに他の実施形態である腕時計を示す斜視図である。
【図６８】本発明に係る電子機器のさらに他の実施形態である情報機器を示す斜視図である。
【図６９】本発明に係る電子機器のさらに他の実施形態であるプロジェクタを示す斜視図である。
【符号の説明】
１０Ａ，１０Ｂ，１０１：液晶装置（電気光学装置）、１０２，２０２，３０２，４０２，５０２，６０２，７０２，８０２，９０２：液晶パネル、１１，３１，１０４，２０４，３０４，４０４，５０４，６０４，７０４，８０４，９０４：カラーフィルタ基板、１２，３２，１０６，２０６，３０６，４０６，５０６，６０６，７０６，８０６，９０６：対向基板、１，１１’，３１’，１０３，２０３，３０３，４０３，５０３，６０３，７０３，８０３，９０３：基材、４，２３，４３，１１２，２１２，３１２，４１２，５１２，６１２，７１２，８１２，９１２：下地層、２，２１，４１，１１３，２１３，３１３，４１３，５１３，６１３，７１３，８１３，９１３：反射層、３，２２，４２，１１４，２１４，３１４，４１４，５１４，６１４，７１４，８１４，９１４：着色層、Ｄ：表示用ドット
【図１】
2004078139.tif 000003
【図２】
2004078139.tif 000004
【図３】
2004078139.tif 000005
【図４】
2004078139.tif 000006
【図５】
2004078139.tif 000007
【図６】
2004078139.tif 000008
【図７】
2004078139.tif 000009
【図８】
2004078139.tif 000010
【図９】
2004078139.tif 000011
【図１０】
2004078139.tif 000012
【図１１】
2004078139.tif 000013
【図１２】
2004078139.tif 000014
【図１３】
2004078139.tif 000015
【図１４】
2004078139.tif 000016
【図１５】
2004078139.tif 000017
【図１６】
2004078139.tif 000018
【図１７】
2004078139.tif 000019
【図１８】
2004078139.tif 000020
【図１９】
2004078139.tif 000021
【図２０】
2004078139.tif 000022
【図２１】
2004078139.tif 000023
【図２２】
2004078139.tif 000024
【図２３】
2004078139.tif 000025
【図２４】
2004078139.tif 000026
【図２５】
2004078139.tif 000027
【図２６】
2004078139.tif 000028
【図２７】
2004078139.tif 000029
【図２８】
2004078139.tif 000030
【図２９】
2004078139.tif 000031
【図３０】
2004078139.tif 000032
【図３１】
2004078139.tif 000033
【図３２】
2004078139.tif 000034
【図３３】
2004078139.tif 000035
【図３４】
2004078139.tif 000036
【図３５】
2004078139.tif 000037
【図３６】
2004078139.tif 000038
【図３７】
2004078139.tif 000039
【図３８】
2004078139.tif 000040
【図３９】
2004078139.tif 000041
【図４０】
2004078139.tif 000042
【図４１】
2004078139.tif 000043
【図４２】
2004078139.tif 000044
【図４３】
2004078139.tif 000045
【図４４】
2004078139.tif 000046
【図４５】
2004078139.tif 000047
【図４６】
2004078139.tif 000048
【図４７】
2004078139.tif 000049
【図４８】
2004078139.tif 000050
【図４９】
2004078139.tif 000051
【図５０】
2004078139.tif 000052
【図５１】
2004078139.tif 000053
【図５２】
2004078139.tif 000054
【図５３】
2004078139.tif 000055
【図５４】
2004078139.tif 000056
【図５５】
2004078139.tif 000057
【図５６】
2004078139.tif 000058
【図５７】
2004078139.tif 000059
【図５８】
2004078139.tif 000060
【図５９】
2004078139.tif 000061
【図６０】
2004078139.tif 000062
【図６１】
2004078139.tif 000063
【図６２】
2004078139.tif 000064
【図６３】
2004078139.tif 000065
【図６４】
2004078139.tif 000066
【図６５】
2004078139.tif 000067
【図６６】
2004078139.tif 000068
【図６７】
2004078139.tif 000069
【図６８】
2004078139.tif 000070
【図６９】
2004078139.tif 000071